(57)【要約】【課題】演出の興趣向上が可能であること。【解決手段】パチンコ遊技機ＰＹ１は、振動可能な振動体（通常ボタン４０）と、所定の演出表示を表示可能な表示体（表示部５０ａ）と、所定の演出を実行可能な演出実行手段（サブ制御基板１２０）とを備える。その演出実行手段は、振動体を振動させる振動演出（ボタン振動演出）を実行可能であり、表示体に所定の演出表示（中心画像Ｇ２１１）を表示する表示演出（第１画像演出）を実行可能である。そして、振動演出と連動させて表示演出を実行するときがある。【選択図】図３７
2020103375.tif 000002
【特許請求の範囲】
【請求項１】
振動可能な振動体と、
所定の演出表示を表示可能な表示体と、
所定の演出を実行可能な演出実行手段と、を備え、
前記演出実行手段は、
前記振動体を振動させる振動演出を実行可能であり、
前記表示体に前記所定の演出表示を表示する表示演出を実行可能であり、
前記振動演出と連動させて前記表示演出を実行するときがあることを特徴とする遊技機。
【請求項２】
請求項１に記載の遊技機であって、
前記振動体には、発光可能な発光体があり、
前記演出実行手段は、
前記振動演出と連動させて前記表示演出を実行する場合には、前記振動演出又は前記表示演出と連動させて前記発光体を発光させるときがあることを特徴とする遊技機。
【請求項３】
請求項２に記載の遊技機であって、
前記所定の演出表示は、特定の表示色で表示されるときがあり、
前記演出実行手段は、
前記振動演出と連動させて、前記特定の表示色で前記所定の演出表示が表示される前記表示演出を実行する場合には、前記振動演出又は前記表示演出と連動させて、前記特定の表示色と同じ又は類似の色で前記発光体を発光させるときがあることを特徴とする遊技機。
【発明の詳細な説明】
【技術分野】
【０００１】
本発明は、パチンコ遊技機等に代表される遊技機に関する。
【背景技術】
【０００２】
従来から、複数の演出手段を備えた遊技機が知られている（例えば特許文献１）。
【先行技術文献】
【特許文献】
【０００３】
【特許文献１】特開２０１１−１７７３６５号公報
【発明の概要】
【発明が解決しようとする課題】
【０００４】
しかしながら、特許文献１に記載の遊技機では、所定の演出手段を用いた演出の実行とは関係なく、それとは異なる演出手段を用いた演出が行われているだけであり、演出の興趣が次第に低下してしまうおそれがある。
【課題を解決するための手段】
【０００５】
本発明の遊技機は、
振動可能な振動体と、
所定の演出表示を表示可能な表示体と、
所定の演出を実行可能な演出実行手段と、を備え、
前記演出実行手段は、
前記振動体を振動させる振動演出を実行可能であり、
前記表示体に前記所定の演出表示を表示する表示演出を実行可能であり、
前記振動演出と連動させて前記表示演出を実行するときがあることを特徴とする。
【発明の効果】
【０００６】
本発明によれば、演出の興趣向上が可能である。
【図面の簡単な説明】
【０００７】
【図１】遊技機の正面図である。
【図２】遊技盤ユニットの正面図である。
【図３】第２大入賞装置等を詳細に示す正面図である。
【図４】表示器類の正面図である。
【図５】（Ａ）は盤上可動装置と盤下可動装置とが待機状態のときの演出用ユニットの正面図、（Ｂ）は盤上可動装置と盤下可動装置とが作動したときの演出用ユニットの正面図である。
【図６】主制御基板側の電気的な構成を示すブロック図である。
【図７】サブ制御基板側の電気的な構成を示すブロック図である。
【図８】（Ａ）は普図関係乱数を示す表であり、（Ｂ）は特図関係乱数を示す表である。
【図９】（Ａ）は当たり判定テーブルであり、（Ｂ）は普図変動パターン判定テーブルであり、（Ｃ）は補助遊技制御テーブルである。
【図１０】（Ａ）は大当たり判定テーブルであり、（Ｂ）は大当たり図柄種別判定テーブルであり、（Ｃ）はリーチ判定テーブルである。
【図１１】特図１変動パターン判定テーブルである。
【図１２】特図２変動パターン判定テーブルである。
【図１３】先読み判定テーブルである。
【図１４】大当たり遊技制御テーブルである。
【図１５】遊技状態の説明図である。
【図１６】演出モードの具体例を示す説明図である。
【図１７】特図変動演出の通常変動の具体例を示す説明図である。
【図１８】特図変動演出のＮリーチの具体例を示す説明図である。
【図１９】特図変動演出のＳＰリーチの具体例を示す説明図である。
【図２０】保留演出の具体例を示す説明図である。
【図２１】可動体演出の具体例を示す説明図である。
【図２２】操作演出の具体例を示す説明図である。
【図２３】主制御メイン処理のフローチャートである。
【図２４】メイン側タイマ割り込み処理のフローチャートである。
【図２５】サブ制御メイン処理のフローチャートである。
【図２６】サブ側タイマ割り込み処理のフローチャートである。
【図２７】半球型ボタンユニットの斜視図である。
【図２８】半球型ボタンユニットの分解斜視図である。
【図２９】可動部を斜め上方から見た斜視図である。
【図３０】可動部を斜め下方から見た斜視図である。
【図３１】支持部を斜め上方から見た斜視図である。
【図３２】支持部を斜め下方から見た斜視図である。
【図３３】第２振動機構を示す説明図（断面図）である。
【図３４】第１振動機構を示す説明図（断面図）である。
【図３５】第１振動機構の回転部材を示す説明図（上面図）である。
【図３６】可動部（ベース部）の変位を示す説明図（上面図）である。
【図３７】第１組み合わせ演出を示す説明図である。
【図３８】（Ａ）は第１組み合わせ演出の詳細を示す表であり、（Ｂ）は第２組み合わせ演出の詳細を示す表である。
【図３９】第２組み合わせ演出を示す説明図である。
【図４０】第２組み合わせ演出を示す説明図である。
【図４１】表示部と通常ボタンとの位置関係を示す遊技機の拡大正面図である。
【図４２】表示部と通常ボタンとの位置関係を示す遊技機の拡大側面図である。
【発明を実施するための形態】
【０００８】
以下、本発明の遊技機の第１実施形態を、図面を参照して具体的に説明する。参照される各図において、同一の部分には同一の符号を付し、同一の部分に関する重複する説明を原則として省略する。なお、本明細書では、記述の簡略化上、情報、信号、物理量又は部材等を参照する記号又は符号を記すことによって、該記号又は符号に対する情報、信号、物理量又は部材等の名称を省略又は略記することがある。また、後述の任意のフローチャートにおいて、任意の複数のステップにおける複数の処理は、処理内容に矛盾が生じない範囲で、任意に実行順序を変更できる又は並列に実行できる。
【０００９】
１．遊技機の構造
本発明の遊技機の第１実施形態であるパチンコ遊技機ＰＹ１について説明する。最初に、パチンコ遊技機ＰＹ１の構造について図１〜図５を用いて説明する。なお、以下の説明において、パチンコ遊技機ＰＹ１の各部の左右上下方向は、そのパチンコ遊技機ＰＹ１に対面する遊技者にとっての（正面視の）左右上下方向のことである。また、「前方」は、パチンコ遊技機ＰＹ１から当該パチンコ遊技機ＰＹ１に対面する遊技者に近づく方向とし、「後方」は、パチンコ遊技機ＰＹ１に対面する遊技者から当該パチンコ遊技機ＰＹ１に近づく方向とする。
【００１０】
図１に示すように、パチンコ遊技機ＰＹ１は、遊技機枠２を備えている。遊技機枠２は、外枠２２と、その外枠２２に対して開閉可能な前扉２３とを備えている。さらに、前扉２３は、後述する遊技盤ユニットＹＵが取り付けられる遊技盤取付枠２Ａと、遊技盤取付枠２Ａにヒンジ２Ｂを介して回転自在に支持される前枠２３ｍと、を備える。前枠２３ｍは遊技盤取付枠２Ａに対して開閉が可能である。前枠２３ｍには、透明板２３ｔが取り付けられている。前枠２３ｍが閉じられているとき、遊技盤取付枠２Ａに取り付けられた遊技盤１と透明板２３ｔとは対面する。よって、パチンコ遊技機ＰＹ１が遊技店に設置されると、当該パチンコ遊技機ＰＹ１の前方にいる遊技者は、透明板２３ｔを通して、遊技盤１に形成された遊技領域６を視認することができる。透明板２３ｔは、透明なガラス板や透明な合成樹脂板等を用いることができる。パチンコ遊技機ＰＹ１の前方から遊技領域６を視認可能であればよい。
【００１１】
前枠２３ｍの前面の右下部には、遊技球を発射させるための回転操作が可能なハンドル７２ｋが設けられている。ハンドル７２ｋが操作された量（回転角度）が、遊技球を発射させるために遊技球に与えられる力（後述する発射装置７２が発射ソレノイドに駆動させる量）の大きさ（発射強度）に対応付けられている。よって、遊技球は、ハンドル７２ｋの回転操作に応じた発射強度で発射される。また、前枠２３ｍの前面の下部中央には、前方に向けて大きく突出した下部装飾体３６が設けられている。下部装飾体３６の上面には、ハンドル７２ｋに供給される遊技球を貯留するための上皿３４が形成されている。また、下部装飾体３６の正面の下部中央には、上皿３４に収容しきれない余剰の遊技球を貯留するための下皿３５が設けられている。
【００１２】
下部装飾体３６の上面の上皿３４より前方側には、操作可能な第１入力装置（以下「通常ボタン」）４０が設けられている。通常ボタン４０は、例えば押下面を有するボタン，把持部を有するレバー等で構成される。また、前枠２３ｍの表面の右縁部から前方に突出して形成されている右部装飾体３２において、操作可能な第２入力装置（以下「特殊ボタン」）４１が設けられている。特殊ボタン４１は、例えば押下面を有するボタン，把持部を有するレバー等で構成される。
【００１３】
また、前枠２３ｍの表面の上部から前方に突出して形成されている上部装飾体３１の底面に、音を出力可能なスピーカ５２が設けられている。スピーカ５２は、左側に配置された左スピーカ５２Ｌと、右側に配置された右スピーカ５２Ｒと、からなる。また、前枠２３ｍの右縁部と、下部装飾体３６における正面の下皿３５の左側および右側とに、発光可能な枠ランプ５３が設けられている。さらに、前枠２３ｍの左縁部および右縁部の上側には、遊技興趣を高めることを目的とする演出装置としての可動式の枠可動装置５８が取り付けられている。枠可動装置５８は、左側に配置された左枠可動装置５８Ｌと、右側に配置された右枠可動装置５８Ｒと、で構成される。
【００１４】
なお、遊技機枠２に設けられる部材や装置の位置や数は、遊技に支障をきたさない範囲で適宜に変更可能である。
【００１５】
次に、遊技盤ユニットＹＵについて、主に図２〜図５を用いて説明する。遊技盤ユニットＹＵは、遊技盤１と、遊技盤１の背面側に取り付けられた演出用ユニット１Ｕと、を有する。最初に、遊技盤１について説明する。遊技盤１は透明な合成樹脂板で構成されている。遊技盤１の略中央には正面視略円形の開口部１Ａが形成されている。開口部１Ａに沿って、遊技球が流下可能な遊技領域６を区画するための略リング状の内側壁部１Ｂが前方に突出して形成されている。また、内側壁部１Ｂの外側にも、遊技領域６を区画するための略リング状の外側壁部１Ｃが前方に突出して形成されている。
【００１６】
遊技盤１の前面には、内側壁部１Ｂ、外側壁部１Ｃなどで囲まれた遊技領域６が形成されている。すなわち、遊技盤１の前面が、内側壁部１Ｂおよび外側壁部１Ｃによって、遊技領域６とそれ以外の領域とに仕切られている。
【００１７】
遊技領域６は、ハンドル７２ｋの操作によって発射された遊技球が流下可能な領域であり、パチンコ遊技機ＰＹ１で遊技を行うために設けられている。なお、遊技領域６には、多数の遊技くぎ（図示なし）が突設されている。遊技くぎは、遊技領域６に進入して遊技領域６を流下する遊技球を、後述する第１始動口１１、第２始動口１２、一般入賞口１０、ゲート１３、第１大入賞口１４、および、第２大入賞口１５などに適度に誘導する経路を構成している。
【００１８】
遊技領域６には、遊技球が入球可能な第１始動口１１が形成された第１始動入賞装置１１Ｄと、第２始動口１２への入球を可能または不可能にさせる第２始動入賞装置（所謂「電チュー」）１２Ｄと、が設けられている。
【００１９】
第１始動入賞装置１１Ｄは不動である。そのため、第１始動口１１は、遊技球の入球し易さが変化せずに一定（不変）である。遊技球の第１始動口１１への入賞は、第１特別図柄（以下、「特図１」という）の抽選（後述の特図１関係乱数の取得と判定：以下、「特図１抽選」という）および特図１の可変表示の契機となっている。また、遊技球が第１始動口１１へ入賞すると、所定個数（例えば４個）の遊技球が賞球として払い出される。
【００２０】
電チュー１２Ｄは、作動可能な電チュー開閉部材１２ｋを備えている。電チュー開閉部材１２ｋは、通常は（通常状態では）、第２始動口１２への遊技球の入球が不可能もしくは極めて困難な閉鎖位置にある。そして、特別状態になると、第２始動口１２への遊技球の入球が可能な開放位置に移動する。このように、電チュー開閉部材１２ｋが開放位置に移動することを第２始動口１２または電チュー１２Ｄの「開状態」ともいい、開状態であるときだけ遊技球の第２始動口１２への入球が可能となる。一方、電チュー開閉部材１２ｋが閉鎖位置にあることを第２始動口１２または電チュー１２Ｄの「閉状態」ともいう。また、第２始動口１２または電チュー１２Ｄが「開状態」になることを「電チュー１２Ｄが開放する」ともいい、電チュー１２Ｄが「閉状態」になることを「電チュー１２Ｄが閉鎖する」ともいう。
【００２１】
遊技球の第２始動口１２への入賞は、第２特別図柄（以下、「特図２」という）の抽選（後述の特図２関係乱数の取得と判定：以下、「特図２抽選」という）および特図２の可変表示の契機となっている。また、遊技球が第２始動口１２へ入賞すると、所定個数（例えば４個）の遊技球が賞球として払い出される。
【００２２】
また、遊技領域６には、遊技球が入球可能な一般入賞口１０が設けられている。遊技球が一般入賞口１０へ入賞すると、所定個数（例えば３個）の遊技球が賞球として払い出される。
【００２３】
また、遊技領域６には、遊技球が通過可能なゲート１３が設けられている。遊技球のゲート１３の通過は、普通図柄（以下、「普図」という）の抽選（すなわち普通図柄乱数の取得と判定：以下、「普図抽選」という）および普図の可変表示の契機となっている。補助遊技が実行されることによって電チュー１２Ｄを開放する。すなわち、補助遊技は、電チュー１２Ｄの開放を伴う遊技である。
【００２４】
また、遊技領域６には、遊技球が入球可能な第１大入賞口１４が形成された第１大入賞装置１４Ｄ（以下、「通常ＡＴ１４Ｄ」ともいう）が設けられている。
【００２５】
第１大入賞装置１４Ｄは、開状態と閉状態とに作動可能な通常ＡＴ開閉部材１４ｋを備える。通常ＡＴ開閉部材１４ｋの作動により第１大入賞口１４が開閉する。通常ＡＴ開閉部材１４ｋは、通常では第１大入賞口１４を塞ぐ閉状態になっており、遊技球が第１大入賞口１４の中に入球することは不可能もしくは極めて困難である。通常ＡＴ開閉部材１４ｋが開状態に作動すると、遊技球が第１大入賞口１４の中に入球することが可能になる。このように、通常ＡＴ開閉部材１４ｋが開状態であるときだけ遊技球の第１大入賞口１４への入球が可能となる。遊技球が第１大入賞口１４へ入賞すると、所定個数（例えば１４個）の遊技球が賞球として払い出される。
【００２６】
また、遊技領域６には、遊技球を第２始動口１２へ誘導する誘導ステージ１２ｇが設けられている。なお、誘導ステージ１２ｇの上面を転動する遊技球は、第２始動口１２の方へ向かって流下可能である。
【００２７】
また、遊技領域６には、遊技球が入球可能な第２大入賞口１５が形成された第２大入賞装置１５Ｄ（以下、「ＶＡＴ１５Ｄ」ともいう）が設けられている。第２大入賞装置１５Ｄは、作動可能なＶＡＴ開閉部材１５ｋを備えている。ＶＡＴ開閉部材１５ｋは、通常では第２大入賞口１５を塞いでおり、遊技球が第２大入賞口１５に入球することは不可能もしくは極めて困難である。ＶＡＴ開閉部材１５ｋは開状態をとることができる。ＶＡＴ開閉部材１５ｋが開状態であると遊技球の第２大入賞口１５への入球が容易となる。一方、ＶＡＴ開閉部材１５ｋが第２大入賞口１５を塞いでいる状態を「閉状態」ともいう。このように、ＶＡＴ開閉部材１５ｋの作動によって第２大入賞口１５が開閉する。遊技球が第２大入賞口１５へ入賞すると、所定個数（例えば１４個）の遊技球が賞球として払い出される。
【００２８】
ここで、図３を用いて、第２大入賞装置１５Ｄについて詳細に説明する。第２大入賞装置１５Ｄの内部には、第２大入賞口１５に入球した遊技球を検知し、遊技球を下方へ通過させることが可能なゲート状の第２大入賞口センサ１５ａが設けられている。
【００２９】
第２大入賞口センサ１５ａの下流域には、遊技球が通過（進入）可能な特定領域１６と非特定領域１７とが設けられている。第２大入賞口センサ１５ａを通過した遊技球は、振分装置１６Ｄによって、特定領域１６か非特定領域１７かに振り分けられる。振分装置１６Ｄは、略矩形状の平板からなる振分部材１６ｋと、振分部材１６ｋを駆動する振分ソレノイド１６ｓとを備えている。振分部材１６ｋは、振分ソレノイド１６ｓの駆動により、左右にスライド可能に構成されている。
【００３０】
振分ソレノイド１６ｓが通電されていないとき、振分部材１６ｋは特定領域１６への遊技球の通過を妨げる第１状態（通過阻止状態：図３（Ａ）の正面視で振分部材１６ｋの左端が特定領域１６の左端よりやや右側に位置し、振分部材１６ｋが特定領域１６をその直上で覆う状態）にある。振分部材１６ｋが第１状態にあるときは、第２大入賞口１５に入賞した遊技球は、第２大入賞口センサ１５ａを通過した後、特定領域１６を通過することは不可能もしくは極めて困難であり、非特定領域１７を通過する。この第２大入賞口１５から非特定領域１７まで流下する遊技球のルートを第１のルートという。
【００３１】
一方、振分ソレノイド１６ｓが通電されているとき、振分部材１６ｋは遊技球の特定領域１６の通過（進入）を許容する第２状態（通過許容状態：図３（Ｂ）の正面視で振分部材１６ｋの左端が特定領域１６の右端よりやや左側に位置し、振分部材１６ｋが特定領域１６をその直上で覆わず、特定領域１６の直上が開放している状態）にある。振分部材１６ｋが第２状態にあるときは、第２大入賞口１５に入賞した遊技球は、第２大入賞口センサ１５ａを通過したあと特定領域１６を通過容易である。この第２大入賞口１５から特定領域１６まで流下する遊技球のルートを第２のルートという。
【００３２】
なお、基本的に、振分部材１６ｋは第１状態で保持されている。すなわち、第１状態が、振分部材１６ｋの通常の状態であるといえる。そして、所定のラウンド遊技（例えば１６Ｒ）においてのみ、振分ソレノイド１６ｓが通電され、第２状態に変化することができる。
【００３３】
特定領域１６と非特定領域１７には、各領域１６、１７を通過（進入）した遊技球を検知し、遊技球を下方へ通過させる特定領域センサ１６ａ、非特定領域センサ１７ａが設けられている。
【００３４】
なお、第１大入賞装置１４Ｄおよび第２大入賞装置１５Ｄは、遊技に支障をきたさない範囲で、一方だけを設けるようにすることが可能である。
【００３５】
また、遊技領域６の略最下部には、遊技領域６へ打ち込まれたもののいずれの入賞口にも入賞しなかった遊技球を遊技領域６の外部へ排出する２つのアウト口１９が設けられている。また、遊技盤１には、発光可能な盤ランプ５４が設けられている。
【００３６】
ところで、遊技球が流下可能な遊技領域６は、左右方向の中央より左側の左遊技領域（第１遊技領域）と、右側の右遊技領域（第２遊技領域）と、に分けることができる。遊技球が左遊技領域を流下するように遊技球を発射させるハンドル７２ｋの操作態様を「左打ち」という。一方、遊技球が右遊技領域を流下するように遊技球を発射させるハンドル７２ｋの操作態様を「右打ち」という。パチンコ遊技機ＰＹ１において、左打ちにて遊技球を発射したときに遊技球が流下可能な流路を、第１流路Ｒ１といい、右打ちにて遊技球を発射したときに遊技球が流下可能な流路を、第２流路Ｒ２という。第１流路Ｒ１および第２流路Ｒ２は、多数の遊技くぎなどによっても構成されている。
【００３７】
第１流路Ｒ１上には、第１始動口１１と、２つの一般入賞口１０と、が設けられている。よって、遊技者は、左打ちにより第１流路Ｒ１を流下するように遊技球を発射させることで、第１始動口１１、または、一般入賞口１０への入賞を狙うことができる。一方、第２流路Ｒ２上には、第２始動口１２と、ゲート１３と、第１大入賞口１４と、第２大入賞口１５と、が設けられている。よって、遊技者は、右打ちにより第２流路Ｒ２を流下するように遊技球を発射させることで、ゲート１３の通過や、第２始動口１２、第１大入賞口１４、または、第２大入賞口１５への入賞を狙うことができる。
【００３８】
なお、何れの入賞口（第１始動口１１、第２始動口１２、一般入賞口１０、第１大入賞口１４、および第２大入賞口１５）にも入球しなかった遊技球は、アウト口１９へ誘導されて排出される。また、各入賞口への入賞による賞球数は、適宜に設定することが可能である。
【００３９】
また、遊技盤１の前面に形成された遊技領域６の下方の左隣（遊技領域６以外の部分）には表示器類８が配置されている。図４に示すように、表示器類８には、特図１を可変表示する特図１表示器８１ａ、特図２を可変表示する特図２表示器８１ｂ、及び、普図を可変表示する普図表示器８２が含まれている。また、表示器類８には、後述する特図１保留数（Ｕ１：特図１表示器８１ａによる特図１の可変表示が保留されている数）を表示する特図１保留表示器８３ａ、および後述する特図２保留数（Ｕ２：特図２表示器８１ｂによる特図２の可変表示が保留されている数）を表示する特図２保留表示器８３ｂが含まれている。
【００４０】
特図１の可変表示は、第１始動口１１への遊技球の入賞を契機に特図１抽選が行われると実行される。また、特図２の可変表示は、第２始動口１２への遊技球の入賞を契機に特図２抽選が行われると実行される。なお、以下の説明では、特図１および特図２を総称して特図といい、特図１抽選および特図２抽選を総称して特図抽選という。また、特図１表示器８１ａおよび特図２表示器８１ｂを総称して特図表示器８１という。さらに、特図１保留表示器８３ａおよび特図２保留表示器８３ｂを総称して特図保留表示器８３という。
【００４１】
特図の可変表示は、特図抽選の結果を報知する。特図の可変表示では、特図が可変表示したあと停止表示する。停止表示される特図（停止特図、可変表示の表示結果として導出表示される特別図柄）は、特図抽選によって複数種類の特図の中から選択された一つの特図である。停止特図が予め定めた特定の特図（特定の停止態様の特図すなわち大当たり図柄）である場合には、大入賞口（第１大入賞口１４及び第２大入賞口１５）を開放させる大当たり遊技（特別遊技の一例）が行われる。
【００４２】
特図表示器８１は、例えば横並びに配された８個のＬＥＤ（Ｌｉｇｈｔ  Ｅｍｉｔｔｉｎｇ  Ｄｉｏｄｅ）から構成され、その点灯態様によって特図抽選の結果に応じた特図を表示する。例えば特図抽選の結果が大当たり（後述の複数種類の大当たりのうちの一つ）である場合には、特図表示器８１は、「□□■■□□■■」（□：点灯、■：消灯）というように左から１，２，５，６番目にあるＬＥＤの点灯で構成される大当たり図柄を表示する。また、特図抽選の結果がハズレである場合には、特図表示器８１「■■■■■■■□」というように一番右にあるＬＥＤのみの点灯で構成されるハズレ図柄を表示する。なお、特図抽選の結果に対応するＬＥＤの点灯態様は限定されず、適宜に設定することができる。よって、例えば、ハズレ図柄として全てのＬＥＤを消灯させてもよい。
【００４３】
また、特図の可変表示において、特図が停止表示される前には所定の変動時間にわたって特図の可変表示がなされる。特図の可変表示の態様は、例えば左から右へ光が繰り返し流れるように各ＬＥＤが点灯する態様である。なお、特図の可変表示の態様は、特に限定されず、各ＬＥＤが停止表示（特定の態様での点灯表示）されていなければ、全ＬＥＤが一斉に点滅するなど適宜に設定してよい。
【００４４】
ところで、パチンコ遊技機ＰＹ１では、第１始動口１１または第２始動口１２への遊技球の入賞（入球）があると、特図抽選などを行うための各種乱数（数値情報や判定情報の一例）が取得されることがある。この各種乱数は、特図保留として後述の特図保留記憶部１０５に一旦記憶される。なお、以下において、第１始動口１１への遊技球の入賞（入球）により取得された各種乱数のことを「特図１関係乱数」といい、第２始動口１２への遊技球の入賞（入球）により取得された各種乱数のことを「特図２関係乱数」という。ここで、特図１関係乱数は、特図１保留として、特図保留記憶部１０５の中の特図１保留記憶部１０５ａに記憶される。一方、特図２関係乱数は、特図２保留として、特図保留記憶部１０５の中の特図２保留記憶部１０５ｂに記憶される。特図１保留記憶部１０５ａに記憶可能な特図１保留の数（特図１保留数）および特図２保留記憶部１０５ｂに記憶可能な特図２保留の数（特図２保留数）には上限（例えば４個）を設定することが可能である。なお、以下において、特図１保留と特図２保留を総称して「特図保留」といい、特図１保留数と特図２保留数を総称して「特図保留数」という。また、特図１関係乱数と特図２関係乱数とを総称して「特図関係乱数」という。
【００４５】
パチンコ遊技機ＰＹ１では、遊技球が第１始動口１１または第２始動口１２へ入賞した後すぐに特図の可変表示が行われない場合、具体的には、特図の可変表示の実行中や大当たり遊技の実行中に入賞があった場合、その入賞に対する特図の可変表示（あるいは、特図抽選の権利）を留保することができる。特図保留記憶部１０５に記憶された特図保留は、その特図保留に基づく特図の可変表示が可能となったときに消化される。すなわち、特図保留の消化とは、その特図保留に対応する特図関係乱数等を判定して、その判定結果を示すための特図の可変表示を実行することをいう。
【００４６】
そして、特図保留数は、特図保留表示器８３に表示される。特図１保留表示器８３ａと特図２保留表示器８３ｂのそれぞれは、例えば４個のＬＥＤで構成されており、特図保留数の分だけＬＥＤを点灯させることにより特図保留数を表示することが可能である。
【００４７】
また、普図の可変表示は、普図抽選の結果を報知する。普図の可変表示では、普図が可変表示したあと停止表示する。停止表示される普図（停止普図、可変表示の表示結果として導出表示される普図）は、普図抽選によって複数種類の普図の中から選択された一つの普図である。停止表示された普図が予め定めた特定の普図（所定の停止態様の普図すなわち当たり図柄）である場合には、第２始動口１２（電チュー１２Ｄ）を開放させる補助遊技が行われる。
【００４８】
普図表示器８２は、例えば２個のＬＥＤから構成されており、その点灯態様によって普図抽選の結果に応じた普図を表示する。普図抽選の結果が当たりである場合には、普図表示器８２は、「□□」（□：点灯、■：消灯）というように両ＬＥＤの点灯で構成される当たり図柄を表示する。また普図抽選の結果がハズレである場合には、「■□」というように右のＬＥＤのみの点灯で構成されるハズレ図柄を表示する。ハズレ図柄として全てのＬＥＤを消灯させる態様を採用してもよい。なお、普図抽選の結果に対応するＬＥＤの点灯態様は限定されず、適宜に設定することができる。
【００４９】
また、普図が停止表示される前には所定の変動時間にわたって普図の可変表示が行われる。普図の可変表示の態様は、例えば両ＬＥＤが交互に点灯するという態様である。なお、普図の可変表示の態様は、特に限定されず、各ＬＥＤが停止表示（特定の態様での点灯表示）されていなければ、全ＬＥＤが一斉に点滅するなど適宜に設定してもよい。
【００５０】
パチンコ遊技機ＰＹ１では、遊技球がゲート１３を通過すると、普図抽選を行うための普通図柄乱数（数値情報や判定情報の一例）が取得されることがある。この乱数は、普図の可変表示または補助遊技が実行されていないことを条件に、後述の普図保留記憶部１０６に記憶される。普図保留記憶部１０６に記憶可能な普図保留の数（普図保留数）には上限（例えば４個）を設定することが可能である。なお、以下において、遊技球がゲート１３を通過することにより取得された普通図柄乱数のことを「普図関係乱数」ともいう。
【００５１】
次に、図５を用いて、遊技盤１の背面に取り付けられた演出用ユニット１Ｕについて説明する。演出用ユニット１Ｕは、主に演出を行う複数の装置をユニット化したものである。演出用ユニット１Ｕには、画像表示装置５０、第１盤可動装置（以下「盤上可動装置」）５５、第２盤可動装置（以下「盤下可動装置」）５６が搭載されている。
【００５２】
画像表示装置５０は、例えば２０インチの３Ｄ液晶ディスプレイ，ドット表示器，７セグ表示器等で構成され、図柄等を表示可能な表示部５０ａを具備する。
【００５３】
盤上可動装置５５は、表示部５０ａよりも前方に配置され、表示部５０ａに沿って移動可能であり、装飾が施された盤上可動体５５ｋを具備する。盤下可動装置５６は、表示部５０ａよりも前方に配置され、表示部５０ａに沿って移動可能であり、装飾が施された盤下可動体５６ｋを具備する。
【００５４】
図５（Ａ）は、盤上可動体５５ｋおよび盤下可動体５６ｋが作動していない通常の待機状態で保持されている様子を概略化して表している。盤上可動装置５５の駆動源が駆動すると、盤上可動体５５ｋは下向きに移動（下降）し、盤下可動装置５６の駆動源が駆動すると、盤下可動体５６ｋは上向きに移動（上昇）する（図５（Ｂ）参照）。このとき、画像表示装置５０は下降した盤上可動体５５ｋまたは上昇した盤下可動体５６ｋに覆われ、画像表示装置５０は視認困難となる。
【００５５】
なお、遊技盤ユニットＹＵに設けられる部材や装置の位置や数は、遊技に支障をきたさない範囲で適宜に変更可能である。
【００５６】
２．遊技機の電気的構成
次に、図６〜図７に基づいて、パチンコ遊技機ＰＹ１における電気的な構成を説明する。図６〜図７に示すように、パチンコ遊技機ＰＹ１は、特図抽選、特図の可変表示、大当たり遊技、後述する遊技状態の設定、普図抽選、普図の可変表示、補助遊技などの遊技利益に関する制御（遊技の進行）を行う遊技制御基板（以下「主制御基板」）１００、主制御基板１００による遊技の進行に応じた遊技演出（特図変動演出、保留演出、大当たり遊技演出）、客待ち演出、通常ボタン４０や特殊ボタン４１の操作が有効な期間（操作有効期間）において操作を促す操作促進演出などの演出に関する制御を行う演出制御基板（以下「サブ制御基板」）１２０、および、遊技球の払い出しに関する制御などを行う払出制御基板１７０等を、遊技盤１の画像表示装置５０よりさらに背面側に備えている。主制御基板１００を、遊技の制御を行う遊技制御部と位置づけることができる。また、サブ制御基板１２０を、後述する画像制御基板１４０、ランプ制御回路１５１、および音声制御回路１６１とともに、演出の制御を行う演出制御部と位置づけることができる。なお、演出制御部は、少なくともサブ制御基板１２０を備え、演出手段（画像表示装置５０、スピーカ５２、枠ランプ５３、盤ランプ５４、および、可動装置５５，５６等）を用いた遊技演出、客待ち演出、および操作促進演出を制御可能であればよい。
【００５７】
また、パチンコ遊技機ＰＹ１は、電源基板１９０を備えている。電源基板１９０は、主制御基板１００、サブ制御基板１２０、及び払出制御基板１７０に対して電力を供給するとともに、これらの基板を介してその他の機器に対して必要な電力を供給する。電源基板１９０には、バックアップ電源回路１９２が設けられている。バックアップ電源回路１９２は、パチンコ遊技機ＰＹ１に対して電力が供給されていない場合に、後述する主制御基板１００の遊技用ＲＡＭ１０４やサブ制御基板１２０の演出用ＲＡＭ１２４に対して電力を供給する。従って、主制御基板１００の遊技用ＲＡＭ１０４やサブ制御基板１２０の演出用ＲＡＭ１２４に記憶されている情報は、パチンコ遊技機ＰＹ１の電断時であっても保持される。また、電源基板１９０には、電源スイッチ１９１が接続されている。電源スイッチ１９１のＯＮ操作またはＯＦＦ操作により、電源の投入と遮断とが切り換えられる。なお、主制御基板１００の遊技用ＲＡＭ１０４に対するバックアップ電源回路を主制御基板１００に設けたり、サブ制御基板１２０の演出用ＲＡＭ１２４に対するバックアップ電源回路をサブ制御基板１２０に設けたりしてもよい。
【００５８】
図６に示すように、主制御基板１００には、プログラムに従ってパチンコ遊技機ＰＹ１の遊技の進行を制御する遊技制御用ワンチップマイコン（以下「遊技制御用マイコン」）１０１が実装されている。遊技制御用マイコン１０１には、遊技の進行を制御するためのプログラムやテーブル等を記憶した遊技用ＲＯＭ（Ｒｅａｄ  Ｏｎｌｙ  Ｍｅｍｏｒｙ）１０３、ワークメモリとして使用される遊技用ＲＡＭ（Ｒａｎｄｏｍ  Ａｃｃｅｓｓ  Ｍｅｍｏｒｙ）１０４、および遊技用ＲＯＭ１０３に記憶されたプログラムを実行する遊技用ＣＰＵ（Ｃｅｎｔｒａｌ  Ｐｒｏｃｅｓｓｉｎｇ  Ｕｎｉｔ）１０２が含まれている。
【００５９】
遊技用ＲＯＭ１０３には、後述する主制御メイン処理やメイン側タイマ割り込み処理などを行うためのプログラムが格納されている。また、遊技用ＲＯＭ１０３には、後述する大当たり判定テーブル、大当たり図柄種別判定テーブル、リーチ判定テーブル、特図変動パターン判定テーブル、先読み判定テーブル、大当たり遊技制御テーブル、当たり判定テーブル、普図変動パターン判定テーブル、補助遊技制御テーブルなどが格納されている。なお、遊技用ＲＯＭ１０３は外付けであってもよい。また、遊技用ＲＡＭ１０４には、前述した特図保留記憶部１０５や普図保留記憶部１０６などが設けられている。
【００６０】
また、主制御基板１００には、データや信号の入出力を行うための遊技用Ｉ／Ｏ（Ｉｎｐｕｔ／Ｏｕｔｐｕｔ）ポート部１１８、および遊技用ＲＡＭ１０４に記憶されている情報を遊技用ＣＰＵ１０２にクリアさせるためのＲＡＭクリアスイッチ１１９が実装されている。
【００６１】
主制御基板１００には、所定の中継基板（図示なし）を介して各種センサ類ＭＳや各種アクチュエータ類ＭＡが接続されている。そのため、主制御基板１００には、各種センサ類ＭＳが出力した信号が入力する。また、主制御基板１００は、各種アクチュエータ類ＭＡに信号を出力する。
【００６２】
主制御基板１００に接続されている各種センサ類ＭＳには、第１始動口１１に入賞した遊技球を検知する第１始動口センサ、第２始動口１２に入賞した遊技球を検知する第２始動口センサ、一般入賞口１０に入賞した遊技球を検知する一般入賞口センサ、ゲート１３を通過した遊技球を検知するゲートセンサ、第１大入賞口１４に入賞した遊技球を検知する第１大入賞口センサ、第２大入賞口１５に入賞した遊技球を検知する第２大入賞口センサ１５ａ、特定領域１６を通過（特定領域１６に進入）した遊技球を検知する特定領域センサ１６ａ、および、非特定領域１７を通過（非特定領域１７に進入）した遊技球を検知する非特定領域センサ１７ａが含まれている。各センサは、遊技球を検知すると、その検知内容に応じた信号を主制御基板１００に出力する。なお、主制御基板１００に接続されるセンサの種類や数は、遊技に支障をきたさない範囲で適宜に変更可能である。
【００６３】
また、主制御基板１００に接続されている各種アクチュエータ類ＭＡには、電チュー１２Ｄの電チュー開閉部材１２ｋを駆動する電チューソレノイド、第１大入賞装置１４Ｄの通常ＡＴ開閉部材１４ｋを駆動する第１大入賞口ソレノイド、第２大入賞装置１５ＤのＶＡＴ開閉部材１５ｋを駆動する第２大入賞口ソレノイド、および、振分装置１６Ｄの振分部材１６ｋを駆動する振分ソレノイド１６ｓが含まれている。なお、主制御基板１００に接続されるアクチュエータの種類や数は、遊技に支障をきたさない範囲で適宜に変更可能である。
【００６４】
さらに主制御基板１００には、表示器類８（特図表示器８１、普図表示器８２、および、特図保留表示器８３）が接続されている。これらの表示器類８の表示制御は、遊技制御用マイコン１０１によりなされる。
【００６５】
また主制御基板１００は、払出制御基板１７０に各種コマンドを送信するとともに、払い出し監視のために払出制御基板１７０から信号を受信する。払出制御基板１７０には、カードユニットＣＵ（パチンコ遊技機ＰＹ１に隣接して設置され、挿入されているプリペイドカード等の情報に基づいて球貸しを可能にするもの）、および賞球払出装置７３が接続されているとともに、発射制御回路１７５を介して発射装置７２が接続されている。なお、発射装置７２には、ハンドル７２ｋ（図１参照）が含まれる。
【００６６】
払出制御基板１７０は、遊技制御用マイコン１０１からの信号や、接続されたカードユニットＣＵからの信号に基づいて、賞球払出装置７３や貸球払出装置７４を用いて、賞球の払い出しを行ったり、貸球の払い出しを行ったりする。払い出される遊技球の数は、払出制御基板１７０に出力される。
【００６７】
また、発射装置７２には、遊技者などの人のハンドル７２ｋ（図１参照）への接触を検知可能なタッチスイッチが設けられている。遊技者によるハンドル７２ｋの操作があった場合には、タッチスイッチが遊技者のハンドル７２ｋへの接触を検知し、検知信号を払出制御基板１７０に出力する。また、発射装置７２には、ハンドル７２ｋの回転角度（操作量）を検出可能な発射ボリュームつまみが接続されている。発射装置７２は、発射ボリュームつまみが検出したハンドル７２ｋの回転角度に応じた強さで遊技球が発射されるよう発射ソレノイドを駆動させる。なお、パチンコ遊技機ＰＹ１においては、ハンドル７２ｋへの回転操作が維持されている状態では、約０．６秒毎に１球の遊技球が発射されるようになっている。
【００６８】
また主制御基板１００は、遊技の進行に応じて、サブ制御基板１２０に対し、遊技に関する情報を含んだ各種コマンドを送信する。サブ制御基板１２０は、主制御基板１００から送られる各種コマンドに基づいて、主制御基板１００による遊技の進行状況（遊技の制御内容）を把握することができる。なお、主制御基板１００とサブ制御基板１２０との接続は、主制御基板１００からサブ制御基板１２０への信号の送信のみが可能な単方向通信接続となっている。すなわち、主制御基板１００とサブ制御基板１２０との間には、通信方向規制手段としての図示しない単方向性回路（例えばダイオードを用いた回路）が介在している。
【００６９】
図７に示すように、サブ制御基板１２０には、プログラムに従ってパチンコ遊技機ＰＹ１の演出を制御する演出制御用ワンチップマイコン（以下「演出制御用マイコン」）１２１が実装されている。演出制御用マイコン１２１には、主制御基板１００による遊技の進行に伴って演出を制御するためのプログラム等を記憶した演出用ＲＯＭ１２３、ワークメモリとして使用される演出用ＲＡＭ１２４、および演出用ＲＯＭ１２３に記憶されたプログラムを実行する演出用ＣＰＵ１２２が含まれている。
【００７０】
また、演出用ＲＯＭ１２３には、後述するサブ制御メイン処理、受信割り込み処理、および、サブ側タイマ割り込み処理などを行うためのプログラムが格納されている。なお、演出用ＲＯＭ１２３は外付けであってもよい。
【００７１】
また、サブ制御基板１２０には、データや信号の入出力を行うための演出用Ｉ／Ｏポート部１３８、およびＲＴＣ（Ｒｅａｌ  Ｔｉｍｅ  Ｃｌｏｃｋ）１３９が実装されている。ＲＴＣ１３９は、現時点の日時（日付及び時刻）を計測する。ＲＴＣ１３９は、パチンコ遊技機ＰＹ１に、所定の島電源供給装置（図示なし）から電力が供給されているときにはその電力によって動作し、島電源供給装置から電力が供給されていないときには、電源基板１９０が備えるバックアップ電源回路１９２から供給される電力によって動作する。このため、ＲＴＣ１３９は、パチンコ遊技機ＰＹ１の電源が投入されていないときにも現在の日時を計測することが可能である。なお、ＲＴＣ１３９に対するバックアップ電源回路をサブ制御基板１２０に設けてもよい。バックアップ電源回路には、コンデンサや内蔵電池（ボタン電池等）を含む回路を採用することができる。
【００７２】
サブ制御基板１２０には、画像制御基板１４０が接続されている。サブ制御基板１２０の演出制御用マイコン１２１は、主制御基板１００から受信したコマンドに基づいて、すなわち、主制御基板１００による遊技の進行に応じて、画像制御基板１４０の画像用ＣＰＵ１４１に画像表示装置５０の表示制御を行わせる。なお、サブ制御基板１２０と画像制御基板１４０との接続は、サブ制御基板１２０から画像制御基板１４０への信号の送信と、画像制御基板１４０からサブ制御基板１２０への信号の送信の双方が可能な双方向通信接続となっている。
【００７３】
画像制御基板１４０は、画像制御のためのプログラム等を記憶した画像用ＲＯＭ１４２、ワークメモリとして使用される画像用ＲＡＭ１４３、及び、画像用ＲＯＭ１４２に記憶されたプログラムを実行する画像用ＣＰＵ１４１を備えている。また、画像制御基板１４０は、画像表示装置５０に表示される画像のデータを記憶したＣＧＲＯＭ１４５、ＣＧＲＯＭ１４５に記憶されている画像データの展開等に使用されるＶＲＡＭ１４６、及び、ＶＤＰ（Ｖｉｄｅｏ  Ｄｉｓｐｌａｙ  Ｐｒｏｃｅｓｓｏｒ）１４４を備えている。勿論、これらの電子部品の全部又は一部がワンチップで構成されていてもよい。ＣＧＲＯＭ１４５には、例えば、画像表示装置５０に表示される画像を表示するための画像データ（静止画データや動画データ、具体的にはキャラクタ、アイテム、図形、文字、数字および記号等（演出図柄を含む）や背景画像等の画像データ）が格納されている。
【００７４】
ＶＤＰ１４４は、演出制御用マイコン１２１からの指令に基づき画像用ＣＰＵ１４１によって作成されるディスプレイリストに従って、ＣＧＲＯＭ１４５から画像データを読み出してＶＲＡＭ１４６内の展開領域に展開する。そして、展開した画像データを適宜合成してＶＲＡＭ１４６内のフレームバッファに画像を描画する。そしてフレームバッファに描画した画像をＲＧＢ信号として画像表示装置５０に出力する。これにより、種々の演出画像が表示部５０ａに表示される。
【００７５】
なお、ディスプレイリストは、フレーム単位で描画の実行を指示するためのコマンド群で構成されている。ディスプレイリストには、描画する画像の種類、画像を描画する位置、表示の優先順位、表示倍率、画像の透過率等の種々のパラメータの情報が含まれている。
【００７６】
演出制御用マイコン１２１は、主制御基板１００から受信したコマンドに基づいて、すなわち、主制御基板１００による遊技の進行に応じて、音声制御回路１６１を介してスピーカ５２から音声、楽曲、効果音等を出力する。
【００７７】
スピーカ５２から出力する音声等の音声データは、サブ制御基板１２０の演出用ＲＯＭ１２３に格納されている。なお、音声制御回路１６１を、基板にしてＣＰＵを実装してもよい。この場合、そのＣＰＵに音声制御を実行させてもよい。さらにこの場合、基板にＲＯＭを実装し、そのＲＯＭに音声データを格納してもよい。また、スピーカ５２を画像制御基板１４０に接続し、画像制御基板１４０の画像用ＣＰＵ１４１に音声制御を実行させてもよい。さらにこの場合、画像制御基板１４０の画像用ＲＯＭ１４２に音声データを格納してもよい。
【００７８】
また、サブ制御基板１２０には、所定の中継基板（図示なし）を介して、入力部となる各種スイッチ類、駆動源となる各種アクチュエータ類ＳＡ、各種ランプ類ＳＬが接続されている。サブ制御基板１２０には、各種スイッチ類が出力した信号が入力する。また、サブ制御基板１２０は、各種アクチュエータ類ＳＡに信号を出力する。また、サブ制御基板１２０は、主制御基板１００から受信したコマンドなどに基づいて、ランプ制御回路１５１を介して各種ランプ類ＳＬの点灯制御を行う。
【００７９】
サブ制御基板１２０に接続されている各種スイッチ類には、通常ボタン検出スイッチ４０ａおよび特殊ボタン検出スイッチ４１ａが含まれている。通常ボタン検出スイッチ４０ａは、通常ボタン４０が押下操作されたことを検出する。特殊ボタン検出スイッチ４１ａは、特殊ボタン４１が押下操作されたことを検出する。各検出スイッチ４０ａ，４１ａは、検出内容に応じた信号をサブ制御基板１２０に出力する。なお、サブ制御基板１２０に接続されるスイッチの種類や数は、遊技に支障をきたさない範囲で適宜に変更可能である。
【００８０】
サブ制御基板１２０に接続された各種アクチュエータ類ＳＡには、盤上可動装置５５，盤下可動装置５６，枠可動装置５８等を駆動するモータが含まれ、モータを駆動して、各可動装置に所定の動作を行わせることが可能である。詳細には演出制御用マイコン１２１は、各可動装置の動作態様を決める動作パターンデータを作成し、ランプ制御回路１５１を介して、各可動装置の動作を制御する。なお、サブ制御基板１２０に接続されるアクチュエータの種類や数は、遊技に支障をきたさない範囲で適宜に変更可能である。
【００８１】
サブ制御基板１２０に接続された各種ランプ類ＳＬには、枠ランプ５３，盤ランプ５４等が含まれ、各ランプを発光させる。詳細には演出制御用マイコン１２１は、各ランプの発光態様を決める発光パターンデータ（点灯/消灯や発光色等を決めるデータ、ランプデータともいう）を作成し、発光パターンデータに従って各ランプの発光を制御する。なお、発光パターンデータの作成にはサブ制御基板１２０の演出用ＲＯＭ１２３に格納されているデータを用いる。
【００８２】
なお、ランプ制御回路１５１を基板にしてＣＰＵを実装してもよい。この場合、そのＣＰＵに、各ランプの点灯制御、および、各可動装置の動作制御を実行させてもよい。さらにこの場合、基板にＲＯＭを実装して、そのＲＯＭに発光パターンや動作パターンに関するデータを格納してもよい。また、サブ制御基板１２０に接続されるランプの種類や数は、遊技に支障をきたさない範囲で適宜に変更可能である。
【００８３】
３．遊技機による主な遊技
次に、パチンコ遊技機ＰＹ１により行われる主な遊技について、図８〜図１５を用いて説明する。
【００８４】
３−１．普図に関わる遊技
最初に、普図に関わる遊技について説明する。パチンコ遊技機ＰＹ１は、発射された遊技球がゲート１３を通過すると、普図抽選を行う。普図抽選を行うと、普図表示器８２において、普図の可変表示（変動表示を行った後に停止表示）を行う。ここで、停止表示される普図には、当たり図柄とハズレ図柄とがある。なお、普図のハズレ図柄については、後述する特図のハズレ図柄と区別をするために「ハズレ普図」ともいう。当たり図柄が停止表示されると補助遊技が実行されて、当該ゲート１３の通過に係る遊技が終了する。一方、ハズレ普図が停止表示されると、補助遊技は行われず、当該ゲート１３の通過に係る遊技が終了する。また、以下において、普図の可変表示または補助遊技が行われていないときに遊技球がゲート１３を通過することを「普図変動始動条件の成立」という。
【００８５】
パチンコ遊技機ＰＹ１は、このような一連の遊技（普図抽選、普図の可変表示、補助遊技）を行うにあたり、普図変動始動条件の成立により、普図関係乱数を取得する。取得する普図関係乱数には、図８（Ａ）に示すように、普通図柄乱数がある。普通図柄乱数は当たり判定を行うための乱数（判定情報）である。各乱数には、適宜に範囲が設けられている。
【００８６】
３−１−１．当たり判定
当たり判定は、図９（Ａ）に示すような１または複数の当たり判定テーブルを用いて、当たりか否か（補助遊技を実行するか否か）を決定するための判定である。当たり判定テーブルは、後述する遊技状態に関連付けることが可能である。すなわち、遊技状態には非時短状態と時短状態とが含まれ、当たり判定テーブルとして、非時短状態で用いる当たり判定テーブル（非時短用当たり判定テーブル）と、時短状態で用いる当たり判定テーブル（時短用当たり判定テーブル）と、を区別することが可能である。各当たり判定テーブルでは、当たり判定の結果である当たりとハズレに、普通図柄乱数の判定値（普通図柄乱数値）が振り分けられている。よって、パチンコ遊技機ＰＹ１は、取得した普通図柄乱数を当たり判定テーブルに照合して、当たりかハズレかの当たり判定を行う。そして、当たり判定の結果に基づいて、普図の可変表示を行うための普図変動パターン判定を行う。当たり判定の結果が当たりであると、基本的には、普図の可変表示で当たり図柄が停止表示される。一方、当たり判定の結果がハズレであると、基本的には、普図の可変表示でハズレ普図が停止表示される。また、当たりの当選確率については、適宜に変更することが可能である。
【００８７】
３−１−２．普図変動
普図変動パターン判定は、図９（Ｂ）に示すような１または複数の普図変動パターン判定テーブルを用いて、普図変動パターンを決定するための判定である。普図変動パターンとは、普図変動時間などの普図の可変表示に関する所定事項に関する識別情報である。
【００８８】
普図変動パターン判定テーブルは、遊技状態に関連付けることが可能である。すなわち、普図変動パターン判定テーブルとして、非時短状態のときに用いられる普図変動パターン判定テーブル（非時短普図変動パターン判定テーブル）と、時短状態のときに用いられる普図変動パターン判定テーブル（時短普図変動パターン判定テーブル）と、を区別することが可能である。
【００８９】
各普図変動パターン判定テーブルには、普図変動パターン判定の結果である普図変動パターンが、停止される普図毎に１つ格納されている。すなわち、パチンコ遊技機ＰＹ１は、非時短状態においてと時短状態においてとで、普図変動時間を異ならせることが可能である。例えば、非時短状態においては、ハズレの普図（ハズレ普図）を停止表示する場合の普図の可変表示については普図変動時間が例えば３０秒となる普図変動パターンに決定し、当たり図柄を停止表示する場合の普図の可変表示については普図変動時間が例えば３０秒となる普図変動パターンに決定する。また、時短状態においては、ハズレ普図を停止表示する場合の普図の可変表示については普図変動時間が例えば５秒となる普図変動パターンに決定し、当たり図柄を停止表示する場合の普図の可変表示については普図変動時間が例えば５秒となる普図変動パターンに決定する。この判定で決定された普図変動パターンに対応付けられた普図変動時間の普図の可変表示が、普図表示器８２で行われる。また、これら普図変動時間については、適宜に変更することが可能である。このように、当たり判定、および、普図変動パターン判定が行われることによって、普図表示器８２において普図の可変表示が行われる。
【００９０】
３−１−３．補助遊技
補助遊技は、普図の可変表示で、表示結果（普図抽選の結果）として、当たり図柄が停止表示（導出）されると実行される。
【００９１】
補助遊技は、補助遊技を構成する要素（補助遊技構成要素）、すなわち、電チュー１２Ｄが開放する回数、および各開放についての開放時間などの様々な要素が含まれている。そして、これらの各要素は、遊技状態に対応付けられている。パチンコ遊技機ＰＹ１は、遊技状態に基づいて、図９（Ｃ）に示すような１または複数の補助遊技制御テーブルを用いて補助遊技を制御する。補助遊技制御テーブルは、遊技状態に対応付けられている。各補助遊技制御テーブルには、補助遊技構成要素が格納されている。また、これらの各要素における開放回数や開放時間については、適宜に変更することが可能である。
【００９２】
パチンコ遊技機ＰＹ１は、非時短状態における補助遊技と時短状態における補助遊技とで、電チュー１２Ｄの開放時間を異ならせることが可能である。例えば、非時短状態における補助遊技では、第１の開放時間（遊技球を電チュー１２Ｄに入賞させるのが困難な時間（例えば０．０８秒））だけ電チュー１２Ｄを開放する。なお、以下において、非時短状態における補助遊技のことを「ショート開放補助遊技」ともいう。また、時短状態における補助遊技では、第１の開放時間よりも長い第２の開放時間（遊技球を電チュー１２Ｄに入賞させるのが容易な時間（例えば３．００秒））だけ電チュー１２Ｄを開放する。なお、以下において、時短状態における補助遊技のことを「ロング開放補助遊技」ともいう。
【００９３】
３−２．特図に関わる遊技
次に、特図に関わる遊技について説明する。パチンコ遊技機ＰＹ１は、発射された遊技球が第１始動口１１に入賞すると、特図１抽選を行う。特図１抽選が行われると、特図１表示器８１ａにおいて、特図１の可変表示（変動表示を行った後に停止表示）を行って、特図１抽選の結果を報知する。ここで、停止表示される特図１には、大当たり図柄およびハズレ図柄がある。すなわち、特図１抽選の結果には大当たり、およびハズレがある。大当たり図柄が停止表示されると大当たり遊技が実行され、新たな遊技状態が設定されて、当該入賞に基づく遊技が終了する。一方、ハズレ図柄が停止表示されると、大当たり遊技が行われず、当該入賞に基づく遊技が終了する。
【００９４】
同様に、パチンコ遊技機ＰＹ１は、発射された遊技球が第２始動口１２に入賞すると、特図２抽選を行う。特図２抽選が行われると、特図２表示器８１ｂにおいて、特図２の可変表示（変動表示を行った後に停止表示）を行って、特図２抽選の結果を報知する。ここで、停止表示される特図２には、大当たり図柄、およびハズレ図柄がある。すなわち、特図２抽選の結果には、大当たり、およびハズレがある。大当たり図柄が停止表示されると大当たり遊技が実行され、新たな遊技状態が設定されて、当該入賞に基づく遊技が終了する。一方、ハズレ図柄が停止表示されると大当たり遊技が行われず、当該入賞に基づく遊技が終了する。
【００９５】
なお、以下において、第１始動口１１に遊技球が入賞することを「第１始動条件の成立」といい、第２始動口１２に遊技球が入賞することを「第２始動条件の成立」という。また、「第１始動条件の成立」と「第２始動条件の成立」をまとめて「始動条件の成立」と総称する。また、特別図柄のハズレ図柄については、前述の普図のハズレ図柄と区別するために「ハズレ特図」ともいう。
【００９６】
パチンコ遊技機ＰＹ１は、このような一連の遊技（特図抽選、特図の可変表示、大当たり遊技、遊技状態の設定）を行うにあたり、始動条件の成立により、特図関係乱数を取得し、当該乱数について種々の判定を行う。取得する特図関係乱数には、図８（Ｂ）に示すように、特別図柄乱数（大当たり乱数）、大当たり図柄種別乱数、リーチ乱数および特図変動パターン乱数がある。特別図柄乱数は大当たり判定を行うための乱数である。大当たり図柄種別乱数は大当たり図柄種別判定を行うための乱数である。リーチ乱数はリーチ判定を行うための乱数である。特図変動パターン乱数は特別図柄の変動パターン判定を行うための乱数である。各乱数には、適宜に範囲が設けられている。なお、乱数を判定情報と言うこともある。
【００９７】
３−２−１．大当たり判定
大当たり判定は、図１０（Ａ）に示すような１または複数の大当たり判定テーブルを用いて、大当たりか否か（大当たり遊技を実行するか否か）を決定するための判定である。遊技状態には、通常確率状態と高確率状態とが含まれ、大当たり判定テーブルは、通常確率状態であるか高確率状態であるかに関連付けられている。すなわち、大当たり判定テーブルとして、通常確率状態において用いられる大当たり判定テーブル（通常確率用大当たり判定テーブル）と、高確率状態において用いられる大当たり判定テーブル（高確率用大当たり判定テーブル）と、を区別することが可能である。
【００９８】
各大当たり判定テーブルでは、大当たり判定の結果である大当たり、およびハズレに、特別図柄乱数の判定値（特別図柄乱数値）が振り分けられている。パチンコ遊技機ＰＹ１は、取得した特別図柄乱数を大当たり判定テーブルに照合して、大当たり、またはハズレの何れであるかを判定する。図１０（Ａ）に示すように、高確率用大当たり判定テーブルの方が、通常確率用大当たり判定テーブルよりも、大当たりと判定される特別図柄乱数判定値が多く設定されている。また、大当たりの当選確率については、適宜に変更することが可能である。
【００９９】
３−２−２．大当たり図柄種別判定
大当たり図柄種別判定は、大当たり判定の結果が大当たりである場合に、図１０（Ｂ）に示すような１または複数の大当たり図柄種別判定テーブルを用いて大当たり図柄の種別（大当たり図柄種別）を決定するための判定である。大当たり図柄の種別毎に、大当たりの内容、換言すれば、遊技者に付与される遊技特典などで構成される大当たりの構成要素を対応付けることが可能である。
【０１００】
大当たり図柄種別判定テーブルは、可変表示される特別図柄の種別、言い換えれば、当該大当たり図柄種別判定が起因する（当該大当たり図柄種別判定を発生させた）入賞が行われた始動口の種別に関連付けることが可能である。すなわち、大当たり図柄種別判定テーブルとして、特図１の可変表示を行うときに用いられる大当たり図柄種別判定テーブル（第１大当たり図柄種別判定テーブル）と、特図２の可変表示を行うときに用いられる大当たり図柄種別判定テーブル（第２大当たり図柄種別判定テーブル）と、を区別することが可能である。
【０１０１】
大当たり図柄には複数種類の種別があり、各大当たり図柄種別判定テーブルでは、大当たり図柄種別判定の結果である大当たり図柄種別に、大当たり図柄種別乱数の判定値（大当たり図柄種別乱数値）が振り分けられている。よって、パチンコ遊技機ＰＹ１は、取得した大当たり図柄種別乱数を大当たり図柄種別判定テーブルに照合して、大当たり図柄の種別を判定する。そして、第１大当たり図柄種別判定テーブルおよび第２大当たり図柄種別判定テーブルでは、大当たり図柄種別乱数値が各種大当たり図柄に適宜に振り分けられている。また、大当たり図柄種別の振分率については、適宜に変更することが可能である。また、大当たり図柄の種別については、適宜に増加したり減少したりすることが可能である。
【０１０２】
例えば、図１０（Ｂ）に示すように、特図１についての大当たり図柄種別判定による大当たり図柄種別の振分率を、大当たり図柄Ｘが５０％、大当たり図柄Ｙが５０％にし、特図２についての大当たり図柄種別判定による大当たり図柄種別の振分率を、大当たり図柄Ｚが１００％にすることが可能である。このように、第１始動口１１に遊技球が入賞して行われる特図１抽選と、第２始動口１２に遊技球が入賞して行われる特図２抽選とで、大当たり図柄種別の振分率を異ならせることが可能である。
【０１０３】
３−２−３．リーチ判定
リーチ判定は、大当たり判定の結果がハズレである場合に、図１０（Ｃ）に示すような１または複数のリーチ判定テーブルを用いて、後述する特図変動演出でリーチを発生させるか否かを決定するための判定である。
【０１０４】
リーチ判定テーブルは、遊技状態に関連付けることが可能である。すなわち、リーチ判定テーブルとして、非時短状態のときに用いられるリーチ判定テーブル（非時短用リーチ判定テーブル）と、時短状態のときに用いられるリーチ判定テーブル（時短用リーチ判定テーブル）と、を区別することが可能である。
【０１０５】
各リーチ判定テーブルでは、リーチ判定の結果である「リーチ有り（リーチを発生させる）」と「リーチ無し（リーチを発生させない）」に、リーチ乱数の判定値（リーチ乱数値）が振り分けられている。よって、パチンコ遊技機ＰＹ１は、取得したリーチ乱数をリーチ判定テーブルに照合して、リーチ有りかリーチ無しか（リーチを発生させる否か）を判定する。図１０（Ｃ）に示すように、非時短用リーチ判定テーブルと時短用リーチ判定テーブルとで、「リーチ有り（リーチを発生させる）」と判定されるリーチ乱数値の数を異ならせることが可能である。なお、以下において、大当たり判定の結果が「ハズレ」であることを前提に行われる「リーチ有り（リーチを発生させる）」のことを「リーチ有りハズレ」といい、「リーチ無し（リーチを発生させない）」のことを「リーチ無しハズレ」ということもある。
【０１０６】
３−２−４．特図変動
特図変動パターン判定は、図１１〜図１２に示すような１または複数の特別図柄の変動パターン判定テーブル（特図変動パターン判定テーブル）を用いて、特図の可変表示の変動パターン（特図変動パターン）を決定するための判定であり、大当たり判定の結果が大当たり、およびハズレの何れの場合にも行われる。特図変動パターンとは、特図変動時間や後述する特図変動演出の演出フロー（演出内容）などに関する所定事項を識別するための識別情報である。なお、特図変動パターンには、特図変動時間や特図変動演出の演出フロー（演出内容）の他、大当たり判定の結果とリーチ判定の結果に関する識別情報を含ませることが可能である。特図変動パターンとして、それぞれ識別情報が異なる複数種類の特図変動パターンを用いることが可能であり、その数は適宜に変更することが可能である。
【０１０７】
特図変動パターン判定テーブルは、判定対象となる可変表示を行う特別図柄の種別、言い換えれば、当該特図変動パターン判定が起因する入賞が行われた始動口の種別に関連付けることが可能である。すなわち、特図変動パターン判定テーブルとして、特図１の可変表示を行うときに用いられる特図変動パターン判定テーブル（特図１変動パターン判定テーブル：図１１）と、特図２の可変表示を行うときに用いられる特図変動パターン判定テーブル（特図２変動パターン判定テーブル：図１２）と、を区別することが可能である。
【０１０８】
そして、各特図変動パターン判定テーブルは、遊技状態にも関連付けることが可能である。すなわち、特図１変動パターン判定テーブルとして、非時短状態のときに用いられる特図１変動パターン判定テーブル（非時短用特図１変動パターン判定テーブル）と、時短状態のときに用いられる特図１変動パターン判定テーブル（時短用特図１変動パターン判定テーブル）と、を区別することが可能である。一方、特図２変動パターン判定テーブルについても同様に、非時短状態のときに用いられる特図２変動パターン判定テーブル（非時短用特図２変動パターン判定テーブル）と、時短状態のときに用いられる特図２変動パターン判定テーブル（時短用特図２変動パターン判定テーブル）と、を区別することが可能である。
【０１０９】
また、遊技状態に関連付けられた各特図変動パターン判定テーブルは、さらに、大当たり判定結果、大当たり図柄種別判定結果またはリーチ判定結果にも関連付けることが可能である。すなわち、非時短用特図１変動パターン判定テーブルおよび非時短用特図２変動パターン判定テーブルにはそれぞれ、大当たり用（大当たり図柄種別ごと）、リーチ有りハズレ用、およびリーチ無しハズレ用などがある。同様に、時短用特図１変動パターン判定テーブルおよび時短用特図２変動パターン判定テーブルにもそれぞれ、大当たり用（大当たり図柄種別ごと）、リーチ有りハズレ用、およびリーチ無しハズレ用などがある。
【０１１０】
さらに、各リーチ無しハズレ用の特図１変動パターン判定テーブルは、特図保留数にも関連付けることが可能である。例えば、特図１保留数（Ｕ１）が０〜２のときに用いられるリーチ無しハズレ用の特図１変動パターン判定テーブルと、特図１保留数（Ｕ１）が３〜４のときに用いられるリーチ無しハズレ用の特図１変動パターン判定テーブルと、を区別することが可能である。また、各リーチ無しハズレ用の特図２変動パターン判定テーブルは、特図保留数にも関連付けることが可能である。例えば、特図２保留数（Ｕ２）が０〜２のときに用いられるリーチ無しハズレ用の特図２変動パターン判定テーブルと、特図２保留数（Ｕ２）が３〜４のときに用いられるリーチ無しハズレ用の特図２変動パターン判定テーブルと、を区別することが可能である。
【０１１１】
そして、各特図変動パターン判定で決定された特図変動パターンに応じた特図変動時間の特図の可変表示が、特図表示器８１で行われる。そして、特図の可変表示で、表示結果（特図抽選の結果）として、大当たり図柄が停止表示されると、即座に次の特図の可変表示が行われず、引き続いて、大当たり遊技が実行される。
【０１１２】
また、各特図変動パターンには、図１１〜図１２の表の右から２番目の欄に示すような特図変動演出の演出フローに関連付けることが可能である。
【０１１３】
なお、図１１〜図１２の表の一番右の欄に示すように、特図変動パターンについて、特図（大当たり判定結果）および特図変動演出の演出内容などに関連付けて名称を付すことがある。例えば、大当たりに係る特図変動パターンのことを「大当たり変動」という。一方、リーチ有りハズレの中で、リーチの一種であるＳＰリーチが行われる特図変動パターンのことを「ＳＰハズレ変動」、リーチ有りハズレの中で、リーチの一種であるＬリーチが行われる特図変動パターンのことを「Ｌハズレ変動」、リーチ有りハズレの中で、リーチの一種であるＮリーチで特図変動演出が終わる特図変動パターンのことを「Ｎハズレ変動」、リーチ無しハズレに係る特図変動パターンのことを「通常ハズレ変動」という。
【０１１４】
３−２−５．先読み判定
パチンコ遊技機ＰＹ１は、取得した特図関係乱数に基づいて、図１３に示すような１または複数の先読み判定テーブルを用いて先読み判定を行う。先読み判定には、例えば、特別図柄乱数が大当たり判定で大当たりと判定されるか否かの判定、大当たり図柄種別乱数が大当たり図柄種別判定で何れの大当たり図柄の種別に決定されるかの判定、特図変動パターン乱数が特図変動パターン判定で何れの特図変動パターンに決定されるかの判定、などがある。先読み判定テーブルは、その始動入賞に係る始動口の種別に関連付けることが可能である。すなわち、先読み判定テーブルとして、第１始動口１１に入賞した場合の先読み判定テーブル（第１先読み判定テーブル）と、第２始動口１２に入賞した場合の先読み判定テーブル（第２先読み判定テーブル）と、を区別することが可能である。
【０１１５】
また、先読み判定テーブルは、遊技状態にも関連付けることが可能である。すなわち、先読み判定テーブルとして、非時短状態のときに用いられる先読み判定テーブル（非時短用先読み判定テーブル）と、時短状態のときに用いられる先読み判定テーブル（時短用先読み判定テーブル）と、を区別することが可能である。
【０１１６】
つまり、先読み判定テーブルには、非時短状態のときに用いられる第１先読み判定テーブルと、時短状態のときに用いられる第１先読み判定テーブルと、非時短状態のときに用いられる第２先読み判定テーブルと、時短状態のときに用いられる第２先読み判定テーブルと、を区別することが可能である。なお、先読み判定にどのような判定を含ませるかは適宜に変更可能である。
【０１１７】
３−３．大当たり遊技
次に、大当たり遊技について説明する。大当たり遊技は、大入賞口（第１大入賞口１４または第２大入賞口１５）の開閉を伴う複数回のラウンド遊技と、大当たり遊技が開始してから初回のラウンド遊技が開始されるまでのオープニング（ＯＰとも表記する）と、最終回のラウンド遊技が終了してから大当たり遊技が終了するまでのエンディング（ＥＤとも表記する）とを含んでいる。各ラウンド遊技は、オープニングの終了又は前のラウンド遊技の終了によって開始し、次のラウンド遊技の開始又はエンディングの開始によって終了する。また、ＯＰやＥＤを設けないようすることが可能である。なお、以下において、所定回数目（所定の順番）のラウンド遊技を、単に「ラウンド」という。例えば、初回（１回目）のラウンド遊技のことを「１ラウンド（１Ｒ）」といい、１０回目のラウンド遊技のことを「１０ラウンド（１０Ｒ）」という。
【０１１８】
このような大当たり遊技を構成する要素（大当たり遊技構成要素）には、ラウンド遊技の回数、各回のラウンド遊技における大入賞口（第１大入賞口１４または第２大入賞口１５）の開放回数、各開放が行われる大入賞口の種別および開放時間（開放パターン）、次回の開放まで閉鎖させる時間（閉鎖時間）、オープニングの時間（オープニング時間）、およびエンディングの時間（エンディング時間）などが含まれている。パチンコ遊技機ＰＹ１は、特図の停止表示後、図１４に示すような１または複数の大当たり遊技制御テーブルを用いて大当たり遊技を制御する。大当たり遊技制御テーブルには、大当たり遊技毎に大当たり遊技構成要素が格納されている。大当たり遊技として、１種類又は複数種類の大当たり遊技を制御することが可能である。
【０１１９】
例えば、図１４に示すように、１Ｒから１５Ｒまでは、最大で２９．５秒にわたって第１大入賞口１４が開放するラウンド遊技、または、最大で０．１秒にわたって第１大入賞口１４が開放するラウンド遊技、が行われる。そして、１６Ｒ（最終ラウンド）では、最大で２９．５秒にわたって第２大入賞口１５が開放するラウンド遊技、または、最大で０．１秒にわたって第２大入賞口１５が開放するラウンド遊技、が行われる。また、各ラウンド遊技では、予め定めた所定個数（例えば１０個）の遊技球が大入賞口センサに検知されると、大入賞口１４，１５の最大開放時間が経過する前であっても、ラウンド遊技を終了させる。
【０１２０】
また、各要素における回数や時間については、適宜に変更することが可能である。また、大当たり遊技を、第１大入賞口１４および第２大入賞口１５の両方を用いて行うことも一方だけを用いて行うことも可能である。
【０１２１】
ここで、特定領域１６について詳細に説明する。特定領域１６は、振分部材１６ｋによって、入賞不可能な閉状態と、入賞可能な開状態とをとるので、振分部材１６ｋの作動態様は、特定領域１６の開閉態様ということができる。以下において、振分部材１６ｋの作動態様のことを「特定領域１６の開閉態様」ともいう。このように、振分部材１６ｋが一定の作動態様（特定領域１６が一定の開閉態様）で制御されるが、振分部材１６ｋの一定の作動態様（特定領域１６の一定の開閉態様）と、大当たり遊技における第２大入賞口１５の開閉態様との組み合わせで、大当たり遊技において遊技球を特定領域１６に進入させることの困難性（容易性）が設定されることになる。なお、以下において、特定領域１６が開状態にあることを「Ｖ開放」ともいう。
【０１２２】
第２大入賞口の開放が開始してから１５秒間、振分ソレノイド１６ｓが通電され、振分部材１６ｋが第２状態（図３（Ｂ））に制御される。よって、最大で２９．５秒にわたって第２大入賞口１５が開放するラウンド遊技では、第２大入賞口１５の開放時間およびタイミングと、振分部材１６ｋの第２状態に制御されている時間およびタイミングとの関係から、遊技球が特定領域１６を通過する（遊技球を特定領域１６に進入させる）ことが容易である。一方、最大で０．１秒にわたって第２大入賞口１５が開放するラウンド遊技では、第２大入賞口１５の開放時間およびタイミングと、振分部材１６ｋの第２状態に制御されている時間およびタイミングとの関係から、遊技球が特定領域１６を通過する（遊技球を特定領域１６に進入させる）ことはほぼ不可能（困難）である。このように、大当たり遊技には、当該大当たり遊技中に、遊技球の特定領域１６の通過（以下、「Ｖ通過」ともいう）が容易な第１開放パターン（Ｖロング開放パターン）でＶＡＴ開閉部材１５ｋ及び振分部材１６ｋが作動する大当たり遊技と、遊技球の特定領域１６の通過が不可能又は困難な第２開放パターン（Ｖショート開放パターン）でＶＡＴ開閉部材１５ｋ及び振分部材１６ｋが作動する大当たり遊技と、を実行することが可能である。このように、Ｖロング開放パターンでＶＡＴ開閉部材１５ｋ及び振分部材１６ｋが作動する大当たり遊技を「Ｖロング大当たり」という。一方、Ｖショート開放パターンでＶＡＴ開閉部材１５ｋ及び振分部材１６ｋが作動する大当たり遊技を「Ｖショート大当たり」という。
【０１２３】
３−４．遊技状態
次に、遊技状態について説明する。パチンコ遊技機ＰＹ１は、図１５に示すように、「低確率低ベース遊技状態」、「低確率高ベース遊技状態」、「高確率低ベース遊技状態」、「高確率高ベース遊技状態」および「大当たり遊技状態」の何れかの遊技状態にすることが可能である。なお、「低確率低ベース遊技状態」を「低確低ベース状態」と、「低確率高ベース遊技状態」を「低確高ベース状態」と、「高確率低ベース遊技状態」を「高確低ベース状態」と、「高確率高ベース遊技状態」を「高確高ベース状態」と、それぞれ略称することができる。遊技状態を構成する状態として、大当たり判定において「大当たり」と判定される確率に係る状態と、電チュー１２Ｄの開放の容易性に係る状態とがある。前者としては、通常確率状態と高確率状態とがある。一方、後者としては非時短状態と時短状態とがある。
【０１２４】
通常確率状態は、「低確率低ベース遊技状態」または「低確率高ベース遊技状態」において設定され、大当たり判定で大当たりと判定される確率が通常の確率である状態である。高確率状態は、「高確率低ベース遊技状態」または「高確率高ベース遊技状態」において設定され、大当たり判定で大当たりと判定される確率が通常確率より高い高確率である状態である。従って、高確率状態は通常確率状態よりも遊技者に有利な状態であると言える。パチンコ遊技機ＰＹ１で初めて電源投入されたときには通常確率状態が設定される。そして、大当たりに当選することによって通常確率状態から高確率状態に切り替えることが可能になる。例えば、大当たり遊技において遊技球が特定領域１６を通過することによって高確率状態に切り替えることが可能である。また、大当たり図柄の種別によって高確率状態に切り替えることも可能である。高確率状態は、大当たりに当選することなく所定回数の大当たり判定が行われることや、次回の大当たりに当選することで、高確率状態から通常確率状態に切り替えることが可能である。
【０１２５】
非時短状態は、「低確率低ベース遊技状態」、「高確率低ベース遊技状態」または「大当たり遊技状態」において設定される。時短状態は、「低確率高ベース遊技状態」または「高確率高ベース遊技状態」において設定され、非時短状態に比べて、１回の補助遊技における電チュー１２Ｄの開放時間が長くなり易い遊技状態である。例えば、時短状態においては、非時短状態における電チュー１２Ｄの開放時間（例えば０．０８秒）よりも長い開放時間（例えば３．００秒）となる。また、時短状態では、特図変動時間の短い特図変動パターンが選択されることが非時短状態よりも多くなるように定められた特図変動パターン判定テーブルを用いて、特図変動パターン判定が行われるようにすることも可能である（図１１〜図１２参照）。その結果、時短状態では、特図保留の消化のペースが速くなり、始動口への有効な入賞（特図保留として記憶され得る入賞）が発生しやすくなる。そのため、スムーズな遊技の進行のもとで大当たりを狙うことができる。
【０１２６】
また、時短状態は、非時短状態に比べて、普図変動時間が短くなり易くすることが可能である。例えば、時短状態においては、非時短状態において決定される普図変動時間（３０秒）よりも短い普図変動時間（５秒）が決定される。よって、時短状態の方が、単位時間当たりにおける普図抽選の実行回数が多い。
【０１２７】
また、時短状態は、非時短状態に比べて、当たり判定で当たりと判定され易くすることが可能である。例えば、時短状態では、非時短状態で当たりと判定される確率（例えば６６００／６５５３６）よりも高い確率（例えば５９９３６／６５５３６）で当たりと判定される。よって、時短状態の方が、単位時間当たりにおいて当たり判定で当たりと判定される回数が多い。
【０１２８】
このように時短状態では、非時短状態に比して、単位時間当たりの電チュー１２Ｄの開放時間が長くなり、第２始動口１２へ遊技球が頻繁に入賞し易くなる。その結果、発射球数に対する賞球数の割合であるベースが高くなる。そのため、ベースの高い時短状態では、所持する遊技球を大きく減らすことなく大当たり当選を狙うことができる。従って、時短状態は非時短状態よりも遊技者に有利な状態であると言える。
【０１２９】
パチンコ遊技機ＰＹ１で初めて電源投入されたときには非時短状態が設定される。そして、例えば、大当たりに当選することによって時短状態が設定可能になる。時短状態は、大当たりに当選することなく所定回数の大当たり判定が行われることや、次回の大当たりに当選することで、時短状態から非時短状態に変更することが可能である。
【０１３０】
なお、時短状態では、非時短状態に比して、当たりに当選し易く、普図変動時間が短くなり易く、且つ、１回の補助遊技における電チュー１２Ｄの開放時間が長くなり易い。普図に係る遊技について３つの点で、遊技者に有利に設定されている。しかし、この遊技者に有利に設定されている点はこれらの中の一部であってもよい。
【０１３１】
なお、パチンコ遊技機ＰＹ１で初めて電源投入された後の遊技状態は、通常確率状態且つ非時短状態が設定される「低確率低ベース遊技状態」である。この遊技状態を「通常遊技状態」ともいう。なお、「大当たり遊技状態」では、当たり判定は行われるが大当たり判定は行われないため、大当たり遊技の開始に伴って、非時短状態が設定される。また、遊技状態については、前述した遊技状態の全てを用いることも一部だけを用いることも可能である。
【０１３２】
４．遊技機による主な演出
次に、パチンコ遊技機ＰＹ１により行われる主な演出について、図１６〜図２２を用いて説明する。
【０１３３】
４−１．演出モード
最初に、演出モードについて説明する。演出モードは、演出の区分（あるいは、上位概念的な属性）のことである。パチンコ遊技機ＰＹ１は、演出モードとして、客待ち演出モード、通常演出モードと、確変演出モード、時短演出モードおよび大当たり演出モードを設定することが可能である。
【０１３４】
客待ち演出モードは、「低確率低ベース遊技状態」、「低確率高ベース遊技状態」、「高確率低ベース遊技状態」および「高確率高ベース遊技状態」において特図変動演出が行われていないときに設定可能であり、特図変動演出が行われていない待機状態であることを示す演出モードである。客待ち演出モードが設定されているときに客待ち演出が行われる。客待ち演出では、例えば、図１６（Ａ−１）に示すように、表示部５０ａにおいてパチンコ遊技機ＰＹ１を紹介する客待ちデモ動画Ｇ１００が表示される。また、客待ちデモ動画Ｇ１００が表示されているときに通常ボタン４０が操作されると、図１６（Ａ−２）に示すように、パチンコ遊技機ＰＹ１の演出に関する設定を行うための設定画面Ｇ１０１が表示される。演出に関する設定には、スピーカ５２から出力される音の音量設定、表示部５０ａの輝度設定（「光量設定」）、実行される演出の頻度設定（「演出設定」）などがある。
【０１３５】
通常演出モードは、「低確率低ベース遊技状態」または「高確率低ベース遊技状態」において特図変動演出が行われているときに設定可能であり、非時短状態であることを示す演出モードである。通常演出モードには、例えば、図１６（Ｂ−１）に示すように、表示部５０ａにおいて昼間の山の景色を表す背景画像（昼間通常用背景画像Ｇ１０２）が表示される第１通常演出モードと、図１６（Ｂ−２）に示すように、表示部５０ａにおいて夕方の山の景色を表す背景画像（夕方通常用背景画像Ｇ１０３）が表示される第２通常演出モードと、図１６（Ｂ−３）に示すように、表示部５０ａにおいて夜間の山の景色を表す背景画像（夜間通常用背景画像Ｇ１０４）が表示される第３通常演出モードと、があり、大当たりに当選することなく１回または複数回の特図変動演出が行われることを１つの条件として切り替えられる。さらに、第１〜第３通常演出モードのそれぞれには、特図変動演出において、リーチが成立する前の通常前段演出モードと、リーチが成立した後の通常後段演出モードと、がある。通常前段演出モードでは、表示部５０ａにおいて、昼間通常用背景画像Ｇ１０２、夕方通常用背景画像Ｇ１０３および夜間通常用背景画像Ｇ１０４の何れかが表示されるが、通常後段演出モードでは、リーチの種類に応じた専用の背景画像が表示される。また、「高確率低ベース遊技状態」においてのみ設定される特殊演出モードを設けても良い。
【０１３６】
確変演出モードは、「高確率高ベース遊技状態」において特図変動演出が行われているときに設定可能な演出モードであり、高確率状態且つ時短状態であることを示す演出モードである。確変演出モードでは、例えば、図１６（Ｂ−４）に示すように、表示部５０ａにおいて宇宙を表す背景画像（確変用背景画像Ｇ１０５）が表示される。さらに、確変演出モードには、特図変動演出において、リーチが成立する前の確変前段演出モードと、リーチが成立した後の確変後段演出モードと、がある。確変前段演出モードでは、表示部５０ａにおいて、確変用背景画像Ｇ１０５が表示されるが、確変後段演出モードでは、リーチの種類に応じた専用の背景画像が表示される。
【０１３７】
時短演出モードは、「低確率高ベース遊技状態」において特図変動演出が行われているときに設定可能な演出モードであり、通常確率状態且つ時短状態であることを示す演出モードである。時短演出モードでは、例えば、図１６（Ｂ−５）に示すように、表示部５０ａにおいて空を表す背景画像（時短用背景画像Ｇ１０６）が表示される。さらに、時短演出モードには、特図変動演出において、リーチが成立する前の時短前段演出モードと、リーチが成立した後の時短後段演出モードと、がある。時短前段演出モードでは、表示部５０ａにおいて、時短用背景画像Ｇ１０６が表示されるが、時短後段演出モードでは、リーチの種類に応じた専用の背景画像が表示される。
【０１３８】
大当たり演出モードは、「大当たり遊技状態」において大当たり遊技が行われているときに設定可能な演出モードであり、大当たり遊技が行われていることを示す演出モードである。大当たり演出モードでは、例えば、大当たり遊技におけるオープニング中には、図１６（Ｃ−１）に示すように、表示部５０ａにおいて、大当たり遊技の開始を示唆するオープニング画像Ｇ１０７や「右打ち」を促す右打ち画像Ｇ１０８が表示される大当たりオープニング演出が行われる。大当たり遊技におけるラウンド中には、図１６（Ｃ−２）に示すように、表示部５０ａにおいて、ラウンド数を示すラウンド画像Ｇ１０９や払い出された賞球数を示唆する賞球数画像Ｇ１１０が表示されるラウンド演出が行われる。大当たり遊技におけるエンディング中には、図１６（Ｃ−３）に示すように、表示部５０ａにおいて、大当たり遊技後に設定される演出モードを示唆するエンディング画像Ｇ１１１や払い出された総賞球数を示唆する総賞球数画像Ｇ１１２が表示される大当たりエンディング演出が行われる。
【０１３９】
なお、演出モードの種類については、適宜に変更または追加することが可能である。
【０１４０】
４−２．特図変動演出
次に、特図変動演出（単に「変動演出」とも言う）について説明する。パチンコ遊技機ＰＹ１は、特図の可変表示が開始されると、特図の可変表示に係る特図変動パターンおよび特図抽選結果（大当たり判定結果、大当たり図柄種別判定結果、リーチ判定結果、および、特図変動パターン判定結果）などに基づいて、特図変動演出を実行する。特図変動演出では、表示部５０ａにおいて、所定の背景画像に重畳的に、演出図柄の変動表示が行われる。演出図柄は、例えば１〜９の数字図柄で構成され、演出図柄の変動表示では、特図の可変表示の開始に伴って演出図柄が変動し、特図の可変表示の終了に伴って演出図柄が停止する。すなわち、特図変動時間、演出図柄の変動表示が行われた後に、当該変動が停止して、演出図柄の停止表示が行われる。そして、演出図柄の停止表示によって特図抽選の結果が報知される。
【０１４１】
なお、特図変動演出では、演出図柄の変動表示以外に、画像表示装置５０、スピーカ５２、枠ランプ５３、盤ランプ５４、可動装置５５，５６，５８、通常ボタン４０、特殊ボタン４１などの様々な演出装置を用いた他の演出を行うことが可能である。この場合、演出図柄の停止表示後も、他の演出を継続して行うことが可能である。
【０１４２】
４−２−１．演出図柄表示領域
画像表示装置５０の表示部５０ａには、図１７（Ａ）に示すように、表示部５０ａを水平方向に３つに略均等に分けた左側、中央および右側それぞれに、左演出図柄領域５０ｂ１、中演出図柄領域５０ｂ２、および右演出図柄領域５０ｂ３を設けることが可能である。左演出図柄領域５０ｂ１は、特図変動演出における演出図柄の停止表示のときに、左演出図柄ＥＺ１を表示する領域である。同様に、中演出図柄領域５０ｂ２および右演出図柄領域５０ｂ３は、中演出図柄ＥＺ２および右演出図柄ＥＺ３を表示する領域である。
【０１４３】
また、図１７（Ａ）に示すように、表示部５０ａの上端部の左端（左上隅）の一区画に、小図柄領域５０ｃを設けることが可能である。小図柄領域５０ｃは、特図の可変表示が行われているときに小図柄ＫＺ１，ＫＺ２，ＫＺ３を変動表示する領域である。小図柄ＫＺ１，ＫＺ２，ＫＺ３は、例えば、１〜９の数字図柄で構成される。
【０１４４】
なお、図１７（Ａ）において、左演出図柄領域５０ｂ１、中演出図柄領域５０ｂ２、右演出図柄領域５０ｂ３、および小図柄領域５０ｃは二点鎖線で明示されているが、これは左演出図柄領域５０ｂ１、中演出図柄領域５０ｂ２、右演出図柄領域５０ｂ３、および小図柄領域５０ｃの範囲を表すために記載したものであり、実際には表示されていない。
【０１４５】
４−２−２．通常変動
パチンコ遊技機ＰＹ１は、特図変動演出において、先ず通常変動を行うことが可能である。通常変動は、特図の可変表示が開始されたことを示唆する演出として機能する。
【０１４６】
特図の可変表示が開始されると、例えば、図１７（Ａ）に示すように、表示部５０ａにおいて、左演出図柄ＥＺ１、中演出図柄ＥＺ２および右演出図柄ＥＺ３が停止表示されていると共に、左小図柄ＫＺ１、中小図柄ＫＺ２および右小図柄ＫＺ３が停止表示されており、特図の可変表示が行われておらず、特図の可変表示を待機している状態から、図１７（Ｂ）に示すように、その開始に伴って演出図柄ＥＺ１，ＥＺ２，ＥＺ３の変動表示が開始されると共に、小図柄ＫＺ１，ＫＺ２，ＫＺ３の変動表示が開始される。なお、図１７中の「↓」は、図柄の変動表示中であることを示している。そして、この特図の可変表示の特図変動パターンが、例えば「通常ハズレ変動」の場合には、図１７（Ｃ−１）に示すように、左演出図柄ＥＺ１と右演出図柄ＥＺ３とが異なる停止態様で仮停止してから、図１７（Ｄ）に示すように、ハズレを示唆する停止態様（所謂バラケ目）で演出図柄ＥＺ１，ＥＺ２，ＥＺ３が停止表示する。このとき、小図柄ＫＺ１，ＫＺ２，ＫＺ３もハズレを示唆する停止態様で一斉に停止表示する。ハズレを示唆する停止態様には、「１・１・２」や「２・４・６」など、左右の図柄が同一ではない停止態様が複数種類ある。一方、特図の可変表示の特図変動パターンが、例えば「Ｎハズレ変動」などのリーチ有りの特図変動パターンの場合には、図１７（Ｃ−２）に示すように、左演出図柄ＥＺ１と右演出図柄ＥＺ３とが同じ停止態様（所謂リーチ目）で仮停止して、リーチが成立する。このとき、小図柄ＫＺ１，ＫＺ２，ＫＺ３の変動表示は継続して行われ、特図変動パターンに応じたリーチ演出が行われる。なお、演出図柄ＥＺ１，ＥＺ２，ＥＺ３の停止順序や停止態様は、適宜に変更することが可能である。
【０１４７】
４−２−３．Ｎリーチ
パチンコ遊技機ＰＹ１は、通常変動においてリーチが成立するとＮリーチを行うことが可能である。Ｎリーチは、大当たり判定の結果が「大当たり」であった可能性があることを示唆する演出であり、遊技者に大当たりを期待させるための演出として機能する。
【０１４８】
Ｎリーチでは、図１８（Ａ）に示すように、リーチが成立した状態が所定時間（例えば、１０秒）維持され、図１８（Ｂ）に示すように、中演出図柄ＥＺ２の変動速度が徐々に減速していく。そして、特図の可変表示の特図変動パターンが、例えば「Ｎハズレ変動」の場合には、図１８（Ｃ−１）に示すように、リーチハズレを示唆する停止態様（所謂リーチハズレ目）で演出図柄ＥＺ１，ＥＺ２，ＥＺ３が停止表示する。このとき、小図柄ＫＺ１，ＫＺ２，ＫＺ３もリーチハズレを示唆する停止態様で一斉に停止表示する。リーチハズレを示唆する停止態様には、「７・６・７」や「５・３・５」など、左右の図柄が同一且つ中の図柄が左右の図柄と異なる停止態様が複数種類ある。一方、特図の可変表示の特図変動パターンが、例えば「Ｎ大当たり変動」の場合には、図１８（Ｃ−２）に示すように、大当たりを示唆する停止態様（所謂ゾロ目）で停止表示する。大当たりを示唆する停止態様には、「７・７・７」や「２・２・２」など、左右中の図柄が同一の停止態様が複数種類ある。このとき、小図柄ＫＺ１，ＫＺ２，ＫＺ３も大当たりを示唆する停止態様で一斉に停止表示する。なお、Ｎリーチの演出内容は、中演出図柄ＥＺ２が徐々に減速することに限られず、適宜に変更または追加することが可能である。
【０１４９】
４−２−４．ＳＰリーチ
パチンコ遊技機ＰＹ１は、Ｎリーチの後にＳＰリーチを行うことが可能である。ＳＰリーチは、大当たり判定の結果が「大当たり」であった可能性が、Ｎリーチよりも高いことを示唆する演出であり、遊技者に大当たりを期待させるための演出として機能する。
【０１５０】
ＳＰリーチでは、Ｎリーチの後に、例えば、図１９（Ａ）に示すように、表示部５０ａにＳＰリーチ専用の背景画像（ＳＰリーチ用背景画像Ｇ１１３）が表示され、表示部５０ａの中央にＳＰリーチが開始されたことを表す画像（ＳＰリーチ開始タイトル画像）Ｇ１が表示される。その後、図１９（Ｂ）に示すように、ＳＰリーチ専用演出（例えばバトル演出）が行われる。そして、ＳＰリーチ専用演出の最終局面を迎えると、特図の可変表示の特図変動パターンが、例えば「ＳＰ大当たり変動」の場合には、図１９（Ｃ−１）に示すように、表示部５０ａに、大当たりを示唆する演出（例えば、主人公キャラクタがバトルに勝利して喜んでいる表示）が行われるとともに、演出図柄ＥＺ１，ＥＺ２，ＥＺ３が大当たりを示唆する停止態様（所謂ゾロ目）で停止表示する。このとき、小図柄ＫＺ１，ＫＺ２，ＫＺ３も大当たりを示唆する停止態様で一斉に停止表示する。一方、特図の可変表示の特図変動パターンが、例えば「ＳＰハズレ変動」の場合には、図１９（Ｃ−２）に示すように、ハズレを示唆する演出（例えば、敵キャラクタがバトルに勝利して喜んでいる表示）が行われるとともに、演出図柄ＥＺ１，ＥＺ２，ＥＺ３がリーチハズレを示唆する停止態様で停止表示する。このとき、小図柄ＫＺ１，ＫＺ２，ＫＺ３もハズレを示唆する停止態様で一斉に停止表示する。なお、ＳＰリーチの演出内容は、適宜に変更または追加することが可能である。
【０１５１】
ここで、各リーチに対する演出図柄ＥＺ１，ＥＺ２，ＥＺ３が大当たりを示す態様で停止される可能性（大当たり期待度）について詳細に説明する。各リーチに対する大当たり期待度は、大当たり判定の結果に基づく実行確率によって定められる。例えば、Ｎリーチの実行確率を、大当たり判定の結果が「ハズレ」の場合には１０％とし、大当たり判定の結果が「大当たり」の場合には１００％とした場合、ＳＰリーチの実行確率を、大当たり判定の結果が「ハズレ」の場合には４％とし、大当たり判定の結果が「大当たり」の場合には１００％とすれば、ＳＰリーチの大当たり期待度を、Ｎリーチの大当たり期待度よりも高く設定することが可能である。また、ＳＰリーチとしてＳＰリーチＡとＳＰリーチＢとを実行可能にし、ＳＰリーチＡの実行確率を、大当たり判定の結果が「ハズレ」の場合には２％とし、大当たり判定の結果が「大当たり」の場合には２０％とした場合、ＳＰリーチＢの実行確率を、大当たり判定の結果が「ハズレ」の場合には２％とし、大当たり判定の結果が「大当たり」の場合には３０％とすれば、ＳＰリーチＢの大当たり期待度を、ＳＰリーチＡの大当たり期待度よりも高く設定することが可能である。このように、大当たり判定の結果に応じた実行確率を適宜に設定することで、大当たり期待度を設定することが可能である。
【０１５２】
４−３．保留アイコン表示領域
画像表示装置５０の表示部５０ａには、図２０（Ａ）に示すように、４つの表示領域からなる保留アイコン表示領域５０ｄを設けることが可能である。保留アイコン表示領域５０ｄは、第１表示領域５０ｄ１、第２表示領域５０ｄ２、第３表示領域５０ｄ３および第４表示領域５０ｄ４で構成され、特図１保留数または特図２保留数に応じて、各表示領域５０ｄ１，５０ｄ２，５０ｄ３，５０ｄ４に、保留アイコンＨＡを表示することが可能である。例えば、特図１保留数が『１』の場合には、第１表示領域５０ｄ１に保留アイコンＨＡが表示され、特図１保留数が『２』の場合には、第１表示領域５０ｄ１と第２表示領域５０ｄ２とに保留アイコンＨＡが表示される。
【０１５３】
また、保留アイコン表示領域５０ｄの近傍に、図２０（Ａ）に示すように、１つの表示領域からなる当該アイコン表示領域５０ｅを設けることが可能である。当該アイコン表示領域５０ｅは、特図変動演出が開始されることに応じて、保留アイコンＨＡと同じまたは異なる当該アイコンＴＡを表示することが可能である。
【０１５４】
なお、保留アイコン表示領域５０ｄを構成する表示領域の数については、適宜に変更することが可能である。また、保留アイコン表示領域５０ｄを、特図１保留数および特図２保留数の両方を表示する表示領域とすることも一方だけを表示する表示領域とすることも可能である。
【０１５５】
４−３−１．保留演出
パチンコ遊技機ＰＹ１は、遊技球が第１始動口１１または第２始動口１２に入賞することに応じて、保留演出を行うことが可能である。保留演出は、特図１保留または特図２保留の数を遊技者に報知することが可能である。
【０１５６】
保留演出では、特図１保留数が『０』のときに遊技球が第１始動口１１に入賞すると、特図変動演出が開始され、例えば、図２０（Ｂ）に示すように、当該アイコン表示領域５０ｅに当該アイコンＴＡが表示される。そして、特図変動演出中に更に２個の遊技球が第１始動口１１に入賞すると、図２０（Ｃ）に示すように、保留アイコン表示領域５０ｄの第１表示領域５０ｄ１と第２表示領域５０ｄ２とに保留アイコンＨＡが表示され、特図１保留数が『２』であることが遊技者に報知される。その後、特図変動演出が終了し、新たな特図変動演出が開始されると、図２０（Ｄ）に示すように、保留アイコン表示領域５０ｄの第１表示領域５０ｄ１に表示されていた保留アイコンＨＡが、当該アイコン表示領域５０ｅに移動して当該アイコンＴＡとして表示され、保留アイコン表示領域５０ｄの第２表示領域５０ｄ２に表示されていた保留アイコンＨＡが、第１表示領域５０ｄ１に移動して表示され、特図１保留数が『１』であることが遊技者に報知される。
【０１５７】
４−４．予告演出
パチンコ遊技機ＰＹ１は、特図変動演出中の任意のタイミングで予告演出を行うことが可能である。予告演出は、画像表示装置５０、スピーカ５２、枠ランプ５３、盤ランプ５４、可動装置５５，５６，５８、入力装置４０，４１等を用いた演出であり、大当たり判定の結果や特図変動パターン判定の結果を示唆することが可能である。
【０１５８】
４−４−１．可動体演出
パチンコ遊技機ＰＹ１は、予告演出として、可動装置５５，５６，５８を用いた可動体演出を行うことが可能である。可動体演出は、可動装置５５，５６，５８を作動させる演出であり、遊技者に大当たりを期待させるための演出として機能する。
【０１５９】
可動体演出では、例えば、ＮリーチからＳＰリーチに発展する際に、図２１（Ａ）に示すように、盤上可動装置５５および盤下可動装置５６が作動し、盤上可動体５５ｋと盤下可動体５６ｋとが、遊技者から見て、表示部５０ａ上に重なるように移動して、ＳＰリーチに発展することが示唆される。このとき、表示部５０ａの盤上可動体５５ｋおよび盤下可動体５６ｋと重なっていないスペースにはエフェクト画像が表示される。その後、図２１（Ｂ）に示すように、盤上可動体５５ｋと盤下可動体５６ｋとが、通常の待機状態に戻ってＳＰリーチに発展する。なお、可動体演出については、ＳＰリーチへの発展示唆に限られず、適宜に変更または追加することが可能である。また、可動体演出における可動装置の作動内容は、適宜に変更または追加することが可能である。
【０１６０】
４−４−２．操作演出
パチンコ遊技機ＰＹ１は、予告演出として、通常ボタン４０や特殊ボタン４１を用いた操作演出を行うことが可能である。操作演出は、遊技者が通常ボタン４０や特殊ボタン４１を操作する演出であり、遊技者に大当たりを期待させるための演出として機能する。
【０１６１】
操作演出では、例えば、ＳＰリーチにおいて、特殊ボタン４１の押下操作が有効な期間（ボタン操作有効期間）が発生し、このボタン操作有効期間の発生に伴って、図２２（Ａ）に示すように、特殊ボタン４１の操作を促す演出（ボタン操作促進演出）が行われる。ボタン操作促進演出において、表示部５０ａに、ボタン操作促進画像Ｇ３が表示される。ボタン操作促進画像Ｇ３は、特殊ボタン４１を模した画像（特殊ボタン画像Ｇ３１）と、特殊ボタン４１の操作態様（すなわち、押下操作）を表す画像（押下操作画像Ｇ３２）と、ボタン操作有効期間の残り時間を表す画像（操作有効期間残り時間画像Ｇ３３）と、を含む。なお、操作有効期間残り時間画像Ｇ３３は、おおむね曲線状のプログレスバーからなり、時間の経過に伴って、遊技者が操作有効期間の残り時間を容易に理解できるように変化する。その後、ボタン操作有効期間において特殊ボタン４１が押下操作されることに応じて、または、ボタン操作有効期間において特殊ボタン４１が操作されることなくボタン操作有効期間が経過した後、図２２（Ｂ）に示すように、盤上可動装置５５が作動し、遊技者から見て、盤上可動体５５ｋが表示部５０ａ上に重なるように移動して、大当たり期待度が示唆される。なお、操作演出については、盤上可動装置５５の作動に限られず、適宜に変更または追加することが可能である。
【０１６２】
４−４−３．先読み演出
パチンコ遊技機ＰＹ１は、予告演出として、特図抽選が行われていない特図１保留または特図２保留に対する先読み演出を行うことが可能である。先読み演出は、特図１保留または特図２保留に対する特図抽選の抽選結果を事前に示唆するための演出として機能する。
【０１６３】
先読み演出では、例えば、特図１保留に対する先読み判定の結果が「大当たり」の場合、図２０（Ｃ）に示すように、保留アイコン表示領域５０ｄに通常は「〇」で表示される保留アイコンＨＡを「☆」で表示することがある。また、先読み判定の結果が「ハズレ」の場合に、所謂ガセ演出として、保留アイコンＨＡを「☆」で表示することがある。なお、先読み演出は、特図１保留および特図２保留の両方または一方に対して行うことが可能である。また、保留アイコンＨＡの表示態様の変化に限られず、適宜に変更または追加することが可能である。例えば、特図変動演出における演出図柄ＥＺ１，ＥＺ２，ＥＺ３の停止態様を変化させることも可能である。
【０１６４】
５．遊技制御用マイコン１０１による遊技の制御
次に図２３〜図２４に基づいて遊技制御用マイコン１０１による遊技の制御について説明する。なお、以下において説明する遊技制御用マイコン１０１による遊技の制御において登場するカウンタ、タイマ、バッファ等は、遊技用ＲＡＭ１０４に設けられている。
【０１６５】
［１．主制御メイン処理］
主制御基板１００に備えられた遊技制御用マイコン１０１は、パチンコ遊技機ＰＹ１が電源投入されると、遊技用ＲＯＭ１０３から図２３に示した主制御メイン処理のプログラムを読み出して実行する。同図に示すように、主制御メイン処理では、まず、電源投入時処理（Ｓ００１）を行う。電源投入時処理では、遊技用ＲＡＭ１０４へのアクセスの許可設定、遊技用ＣＰＵ１０２の設定、ＳＩＯ、ＰＩＯ、ＣＴＣ（割り込み時間の管理のための回路）の設定等が行われる。
【０１６６】
電源投入時処理に次いで、割り込みを禁止し（Ｓ００２）、普通図柄・特別図柄主要乱数更新処理（Ｓ００３）を実行する。この普通図柄・特別図柄主要乱数更新処理（Ｓ００３）では、図８（Ａ）および図８（Ｂ）に示した種々の乱数のカウンタ値を１加算して更新する。各乱数のカウンタ値は上限値に達すると「０」に戻って再び加算される。なお各乱数のカウンタの初期値は「０」以外の値であってもよく、ランダムに変更されるものであってもよい。また各乱数のうちの少なくとも一部は、カウンタＩＣ等からなる公知の乱数生成回路を利用して生成される所謂ハードウェア乱数であってもよい。
【０１６７】
普通図柄・特別図柄主要乱数更新処理（Ｓ００３）が終了すると、割り込みを許可する（Ｓ００４）。割り込み許可中は、メイン側タイマ割り込み処理（Ｓ００５）の実行が可能となる。メイン側タイマ割り込み処理（Ｓ００５）は、例えば４ｍｓｅｃ周期で遊技用ＣＰＵ１０２に繰り返し入力される割り込みパルスに基づいて実行される。すなわち、メイン側タイマ割り込み処理（Ｓ００５）は４ｍｓｅｃ周期で実行される。そして、メイン側タイマ割り込み処理（Ｓ００５）が終了してから、次にメイン側タイマ割り込み処理（Ｓ００５）が開始されるまでの間に、普通図柄・特別図柄主要乱数更新処理（Ｓ００３）による種々の乱数のカウンタ値の更新処理が繰り返し実行される。なお、割り込み禁止状態のときに遊技用ＣＰＵ１０２に割り込みパルスが入力された場合は、メイン側タイマ割り込み処理（Ｓ００５）はすぐには開始されず、割り込み許可（Ｓ００４）がされてから開始される。
【０１６８】
［２．メイン側タイマ割り込み処理］
次に、メイン側タイマ割り込み処理（Ｓ００５）について説明する。図２４に示すように、メイン側タイマ割り込み処理（Ｓ００５）では、まず出力処理（Ｓ１０１）を実行する。出力処理（Ｓ１０１）では、以下に説明する各処理において主制御基板１００の遊技用ＲＡＭ１０４に設けられた出力バッファにセットされたコマンド等を、サブ制御基板１２０や払出制御基板１７０等に出力する。
【０１６９】
出力処理（Ｓ１０１）に次いで行われる入力処理（Ｓ１０２）では、遊技制御用マイコン１０１は、例えば、下皿３５の満杯を検出する下皿満杯スイッチからの検出信号を取り込み、下皿満杯データとして遊技用ＲＡＭ１０４の出力バッファに記憶する。
【０１７０】
次に行われる普通図柄・特別図柄主要乱数更新処理（Ｓ１０３）は、図２３の主制御メイン処理で行う普通図柄・特別図柄主要乱数更新処理（Ｓ００３）と同じである。即ち、図８（Ａ）および図８（Ｂ）に示した各種乱数のカウンタ値の更新処理は、メイン側タイマ割り込み処理（Ｓ００５）の実行期間と、それ以外の期間（メイン側タイマ割り込み処理（Ｓ００５）の終了後、次のメイン側タイマ割り込み処理（Ｓ００５）が開始されるまでの期間）との両方で行われている。
【０１７１】
普通図柄・特別図柄主要乱数更新処理（Ｓ１０３）に次いで、遊技制御用マイコン１０１は、センサ検出処理（Ｓ１０４）を行い、続いて普通動作処理（Ｓ１０５）を行い、さらに特別動作処理（Ｓ１０６）を行う。センサ検出処理、普通動作処理および特別動作処理については後述する。
【０１７２】
特別動作処理（Ｓ１０６）に次いで、振分装置１６Ｄを制御するための振分装置制御処理を行う（Ｓ１０７）。
【０１７３】
次に、遊技制御用マイコン１０１は、その他の処理（Ｓ１０８）を実行して、メイン側タイマ割り込み処理（Ｓ００５）を終了する。その他の処理（Ｓ１０８）としては、電源が断たれる際の電源断監視処理、遊技用ＲＡＭ１０４に設けられているタイマの更新などが行われる。また、その他の処理（Ｓ１０８）として、遊技者に賞球を払い出す払出制御処理が行われる。払出制御処理では、各入賞口への遊技球の入賞に応じて、賞球要求信号を払出制御基板１７０に送信する。つまり、払出制御基板１７０は、賞球要求信号に基づいて、賞球を払い出す。
【０１７４】
そして、遊技制御用マイコン１０１は、次に遊技用ＣＰＵ１０２に割り込みパルスが入力されるまでは主制御メイン処理のステップＳ００２〜Ｓ００４の処理を繰り返し実行し（図２３参照）、割り込みパルスが入力されると（約４ｍｓｅｃ後）、再びメイン側タイマ割り込み処理（Ｓ００５）を実行する。遊技制御用マイコン１０１は、再び実行されたメイン側タイマ割り込み処理（Ｓ００５）の出力処理（Ｓ１０１）において、前回のメイン側タイマ割り込み処理（Ｓ００５）にて遊技用ＲＡＭ１０４の出力バッファにセットされたコマンド等を出力する。
【０１７５】
［２−１．センサ検出処理］
センサ検出処理（Ｓ１０４）では、一般入賞口センサ処理、ゲートセンサ処理、第２始動口センサ処理、第１始動口センサ処理、第１大入賞口センサ処理、第２大入賞口センサ処理、特定領域センサ処理を順次行う。そして、各処理において生成されたコマンドを遊技用ＲＡＭ１０４の出力バッファにセットする。
【０１７６】
一般入賞口センサ処理では、一般入賞口センサによって遊技球が検出されたか否かを判定する。また、当該処理の結果に応じて、一般入賞口センサ用コマンドを生成する。
【０１７７】
ゲートセンサ処理では、ゲートセンサによって遊技球が検出されたか否かを判定する。遊技球が検出されたと判定されると、普通図柄乱数カウンタのカウンタ値が示す普通図柄乱数を取得し、取得した普通図柄乱数を、遊技用ＲＡＭ１０４に設けられた普図保留記憶部１０６に記憶する。なお、普図保留記憶部１０６に普通図柄乱数が所定数（例えば４個）記憶されている場合には、新たに取得された普通図柄乱数は記憶されない。また、当該処理の結果に応じて、ゲートセンサ用コマンドを生成する。
【０１７８】
第２始動口センサ処理では、第２始動口センサによって遊技球が検出されたか否かを判定する。遊技球が検出されたと判定されると、特別図柄乱数カウンタ、大当たり図柄種別乱数カウンタ、リーチ乱数カウンタ及び特図変動パターン乱数カウンタからなる特図２関係乱数を取得し、取得した特図２関係乱数を、遊技用ＲＡＭ１０４に設けられた特図２保留記憶部１０５ｂに記憶する。特図２保留記憶部１０５ｂは、第１領域から第ｎ領域まで（ｎは２以上の整数）の複数の記憶領域があり、取得された特図２関係乱数は、第１領域から順に記憶される。なお、第ｎ領域まで特図２関係乱数が記憶されている場合には、新たに取得された特図２関係乱数は記憶されない。また、取得した特図２関係乱数と第２先読み判定テーブルとを用いて第２先読み判定を行う。また、当該処理の結果に応じて、特図２保留記憶部１０５ｂに記憶されている特図２関係乱数の数（特図２保留数）を表す特図２保留数コマンドおよび第２先読み判定の結果を表す第２始動入賞コマンドを含む第２始動口センサ用コマンドを生成する。
【０１７９】
第１始動口センサ処理では、第１始動口センサによって遊技球が検出されたか否かを判定する。遊技球が検出されたと判定されると、特別図柄乱数カウンタ、大当たり図柄種別乱数カウンタ、リーチ乱数カウンタ及び特図変動パターン乱数カウンタからなる特図１関係乱数を取得し、取得した特図１関係乱数を、遊技用ＲＡＭ１０４に設けられた特図１保留記憶部１０５ａに記憶する。特図１保留記憶部１０５ａは、第１領域から第ｎ領域まで（ｎは２以上の整数）の複数の記憶領域があり、取得された特図１関係乱数は、第１領域から順に記憶される。なお、第ｎ領域まで特図１関係乱数が記憶されている場合には、新たに取得した特図１関係乱数は記憶されない。また、取得した特図１関係乱数と第１先読み判定テーブルとを用いて第１先読み判定を行う。また、当該処理の結果に応じて、特図１保留記憶部１０５ａに記憶されている特図１関係乱数の数（特図１保留数）を表す特図１保留数コマンドおよび第１先読み判定の結果を表す第１始動入賞コマンドを含む第１始動口センサ用コマンドを生成する。
【０１８０】
第１大入賞口センサ処理では、第１大入賞口センサによって遊技球が検出されたか否かを判定する。また、当該処理の結果に応じた第１大入賞口センサ用コマンドを生成する。
【０１８１】
第２大入賞口センサ処理では、第２大入賞口センサによって遊技球が検出されたか否かを判定する。また、当該処理の結果に応じた第２大入賞口センサ用コマンドを生成する。
【０１８２】
特定領域センサ処理では、特定領域センサによって遊技球が検出されたか否か判定する。また、当該処理の結果に応じて、特定領域センサ用コマンドを生成する。
【０１８３】
［２−２．普通動作処理］
普通動作処理（Ｓ１０５）では、普通図柄待機処理、普通図柄変動処理、普通図柄確定処理、補助遊技制御処理を順次行う。そして、各処理において生成されたコマンドを遊技用ＲＡＭ１０４の出力バッファにセットする。
【０１８４】
普通図柄待機処理は、普図の可変表示および補助遊技が行われていない待機中に行われる処理である。普通図柄待機処理では、普図保留記憶部１０６に記憶された普通図柄乱数に基づいて当たり判定を行う。また、現在の遊技状態に基づいて普図変動パターン判定を行って普図変動パターンを決定する。そして、当たり判定および普図変動パターンの結果に関する情報を含む普図変動開始コマンドを生成する。それから、決定した普図変動パターンに対応付けられた普図変動時間に基づいて、普図の可変表示を普図表示器８２に開始させる。
【０１８５】
普通図柄変動処理は、普図の可変表示中に行われる処理である。普通図柄変動処理では、実行中の普図の可変表示が開始してから普図変動時間が経過することに応じて、当たり判定結果に基づいて普図の停止表示を行う。そして、普図の可変表示の終了を示す普図変動停止コマンドを生成する。
【０１８６】
普通図柄確定処理は、普図が停止表示しているときに行われる処理である。普通図柄確定処理では、実行中の普図の停止表示が開始してから所定の停止時間（例えば、０．８秒）が経過することに応じて、停止表示している普図が当たり図柄であるか否かを判定する。当たり図柄が停止表示していれば、現在の遊技状態および補助遊技制御テーブルに基づいて補助遊技を開始させ、補助遊技の開始を示す補助遊技開始コマンドを生成する。
【０１８７】
補助遊技制御処理は、補助遊技が行われているときに行われる処理である。補助遊技制御処理では、現在の遊技状態および補助遊技制御テーブルに基づいて補助遊技を制御する。また、当該処理の結果に応じて、補助遊技制御用コマンドを生成する。
【０１８８】
［２−３．特別動作処理］
特別動作処理（Ｓ１０６）では、特別図柄待機処理、特別図柄変動処理、特別図柄確定処理、大当たり遊技制御処理、遊技状態設定処理を順次行う。そして、各処理において生成されたコマンドを遊技用ＲＡＭ１０４の出力バッファにセットする。
【０１８９】
［２−３−１．特別図柄待機処理］
特別図柄待機処理は、大当たり遊技状態ではなく、特図の可変表示が行われていない待機中に行われる処理である。特別図柄待機処理では、特図２保留記憶部１０５ｂに記憶されている特図２関係乱数に基づいて、特図２判定処理及び特図２変動パターン判定処理を行うとともに、特図２保留記憶部シフト処理を行う。また、特図１保留記憶部１０５ａに記憶されている特図１関係乱数に基づいて、特図１判定処理及び特図１変動パターン判定処理を行うとともに、特図１保留記憶部シフト処理を行う。
【０１９０】
特図２判定処理では、特図２保留記憶部１０５ｂの第１領域に記憶されていた特図２関係乱数のうちの特別図柄乱数と、現在の遊技状態に応じた大当たり判定テーブルと、を用いて、大当たり、または、ハズレの何れであるかを判定する大当たり判定を行う。大当たり判定の結果が大当たりであれば、特図２関係乱数のうちの大当たり図柄種別乱数と特図２大当たり図柄種別判定テーブルとを用いて、大当たり図柄の種別を判定する大当たり図柄種別判定を行う。そして、判定された大当たり図柄種別を表す図柄指定コマンドを生成する。また、大当たり判定の結果がハズレであれば、ハズレを表す図柄指定コマンドを生成する。
【０１９１】
特図２変動パターン判定処理は、特図２判定処理の後に行われる処理である。特図２変動パターン判定処理では、特図２保留記憶部１０５ｂの第１領域に記憶されていた特図２関係乱数のうちの特図変動パターン乱数と、現在の遊技状態に応じた特図２変動パターンテーブルと、を用いて、特図２変動パターンを判定する。なお、特図２変動パターンの判定は、特図２保留記憶部１０５ｂに記憶されている特図２関係乱数の数（特図２保留数）にも関連付けられる。そして、判定された特図２変動パターンを表す特図２変動開始コマンドを生成する。特図２変動開始コマンドには、特図２であることに関する情報、大当たり判定の結果に関する情報、リーチ判定の結果に関する情報、特図２変動パターンに対応付けられた特図変動時間の情報などが含まれる。そして、判定された特図２変動パターンに対応付けられた特図変動時間に基づいて特図２表示器８１ｂに特図２の可変表示を開始させる。
【０１９２】
特図２保留記憶部シフト処理は、特図２判定処理及び特図２変動パターン判定処理が行われる際に行われる処理である。特図２保留記憶部シフト処理では、特図２保留記憶部１０５ｂに記憶されていた特図２関係乱数を第１領域側に一つシフトするとともに、第１領域の特図２関係乱数を特図２保留記憶部１０５ｂからクリアする。このようにして、特図２関係乱数は取得された順に消化される。そして、当該処理後の特図２保留数を表す特図２保留数コマンド生成をする。
【０１９３】
特図１判定処理では、特図１保留記憶部１０５ａの第１領域に記憶されていた特図１関係乱数のうちの特別図柄乱数と、現在の遊技状態に応じた大当たり判定テーブルと、を用いて、大当たり、または、ハズレの何れであるかを判定する大当たり判定を行う。大当たり判定の結果が大当たりであれば、特図１関係乱数のうちの大当たり図柄種別乱数と特図１大当たり図柄種別判定テーブルとを用いて、大当たり図柄の種別を判定する大当たり図柄種別判定を行う。そして、判定された大当たり図柄種別を表す図柄指定コマンドを生成する。また、大当たり判定の結果がハズレであれば、ハズレを表す図柄指定コマンドを生成する。
【０１９４】
特図１変動パターン判定処理は、特図１判定処理の後に行われる処理である。特図１変動パターン判定処理では、特図１保留記憶部１０５ａの第１領域に記憶されていた特図１関係乱数のうちの特図変動パターン乱数と、現在の遊技状態に応じた特図１変動パターンテーブルと、を用いて、特図１変動パターンを判定する。なお、特図１変動パターンの判定は、特図１保留記憶部１０５ａに記憶されている特図１関係乱数の数（特図１保留数）にも関連付けられる。そして、判定された特図１変動パターンを表す特図１変動開始コマンドを生成する。特図１変動開始コマンドには、特図１であることに関する情報、大当たり判定の結果に関する情報、リーチ判定の結果に関する情報、大当たり種別判定の結果に関する情報、特図１変動パターンに対応付けられた特図変動時間の情報などが含まれる。そして、判定された特図１変動パターンに対応付けられた特図変動時間に基づいて特図１表示器８１ａに特図１の可変表示を開始させる。
【０１９５】
特図１保留記憶部シフト処理は、特図１判定処理及び特図１変動パターン判定処理が行われる際に行われる処理である。特図１保留記憶部シフト処理では、特図１保留記憶部１０５ａに記憶されていた特図１関係乱数を第１領域側に一つシフトするとともに、第１領域の特図１関係乱数を特図１保留記憶部１０５ａからクリアする。このようにして、特図１関係乱数は取得された順に消化される。そして、当該処理後の特図１保留数を表す特図１保留数コマンドを生成する。
【０１９６】
なお、本実施形態では、特図２保留数および特図１保留数の何れも存在する場合、特図２判定処理が優先して行われ、特図２の可変表示と特図１の可変表示とが並行して行われないようになっている。
【０１９７】
［２−３−２．特別図柄変動処理］
特別図柄変動処理は、特図の可変表示中に行われる処理である。特別図柄変動処理では、特図変動時間が経過することに応じて、特図表示器８１に、特図の可変表示を終了させるとともに、大当たり判定の結果に応じた特図を停止表示させる。大当たり判定の結果が大当たりであれば、大当たりを示す大当たり図柄を停止表示させ、大当たり判定の結果がハズレであれば、ハズレを示すハズレ図柄を停止表示させる。そして、特図の可変表示の終了を示す特図変動停止コマンドを生成する。
【０１９８】
［２−３−３．特別図柄確定処理］
特別図柄確定処理は、特図が停止表示しているときに行われる処理である。特別図柄確定処理では、現在停止表示している特図が大当たり図柄である場合には、大当たり遊技状態に移行させる。そして、大当たり遊技の開始を示すオープニングコマンドを生成する。オープニングコマンドには、大当たり種別判定の結果に関する情報が含まれる。また、現在停止表示している特図がハズレ図柄であり且つ高確率状態を終了させる場合には、通常確率状態を設定する。そして、通常確率状態への移行を示す高確率終了コマンドを生成する。また、現在停止表示している特図がハズレ図柄であり且つ時短状態を終了させる場合には、非時短状態を設定する。そして、非時短状態への移行を示す時短終了コマンドを生成する。なお、現在停止表示している特図がハズレ図柄であり且つ特図２保留数および特図１保留数が「０」の場合には、パチンコ遊技機ＰＹ１が待機状態であることを示す客待ちコマンドを生成する。
【０１９９】
［２−３−４．大当たり遊技制御処理］
大当たり遊技制御処理は、大当たり遊技状態において行われる処理である。大当たり遊技制御処理では、大当たり遊技制御テーブルを用いて、大当たり遊技を行う。大当たり遊技状態への移行後、オープニング時間または閉鎖時間の経過に応じて、各ラウンド遊技を開始する。そして、ラウンド遊技の開始を示すラウンド遊技コマンドを生成する。また、最終のラウンド遊技を終了させることに応じて、エンディングを開始する。そして、大当たり遊技の終了を示すエンディングコマンドを生成する。エンディングコマンドには、大当たり種別判定の結果に関する情報が含まれる。
【０２００】
［２−３−５．遊技状態設定処理］
遊技状態設定処理は、大当たり遊技状態が終了する際に行われる処理である。遊技状態設定処理では、通常確率状態から高確率状態に変更する場合は、大当たり遊技状態の終了の際に高確率状態を設定する。高確率状態の継続期間を制限する場合には、高確率状態の継続期間（例えば、大当たりに当選することなく高確率状態が継続できる特図の可変表示の回数）も併せて設定する。そして、高確率状態の設定を示す高確率設定コマンドを生成する。また、非時短状態から時短状態に変更する場合は、大当たり遊技状態の終了の際に時短状態を設定する。時短状態の継続期間を制限する場合には、時短状態の継続期間（例えば、大当たりに当選することなく時短状態が継続できる特図の可変表示の回数）も併せて設定する。そして、時短状態の設定を示す時短設定コマンドを生成する。
【０２０１】
なお、遊技制御用マイコン１０１が各処理において生成するコマンドは、適宜に追加または変更することが可能である。
【０２０２】
６．演出制御用マイコン１２１による演出の制御
次に、図２５および図２６に基づいて演出制御用マイコン１２１による演出の制御について説明する。なお、以下の演出制御用マイコン１２１による演出の制御の説明において登場するカウンタ、タイマ、フラグ、バッファ等は、演出用ＲＡＭ１２４に設けられている。
【０２０３】
［１．サブ制御メイン処理］
サブ制御基板１２０に備えられた演出制御用マイコン１２１は、パチンコ遊技機ＰＹ１が電源投入されると、図２５に示したサブ制御メイン処理のプログラムを演出用ＲＯＭ１２３から読み出して実行する。同図に示すように、サブ制御メイン処理では、最初に、電源投入に応じた電源投入時処理を行う（Ｓ４００１）。電源投入時処理では、例えば、演出用ＣＰＵ１２２の設定、ＳＩＯ、ＰＩＯ、ＣＴＣ（割り込み時間の管理のための回路）等の設定等を行う。
【０２０４】
次に、割り込みを禁止し（Ｓ４００２）、乱数シード更新処理を実行する（Ｓ４００３）。乱数シード更新処理（Ｓ４００３）では、種々の演出に関する判定を行うための種々の演出判定用乱数カウンタの値を更新する。種々の演出についての演出判定用乱数カウンタの更新方法は、一例として、前述の主制御基板１００が行う普通図柄・特別図柄主要乱数更新処理と同様の方法をとることができる。更新に際して乱数値を１ずつ加算するのではなく、２ずつ加算するなどしてもよい。これは、前述の主制御基板１００が行う普通図柄・特別図柄主要乱数更新処理においても同様である。
【０２０５】
乱数シード更新処理が終了すると、コマンド送信処理を実行する（Ｓ４００４）。コマンド送信処理では、サブ制御基板１２０の演出用ＲＡＭ１２４内の出力バッファに格納されている各種のコマンドを、画像制御基板１４０に送信する。コマンドを受信した画像制御基板１４０は、受信したコマンドに従って、表示部５０ａに画像を表示する（画像による種々の演出を実行する）。また、サブ制御基板１２０は、画像制御基板１４０によって行われる種々の演出とともに、音声制御回路１６１を介してスピーカ５２から音声を出力させたり（音声による種々の音演出を実行したり）、ランプ制御回路１５１を介して枠ランプ５３、および盤ランプ５４を発光させたり（発光による種々の発光演出を実行したり）、可動装置５５，５６，５８を作動させたり（動作による種々の可動体演出を実行したり）する。
【０２０６】
演出制御用マイコン１２１は続いて、割り込みを許可する（Ｓ４００５）。以降、ステップＳ４００２〜ステップＳ４００５をループさせる。割り込み許可中においては、受信割り込み処理（Ｓ４０１０）、および、サブ側タイマ割り込み処理（Ｓ４０１１）の実行が可能となる。
【０２０７】
受信割り込み処理（Ｓ４０１０）は、主制御基板１００から送られた各種のコマンドが演出制御用マイコン１２１に入力される度に実行される。受信割り込み処理（Ｓ４０１０）では、演出制御用マイコン１２１は主制御基板１００の出力処理（Ｓ１０１）により送信されてきて受信した各種のコマンドを演出用ＲＡＭ１２４の受信バッファに格納する。この受信割り込み処理は、他の割り込み処理（Ｓ４０１１）に優先して実行される。
【０２０８】
［２．サブ側タイマ割り込み処理］
サブ側タイマ割り込み処理（Ｓ４０１１）は、サブ制御基板１２０に所定の周期（例えば、１ｍｓｅｃ周期）の割り込みパルスが入力される度に実行される。サブ側タイマ割り込み処理（Ｓ４０１１）では、図２６に示すように、入力処理（Ｓ４１０１）、発光データ出力処理（Ｓ４１０２）、可動装置制御処理（Ｓ４１０３）、ウォッチドッグタイマ処理（Ｓ４１０４）、受信コマンド解析処理（Ｓ４１０５）、演出タイマ更新処理（Ｓ４１０６）、音声制御処理（Ｓ４１０７）、演出用データ作成処理（Ｓ４１０８）を順次行う。
【０２０９】
入力処理では、通常ボタン検出スイッチ４０ａや特殊ボタン検出スイッチ４１ａなどの遊技者が操作可能な操作部に対する操作を検出する。発光データ出力処理では、後述する演出データ作成処理で作成された演出用データに基づいて、画像による演出等に合うタイミングなどで枠ランプ５３、および盤ランプ５４などのランプを発光させるべく、発光データをランプ制御回路１５１に出力する。つまり、演出制御用マイコン１２１は、発光データに従って枠ランプ５３、および盤ランプ５４などを所定の発光態様で発光させる。可動装置制御処理では、演出データ作成処理で作成された演出用データに基づいて、所定のタイミングで可動装置５５，５６，５８などの可動装置を動作させる可動体演出を行うべく、駆動データを出力する。つまり、演出制御用マイコン１２１は、駆動データに従って、可動装置５５，５６，５８などを所定の動作態様で動作させる可動体演出を行う。ウォッチドッグタイマ処理では、ウォッチドッグタイマのリセット設定を行う。
【０２１０】
受信コマンド解析処理では、受信割り込み処理（Ｓ４０１０）によって演出用ＲＡＭ１２４の受信バッファに格納されたコマンドを解析し、そのコマンドに応じた処理（例えば演出の選択や演出モードの設定、コマンドのセット等）を行う。演出タイマ更新処理では、各演出に関する時間を計測するためのタイマを更新する。音声制御処理では、受信コマンド解析処理の処理結果に基づいて、音声データ（スピーカ５２からの音声の出力を制御するデータ）の作成と音声制御回路１６１への出力が行われる。演出用データ作成処理では、受信コマンド解析処理の処理結果に基づいて、演出用データの作成が行われる。
【０２１１】
７．第１実施形態の特徴点の説明
第１実施形態のパチンコ遊技機ＰＹ１における特徴点に関して、さらなる詳細な説明を以下に加える。本実施形態（第１実施形態）のパチンコ遊技機ＰＹ１では、特図変動演出の実行中に、第１組み合わせ演出又は第２組み合わせ演出が実行可能である。第１組み合わせ演出とは、盤下可動体５６ｋ上の盤下ランプ５６ｘを用いた盤下ランプ演出と、幕板（左幕板５７Ｌおよび右幕板５７Ｒ）上のサイドランプ５７ｘを用いたサイドランプ演出と、表示部５０ａに表示する画像を用いた第１画像演出と、通常ボタン４０（半球型ボタンユニット２００）を用いたボタン振動演出と、通常ボタン４０のＬＥＤ２６１を用いたボタン発光演出とを組み合わせた演出である。第２組み合わせ演出とは、サイドランプ演出と、第１画像演出とは異なる第２画像演出と、ボタン振動演出と、ボタン発光演出とを組み合わせた演出である。第１組み合わせ演出には盤下ランプ演出があるのに対し、第２組み合わせ演出には盤下ランプ演出がない。盤下ランプ５６ｘ、幕板５７Ｌ，５７Ｒ、サイドランプ５７ｘおよび通常ボタン４０（半球型ボタンユニット２００）と、各種演出については後述する。
【０２１２】
７−１．通常ボタン（半球型ボタンユニット）
次に、図１、図２７〜図３３に基づいて、通常ボタン４０（半球型ボタンユニット２００）の構成を説明する。図１に示すように、下部装飾体３６の上面の上皿３４より前方側に、操作可能な通常ボタン４０をなしている半球型ボタンユニット２００が設けられている。
【０２１３】
７−１−１．構造
通常ボタン４０（半球型ボタンユニット２００）には、図２７および図２８に示すカバー部２１０と、図２７および図２８に示す可動部２２０と、図２７および図２８に示す支持部２５０と、図２８に示す基板部２８０と、図２８に示すセンサスイッチ部２９０と、図２８に示すモータ保持部３００と、図２７および図２８に示す底部３１０とがある。
【０２１４】
カバー部２１０は、透明な樹脂部材からなる。このカバー部２１０は、図２８に示すように、半球状のドーム部２１１と、ドーム部２１１の円周端から延出する円筒状の円筒部２１２と、円筒部２１２から、ドーム部２１１側とは反対方向にそれぞれ延出する２組の脚部（１対の第１脚部２１３、および、１対の第２脚部２１５）とを有している。第１脚部２１３は、円筒部２１２の径方向に対向配置されている。第１脚部２１３の先端部付近には、モータ保持部３００と係合するための係合孔２１４が設けられている。また、第２脚部２１５は、第１脚部２１３と同じく、円筒部２１２の径方向に対向配置されている。なお、第２脚部２１５は、第１脚部２１３から円筒部２１２の周方向に９０度ずれて設けられている。第２脚部２１５の先端には凹部２１６が設けられている。
【０２１５】
可動部２２０は、図２８および図２９に示すように、円盤形状のベース部２２１と、ベース部２２１の一方の表面を覆う円盤形状の装飾部２２５とを有している。なお、図２９に示すように、ベース部２２１および装飾部２２５の間には隙間が形成されており、その隙間には、後述の光源部２６０および導光板２７５が配置されている（図２８参照）。
【０２１６】
図３０に示すように、ベース部２２１の中央には、装飾部２２５側とは反対方向に突出した、有底円筒形状の突出部２２２が設けられている。この突出部２２２の内側には、第１モータ３２１の回転駆動に伴って回転可能な回転部材３２７が配置可能となっている。第１モータ３２１および回転部材３２７については、後ほど説明する。
【０２１７】
また、ベース部２２１には、３つの円形孔２２３が形成されている（図３０参照）。これら円形孔２２３は、ベース部２２１の中心に対して周方向にほぼ等間隔に配置されている。各円形孔２２３には、支持部２５０から突出する円形突部２５５がそれぞれ挿通される。円形突部２５５については、後ほど説明する。
【０２１８】
装飾部２２５は、無色透明な材質からなる第１樹脂部材と、表面がめっき処理された第２樹脂部材とを組み合わせてできている。この装飾部２２５には、第１表面部２２７と第２表面部２４５とがある（図２９参照）。第２表面部２４５は、可動部２２０において、ベース部２２１と対向する部位である（図３０参照）。第２表面部２４５には、この第２表面部２４５からベース部２２１側に延出する３つの棒状の延出部２４６が設けられている。そして、これら３つの延出部２４６の先端にはベース部２２１が固定されている。そのため図３０に示すように、可動部２２０には、ベース部２２１と装飾部２２５との間に所定の長さ（具体的には延出部２４６の長さ）の隙間が形成されている。
【０２１９】
装飾部２２５の第１表面部２２７は、半球型ボタンユニット２００において、無色透明なカバー部２１０（ドーム部２１１）を介して遊技者が視認可能な部位である（図２７参照）。この第１表面部２２７には、図２７および図２９に示すように、上記第１樹脂部材からなる透光部２２６がある。
【０２２０】
本実施形態の装飾部２２５は、第２表面部２４５および装飾部２２５の内部（第１表面部および第２表面部の間の部位）についても第１樹脂部材からなる。よって、装飾部２２５の第２表面部２４５から光の入射があった場合には、その光は、装飾部２２５の内部を通って第１表面部２２７に達する。そして、第１表面部２２７の透光部２２６を通じて、装飾部２２５の外部に光が出射されることになる。具体的には、装飾部２２５の上方のカバー部２１０のドーム部２１１に向けて光が出射されることになっている。
【０２２１】
支持部２５０は、図３１に示すように、円形状をなした支持本体部２５１と、支持本体部２５１に固定された略円板状の光源部２６０と、導光板２７５とを備えている。支持本体部２５１は、カバー部２１０の円筒部２１２より大径の円形状をなしている。また、支持本体部２５１の周縁付近には、カバー部２１０の第１脚部２１３に対応した第１脚部挿通孔２５３と、第２脚部２１５に対応した第２脚部挿通孔２５４とがある（図３２参照）。また、支持本体部２５１の中央には、略円形の中央孔２５２が形成されている（図３１および図３２参照）。また、支持本体部２５１の表面から突出する棒状の円形突部２５５が設けられている（図３１参照）。これらの円形突部２５５の先端には、光源部２６０および導光板２７５が固定される。なお、図２８に示すように、支持部２５０と可動部２２０の装飾部２２５とは別体である。そのため、光源部２６０と装飾部２２５とは互いに独立している。
【０２２２】
支持本体部２５１の裏面には、第１モータ３２１を固定するための固定治具３２２が取り付けられている（図３１および図３２参照）。この固定治具３２２は、板状の固定部３２３と、この固定部３２３から支持部２５０の支持本体部２５１側に突出する複数の取付片３２５とで構成されている（図３２参照）。取付片３２５が支持本体部２５１の裏面に固定されることで、固定部３２３が支持本体部２５１と平行に配置されるとともに、固定部３２３と支持本体部２５１との間の距離が一定に保たれる（図３２参照）。
【０２２３】
固定部３２３の下面には、回転軸ＡＸ１側の面が重ねられた状態で第１モータ３２１が固定されている。そして、固定部３２３の中央孔３２４には第１モータ３２１の回転軸ＡＸ１が貫通する。かくして、本実施形態では、固定治具３２２によって支持本体部２５１と第１モータ３２１との間の距離が一定に保たれている。
【０２２４】
光源部２６０は、図２８および図３１に示すように略円板形状であり、表面に複数（本実施形態では４つ）のＬＥＤ２６１を配置している。
【０２２５】
導光板２７５は、光源部２６０の各ＬＥＤ２６１から出射された光のうち、光源部２６０の表面に垂直な方向に進む光だけを可動部２２０の装飾部２２５に導光させるためのものである。導光板２７５は、上述の光源部２６０と同じく略円板形状である（図２８および図３１参照）。
【０２２６】
図２８に示す基板部２８０は、上記光源部２６０の複数の各ＬＥＤ２６１の発光を制御するためのものである。なお、本実施形態では、上述したカバー部２１０の押圧操作検出用のフォトセンサ４０ａが実装されている。このフォトセンサ４０ａが、上述した通常ボタン検出スイッチ４０ａに該当する。
【０２２７】
センサスイッチ部２９０は、基板部２８０に実装されたフォトセンサ４０ａを遮光するためのものである（図２８参照）。このセンサスイッチ部２９０には、フォトセンサ４０ａを遮光可能な遮光部２９１が形成されている。また、センサスイッチ部２９０は、長手方向の長さがカバー部２１０の円筒部２１２の直径と略同じ長さの長方形状をなしている。そして、その長手方向両端には、カバー部２１０側に突出する凸部２９２がそれぞれ設けられている（図２８参照）。この凸部２９２には、支持部２５０の第２脚部挿通孔２５４に挿通された第２脚部２１５の凹部２１６が係合する。
【０２２８】
モータ保持部３００は、長手方向の長さがカバー部２１０の円筒部２１２の直径と略同じ長さの長方形状をなしている（図２８参照）。モータ保持部３００の長手方向両端には、カバー部２１０側に延出する壁部３０１がそれぞれ設けられている。この壁部３０１には、円筒部２１２の径方向に突出する係合部３０２が設けられている。また、モータ保持部３００の中央には、略円形の中央孔３０３が形成されている。なお、壁部３０１の係合部３０２には、支持部２５０の第１脚部挿通孔２５３に挿通された第１脚部２１３の係合孔２１４が係合する。
【０２２９】
モータ保持部３００には、第２モータ３３１が取り付けられている（図３３参照）。具体的には、モータ保持部３００の長手方向の一方端側に、モータ収容部３０５が設けられており、そのモータ収容部３０５内に第２モータ３３１が収容されている。その第２モータ３３１の回転軸ＡＸ２には、重心が回転軸ＡＸ２からずれた偏心錘３３２が取り付けられている。
【０２３０】
図２８に示す底部３１０は、支持部２５０と略同じ大きさの円形状をなして、支持部２５０の底部に固定され、カバー部２１０の第１脚部２１３と、第２モータ３３１を含むモータ保持部３００と、第１モータ３２１とを収容する。また、底部３１０とモータ保持部３００との間には、第１付勢バネ３１４および第２付勢バネ３１５が設けられている。第１付勢バネ３１４は、底部３１０および支持部２５０に対して上側に、モータ保持部３００を付勢するためのものである。また、第２付勢バネ３１５は、底部３１０および支持部２５０に対して上側に、センサスイッチ部２９０を付勢するためのものである。
【０２３１】
付勢バネ３１４，３１５によってモータ保持部３００、センサスイッチ部２９０およびカバー部２１０が、底部３１０および支持部２５０に対して上側に付勢される。上述したカバー部２１０のフォトセンサ４０ａは、第２付勢バネ３１５に抗してセンサスイッチ部２９０が下方位置へ配置されたことを検出するようになっている。
【０２３２】
半球型ボタンユニット２００では、カバー部２１０のドーム部２１１および円筒部２１２が、可動部２２０を配置している支持部２５０の上部を覆う構造になっている。上述したようにカバー部２１０は透明な樹脂部材からなるので、カバー部２１０（ドーム部２１１）の内側にある可動部２２０を遊技者が視認可能になっている。
【０２３３】
また、カバー部２１０とモータ保持部３００とが通常ボタン４０をなしている。カバー部２１０が支持部２５０に対して相対的に上下動可能となっている。そして、カバー部２１０が押圧操作されると、それに伴ってモータ保持部３００およびセンサスイッチ部２９０が下方に移動することになる。センサスイッチ部２９０には、１対の遮光部２９１があるため、カバー部２１０とともにセンサスイッチ部２９０が下方に移動した場合には、基板部２８０に配置されたフォトセンサ４０ａにより押圧操作が検出されることになっている。
【０２３４】
７−１−２．通常ボタン（半球型ボタンユニット）の振動機構
次に、通常ボタン４０（半球型ボタンユニット２００）の振動機構の各動作について図３３〜図３６を用いて説明する。
【０２３５】
通常ボタン４０の振動機構には、第１振動機構３２０および第２振動機構３３０の２つがある。まず、第２振動機構３３０について説明する。上述した第２モータ３３１が作動すると、図３３に示すように、回転軸ＡＸ２を中心として第２モータ３３１の上記偏心錘３３２が回転する。すると、その偏心錘３３２の遠心力によって第２モータ３３１が振動し、モータ保持部３００のモータ収容部３０５と衝突する。そして、第２モータ３３１の振動が、モータ収容部３０５を介してモータ保持部３００に伝達され、第１脚部２１３を介してモータ保持部３００と係合するカバー部２１０にも伝達する。これにより、カバー部２１０が振動する。
【０２３６】
上述したようにカバー部２１０の第１脚部２１３は、支持部２５０の第１脚部挿通孔２５３に挿通している。そのため、カバー部２１０は、水平方向（すなわち、支持部２５０の支持本体部２５１が広がる方向）の移動が第１脚部挿通孔２５３の大きさに制限される一方、第１付勢バネ３１４の伸縮により上下方向の移動は許容される。従って、カバー部２１０の振動は、水平方向の振動よりも上下方向の振動が大きい、いわゆる縦揺れ型の振動となっている。
【０２３７】
なお、振動する第２モータ３３１がモータ保持部３００のモータ収容部３０５と衝突する際に、音（振動音）が発生する。そのため、第２振動機構３３０による縦揺れ型の振動が生じている場合に、振動音も生じている。
【０２３８】
次に、可動部２２０の振動機構にあたる第１振動機構３２０について図３４〜図３６を用いて説明する。図３４に、可動部２２０と、この可動部２２０を振動させる第１振動機構３２０とを示す。第１振動機構３２０は、第１モータ３２１と、固定治具３２２と、コイルバネ３２６と、回転部材３２７と、支持部２５０とを備えている。
【０２３９】
可動部２２０は、円盤状のベース部２２１を装飾部２２５で覆った構成になっている。ベース部２２１は、支持部２５０に上方から重ねられ、ベース部２２１の突出部２２２が、支持部２５０の中央孔２５２に遊嵌されている。
【０２４０】
ここで、ベース部２２１の円形孔２２３は、円形突部２５５よりも大径になっていて、円形孔２２３に挿通される円形突部２５５は、円形孔２２３内を移動可能となっている。つまり、ベース部２２１は、円形孔２２３の内周面と円形突部２５５との当接によって移動が制限されている。図３６には、水平面内の一方向に移動して円形突部２５５により移動が制限されたときのベース部２２１を点線で示し、ベース部２２１の移動が許容される範囲Ｑを２点鎖線で示している。本実施形態では、複数の円形孔２２３および円形突部２５５はそれぞれ同じ大きさになっているので、一の円形突部２５５が円形孔２２３の内周面に当接すると、残りの円形突部２５５も円形孔２２３の内周面に当接する。これにより、ベース部２２１と円形突部２５５との当接箇所を、ベース部２２１の周方向に分散させることが可能となる。また、本実施形態では、円形突部２５５が円形孔２２３の内周面に摺接することで、ベース部２２１をスムーズに移動させることが可能となっている。
【０２４１】
回転部材３２７は、ベース部２２１の中央、すなわち、突出部２２２に取り付けられ、ベース部２２１に対して相対回転可能となっている（図３４参照）。具体的には、回転部材３２７は、ベース部２２１と直交する方向に延びてベース部２２１を貫通する回転シャフト３２８と、偏心錘３２９とを備えている。そして、回転シャフト３２８が突出部２２２の中心にベアリング（図示せず）を介して取り付けられることで、回転部材３２７はベース部２２１に対して相対回転可能となっている。
【０２４２】
偏心錘３２９は、回転シャフト３２８の上端に固定されており、回転シャフト３２８と一体に回転する（図３４参照）。偏心錘３２９は、図３５に示すように、平面視、扇形状になっている。ベース部２２１の上面には、偏心錘３２９の回転を許容する円形凹部２２４が形成されており、偏心錘３２９は、円形凹部２２４内を回転する。
【０２４３】
コイルバネ３２６は、第１モータ３２１の回転軸ＡＸ１と同軸に配置されている。そして、コイルバネ３２６の一端が回転軸ＡＸ１に固定されている。また、コイルバネ３２６の他端が、回転部材３２７の回転シャフト３２８に固定されている。
【０２４４】
本実施形態では、図３４に示すように、コイルバネ３２６の自然長は、コイルバネ３２６の他端部に回転部材３２７を介して固定されたベース部２２１（可動部２２０）が支持部２５０から浮き上がる長さになっている。具体的に、上述の固定治具３２２は、支持部２５０と第１モータ３２１との間隔を、コイルバネ３２６が自然長のときにベース部２２１（可動部２２０）が支持部２５０から浮き上がる長さとなるように保っている。
【０２４５】
次に、第１振動機構３２０の動作について説明する。上述の第１モータ３２１が作動すると、回転軸ＡＸ１を中心としてコイルバネ３２６の他端と回転部材３２７が旋回する。すると、ベース部２２１（円形凹部２２４）が偏心錘３２９に押されて、可動部２２０も旋回しようとする。
【０２４６】
なお、回転部材３２７には回転軸ＡＸ１から偏心した偏心錘３２９を備えているので、回転部材３２７の旋回半径が大きくなり、ベース部２２１が支持部２５０の円形突部２５５と衝突する。従って、ベース部２２１は、図３６に示した範囲Ｑ内を、支持部２５０の円形突部２５５との衝突を繰り返しながら、水平方向（すなわち、回転軸ＡＸ１に垂直な方向）に振動する（揺れ動く）。
【０２４７】
また、本実施形態では、コイルバネ３２６が第１モータ３２１の回転軸ＡＸ１と同軸に配置され、可動部２２０の水平方向に弾性曲げ変形可能となっているので、ベース部２２１は、旋回する回転部材３２７の遠心力と、衝突した円形突部２５５から受ける抗力と、コイルバネ３２６の復元力の影響を受けて移動することになり、ベース部２２１を回転軸ＡＸ１に垂直な方向、すなわち、回転軸ＡＸ１に垂直な平面内でランダムに振動させることが可能になっている。
【０２４８】
このように、可動部２２０のベース部２２１は、図３６に示した範囲Ｑ内を、水平方向にランダム振動する。また、コイルバネ３２６の伸縮により、可動部２２０は、上下方向の振動も許容される。従って、可動部２２０は、上下方向と水平方向の両方の振動が許容される。
【０２４９】
また、ベース部２２１が支持部２５０の円形突部２５５との衝突する際に、音が発生する。そのため、第１振動機構３２０による可動部２２０の振動が生じている場合に、音も生じている。
【０２５０】
以上により、可動部２２０の振動パターンは、上述した縦揺れ型のカバー部２１０の振動とは異なる振動パターンになっている。このように、本パチンコ遊技機ＰＹ１では、カバー部２１０と可動部２２０の振動パターンが異なっているので、２つの部材の振動の区別を容易にすることが可能となっている。
【０２５１】
また、カバー部２１０は上下方向に振動するので（具体的には、遊技者の視点に近づく方向および遠のく方向に沿って振動するので）、そのカバー部２１０の振動は、遊技者に視認困難となっている。これに対し、可動部２２０は、回転軸ＡＸ１に垂直な方向に振動するので、可動部２２０の振動は、カバー部２１０の振動よりも遊技者に視認され易くなっている。これにより、可動部２２０の振動状態を、可動部２２０を覆うカバー部２１０の振動状態よりも視覚的に際立たせることが可能となっている。
【０２５２】
また本実施形態では、上述したように、円形突部２５５を通じて光源部２６０が支持部２５０に固定されている。一方、可動部２２０は支持部２５０に対して変位可能である。すなわち、光源部２６０は、可動部２２０の装飾部２２５の変位の有無によらず、その装飾部２２５を除いた所定の位置に配置されている。つまり、光源部２６０は、装飾部２２５が変位しても、その装飾部２２５の変位に伴って変位しない。よって、装飾部２２５が変位するときには、光源部２６０に対して相対的に変位することになる。つまり、変位している装飾部２２５と光源部２６０との間で、相対的な位置関係を変化させることが可能となっている。
【０２５３】
７−２．盤下可動体
次に、上述した盤下可動体５６ｋについて、図５に基づいてさらに説明する。盤下可動体５６ｋは、図５（Ａ）に示す通常の待機状態（待機位置）では、表示部５０ａの下縁の前方に配置されている。この盤下可動体５６ｋは、その待機位置から、図５（Ｂ）に示す、待機位置よりも上方の動作位置に移動（上昇）可能となっている。
【０２５４】
本実施形態の盤下可動体５６ｋの表面には、複数（具体的には４個）の盤下ランプ５６ｘが配されている（図５参照）。これら盤下ランプ５６ｘは、点滅又は点灯可能である。すなわち、盤下ランプ５６ｘの点灯態様には「点滅」および「点灯」がある。また、盤下ランプ５６ｘは「青」および「赤」を含む複数の発光色で点滅又は点灯可能となっている。さらに盤下ランプ５６ｘは、盤下可動体５６ｋが待機位置にあるときでも、動作位置にあるときでも、移動中でも点滅又は点灯可能となっている。
【０２５５】
７−３．サイドランプ
次に、サイドランプ５７ｘについて図５に基づいて説明する。図５に示すように、サイドランプ５７ｘは、表示部５０ａの左前方に設けられた左幕板５７Ｌ、および、表示部５０ａの右前方に設けられた右幕板５７Ｒにそれぞれ配されている。本実施形態では、左幕板５７Ｌに３つのサイドランプ５７ｘが上下方向に一列に並んでいる。また、右幕板５７Ｒにも３つのサイドランプ５７ｘが上下方向に一列に並んでいる。
【０２５６】
サイドランプ５７ｘは所定の大きさの星形状である。サイドランプ５７ｘは、上記盤下ランプ５６ｘと同じように点滅又は点灯可能である。つまり、サイドランプ５７ｘの点灯態様には「点滅」および「点灯」がある。またサイドランプ５７ｘは「青」および「赤」を含む複数の発光色で点滅又は点灯可能となっている。
【０２５７】
７−４．各種演出
次に、本実施形態における各種演出について説明する。本実施形態の演出制御用マイコン１２１は、特図変動演出において「第１組み合わせ演出」および「第２組み合わせ演出」をそれぞれ実行可能である。本実施形態では、第１組み合わせ演出の実行後に続いて第２組み合わせ演出が実行され得る。
【０２５８】
７−４−１．特図変動演出
まず、本実施形態の特図変動演出について説明する。上述したように、特図変動演出では、表示部５０ａ上で、３つの演出図柄ＥＺ１，ＥＺ２，ＥＺ３、および、３つの小図柄ＫＺ１，ＫＺ２，ＫＺ３が変動表示、仮停止表示又は停止表示される。
【０２５９】
本実施形態の演出図柄ＥＺ１，ＥＺ２，ＥＺ３には８種類の異なる図柄がある。具体的に左演出図柄ＥＺ１、中演出図柄ＥＺ２および右演出図柄ＥＺ３にはそれぞれ、数字「１」を示す画像、数字「２」を示す画像、数字「３」を示す画像、数字「４」を示す画像、数字「５」を示す画像、数字「６」を示す画像、数字「７」を示す画像および数字「８」を示す画像からなる図柄がある。また、小図柄ＫＺ１，ＫＺ２，ＫＺ３にも、演出図柄ＥＺ１，ＥＺ２，ＥＺ３にそれぞれ対応した８種類の図柄がある。
【０２６０】
７−４−２．ボタン振動演出
次に、本実施形態におけるボタン振動演出について説明する。このボタン振動演出は、上述した半球型ボタンユニット２００からなる通常ボタン４０の振動を伴う演出である。つまり、その通常ボタン４０を振動させる演出である。
【０２６１】
本実施形態では、ボタン振動演出の実行に伴って、半球型ボタンユニット２００のカバー部２１０および可動部２２０がいずれも振動する。そのため、このボタン振動演出が行われている間、通常ボタン４０（半球型ボタンユニット２００）のカバー部２１０の振動、および、通常ボタン４０（半球型ボタンユニット２００）の可動部２２０の振動を知覚可能になっている。つまり遊技者は、通常ボタン４０の振動動作を複数の知覚（聴覚、触覚又は視覚）を通じて把握することが可能となっている。かくして、実行中のボタン振動演出を把握し易くなっている。
【０２６２】
７−４−３．ボタン発光演出
次に、本実施形態におけるボタン発光演出について説明する。このボタン発光演出は、通常ボタン４０の上記光源部２６０のＬＥＤ２６１を発光させる演出である。ＬＥＤ２６１からの光は、導光板２７５および、可動部２２０の透光部２２６を通じて、通常ボタン４０の外部に向けて視認可能に出射される。このボタン発光演出では、４つのＬＥＤ２６１の全てが用いられる。
【０２６３】
また、ボタン発光演出におけるＬＥＤ２６１の発光色には「青」および「赤」を含む複数種類のものがある。このボタン発光演出が実行される場合には、ＬＥＤ２６１が点滅する。つまり、ボタン発光演出の実行時におけるＬＥＤ２６１の発光態様は「点滅」である。
【０２６４】
７−４−４．盤下ランプ演出
次に、本実施形態における盤下ランプ演出について説明する。この盤下ランプ演出は、上述した盤下ランプ５６ｘを用いたランプ演出である。具体的には、盤下可動体５６ｋが待機位置のときに盤下ランプ演出が行われる。また、盤下ランプ演出が行われるときの盤下ランプ５６ｘの点灯態様は「点滅」で、発光色は「青」又は「赤」である。
【０２６５】
７−４−５．サイドランプ演出
次に、本実施形態におけるサイドランプ演出について説明する。このサイドランプ演出は、上述したサイドランプ５７ｘを用いたランプ演出である。具体的には、サイドランプ演出が行われるときのサイドランプ５７ｘの点灯態様は「点滅」で、発光色は「青」又は「赤」である。
【０２６６】
７−４−６．第１画像演出
次に、本実施形態における第１画像演出について図３７を用いて説明する。この第１画像演出は、上述した表示部５０ａに第１特殊画像Ｇ２１０を表示する画像演出である。第１特殊画像Ｇ２１０には、中心画像Ｇ２１１と、複数の外郭画像Ｇ２１２と、第１背景画像Ｇ２１９とが含まれる（図３７参照）。
【０２６７】
中心画像Ｇ２１１は、表示部５０ａの左端又は右端に表示される。この中心画像Ｇ２１１は、図３７に示すように、サイドランプ５７ｘの左側および右側に、上下方向一列に並んでいる。また、中心画像Ｇ２１１は、星形状の一部が欠けた表示である。具体的には図３７に示すように、表示部５０ａの左端に配置された中心画像Ｇ２１１は、左幕板５７Ｌ側が部分的に欠けている。一方、表示部５０ａの右端に配置された中心画像Ｇ２１１は、右幕板５７Ｒ側が部分的に欠けている。さらに中心画像Ｇ２１１は、サイドランプ５７ｘの大きさと同程度の大きさである。
【０２６８】
外郭画像Ｇ２１２は、中心画像Ｇ２１１の外周に位置する画像である（図３７参照）。この外郭画像Ｇ２１２は、中心画像Ｇ２１１から外方に広がる線状のものである。つまり中心画像Ｇ２１１から広がる「波紋」を表した画像である。この外郭画像Ｇ２１２に用いられる線は、中心画像Ｇ２１１から離れるにつれて徐々に細くなり、最終的に表示が無くなる。
【０２６９】
第１背景画像Ｇ２１９は、特図変動演出が行われている演出モードによって異なる。具体的に例えば、その演出モードが上述の通常演出モード、且つ、通常前段演出モードであれば、上述の昼間通常用背景画像Ｇ１０２（図１６（Ｂ−１））、夕方通常用背景画像Ｇ１０３（図１６（Ｂ−２））又は夜間通常用背景画像Ｇ１０４（図１６（Ｂ−３））が第１背景画像Ｇ２１９に該当する。また例えば、特図変動演出が行われている演出モードが通常演出モード、且つ、上述の通常後段演出モードであれば、例えばＳＰリーチ用背景画像Ｇ１１３（図１９（Ａ））といった、リーチの種類に応じた専用の背景画像が第１背景画像Ｇ２１９に該当する。
【０２７０】
また例えば、特図変動演出が行われている演出モードが上述の確変演出モード、且つ、確変前段演出モードであれば、確変用背景画像Ｇ１０５（図１６（Ｂ−４））が第１背景画像Ｇ２１９に該当する。また例えば、特図変動演出が行われている演出モードが確変演出モード、且つ、上述の確変後段演出モードであれば、リーチの種類に応じた専用の背景画像が第１背景画像Ｇ２１９に該当する。
【０２７１】
また例えば、特図変動演出が行われている演出モードが上述の時短演出モード、且つ、時短前段演出モードであれば、時短用背景画像Ｇ１０６（図１６（Ｂ−５））が第１背景画像Ｇ２１９に該当する。また例えば、特図変動演出が行われている演出モードが時短演出モード、且つ、上述の時短後段演出モードであれば、リーチの種類に応じた専用の背景画像が第１背景画像Ｇ２１９に該当する。
【０２７２】
本実施形態では、第１画像演出が行われるときの中心画像Ｇ２１１の表示態様は「点滅」である。また、外郭画像Ｇ２１２は、中心画像Ｇ２１１の点滅における点灯時に、その点灯した中心画像Ｇ２１１から発生する。しかも外郭画像Ｇ２１２は、中心画像Ｇ２１１の点灯毎に発生する。これにより表示部５０ａ上には、１つの中心画像Ｇ２１１について外郭画像Ｇ２１２が複数表示されることになる。
【０２７３】
７−４−７．第２画像演出
次に、本実施形態における第２画像演出について図３９および図４０を用いて説明する。この第２画像演出は、上述した表示部５０ａに第２特殊画像Ｇ２２０を表示する画像演出である。第２特殊画像Ｇ２２０には、中心画像Ｇ２１１と、閃光画像Ｇ２２２と、第２背景画像Ｇ２２９とが含まれる（図３９および図４０参照）。なお、中心画像Ｇ２１１は、第１特殊画像Ｇ２１０のものと同じである。
【０２７４】
閃光画像Ｇ２２２は、中心画像Ｇ２１１から表示部５０ａの左右方向の中心に向けて延出する画像である（図３９および図４０参照）。この閃光画像Ｇ２２２は、中心画像Ｇ２１１から離れるにつれて先端が細くなっており、中心画像Ｇ２１１から光が放射されているように見せることが可能となっている。
【０２７５】
第２背景画像Ｇ２２９は黒地の背景画像である（図３９および図４０参照）。第２画像演出が行われる場合には、それまで行われていた第１特殊画像Ｇ２１０の第１背景画像Ｇ２１９から第２背景画像Ｇ２２９に背景画像が変化する。よって、表示部５０ａにおいて第１背景画像Ｇ２１９が非表示となる。これにより、第２画像演出が行われる場合には、黒地の第２背景画像Ｇ２２９上で中心画像Ｇ２１１および閃光画像Ｇ２２２が表示されることになる。よって、中心画像Ｇ２１１および閃光画像Ｇ２２２が遊技者にとって見やすくなり、それら画像が目立ち易い。
【０２７６】
本実施形態では、第２画像演出が行われるときの中心画像Ｇ２１１の表示態様は「点滅」である。また、閃光画像Ｇ２２２は、中心画像Ｇ２１１の点滅における点灯時に、その点灯した中心画像Ｇ２１１から異なる表示態様で表示される。つまり、中心画像Ｇ２１１の点滅における１回の点灯において、閃光画像Ｇ２２２の表示態様が複数回切り替わる。具体的には、１回の中心画像Ｇ２１１の点灯において、図３９に示す表示態様、および図４０に示す表示態様を含む複数の表示態様に切り替わる。そのため、そのような閃光画像Ｇ２２２に遊技者の注目を集めることが可能となっている。
【０２７７】
７−４−８．第１組み合わせ演出
本実施形態では、上述のボタン振動演出と、ボタン発光演出と、盤下ランプ演出と、サイドランプ演出と、第１画像演出とが所定の第１実行期間内に並行して実行され得る。これら各種演出をまとめて第１組み合わせ演出という。
【０２７８】
この第１組み合わせ演出では、図３８に示すように、ボタン発光演出における通常ボタン４０のＬＥＤ２６１の点滅の周期、盤下ランプ演出における盤下ランプ５６ｘの点滅の周期、サイドランプ演出におけるサイドランプ５７ｘの点滅の周期、および、第１画像演出における中心画像Ｇ２１１の点滅表示の周期が同じである。しかも、この第１組み合わせ演出におけるボタン発光演出、盤下ランプ演出、サイドランプ演出および第１画像演出のいずれの実行開始時期（開始タイミング）が同じである。そのため第１組み合わせ演出の実行中には、通常ボタン４０のＬＥＤ２６１、盤下ランプ５６ｘおよびサイドランプ５７ｘが同調して（同じタイミングで）点灯したり消灯したりする。
【０２７９】
さらに、それらランプ類の点灯および消灯に合わせて、中心画像Ｇ２１１が表示部５０ａ上に表示したり非表示になったりする。よって、第１組み合わせ演出が行われる場合には、点灯態様（又は表示態様）に関して、ボタン発光演出の実行と盤下ランプ演出の実行とサイドランプ演出の実行と第１画像演出の実行とが相互に連動している（図３８参照）。
【０２８０】
また、通常ボタン４０のＬＥＤ２６１の点灯時の発光色、盤下ランプ５６ｘの点灯時の発光色、サイドランプ５７ｘの点灯時の発光色、および、第１画像演出における中心画像Ｇ２１１および外郭画像Ｇ２１２の表示色がいずれも同じである（図３８参照）。具体的に例えば、盤下ランプ５６ｘの点灯時の発光色、サイドランプ５７ｘの点灯時の発光色、および、中心画像Ｇ２１１および外郭画像Ｇ２１２の表示色が「青」であれば、通常ボタン４０のＬＥＤ２６１の点灯時の発光色も「青」である。また例えば、盤下ランプ５６ｘの発光色、サイドランプ５７ｘの発光色、および、中心画像Ｇ２１１および外郭画像Ｇ２１２の表示色が「赤」であれば、通常ボタン４０のＬＥＤ２６１の発光色も「赤」である。かくして、第１組み合わせ演出が行われる場合には、発光色（又は表示色）に関しても、ボタン発光演出の実行と盤下ランプ演出の実行とサイドランプ演出の実行と第２画像演出の実行とが相互に連動している。
【０２８１】
しかも、第１振動機構３２０の偏心錘３２９の回転周期と、ＬＥＤ２６１の点滅の周期、盤下ランプ５６ｘの点滅の周期、サイドランプ５７ｘの点滅の周期および中心画像Ｇ２１１の点滅表示の周期とが関連づけられている（図３８参照）。具体的には、第１組み合わせ演出における上記ＬＥＤ２６１等の点滅の１周期（「点灯」および「消灯」を組み合わせた１周期）の間に、第１振動機構３２０の偏心錘３２９が４回転、一定速で回転する。
【０２８２】
第２振動機構３３０の偏心錘３３２の回転周期もまた、上記ＬＥＤ２６１等の点滅の周期と関連づけられている（図３８参照）。具体的には、第１組み合わせ演出における上記ＬＥＤ２６１等の点滅の１周期の間に、第２振動機構３３０の偏心錘３３２が５回転、一定速で回転する。
【０２８３】
そして、第１組み合わせ演出におけるボタン発光演出の実行開始に合わせて、ボタン振動演出もまた実行が開始される。つまり、第１組み合わせ演出におけるボタン発光演出およびボタン振動演出のいずれの実行開始時期（開始タイミング）も同じである。
【０２８４】
以上により、第１組み合わせ演出では、ボタン振動演出における可動部２２０の振動およびカバー部２１０の振動と、ボタン発光演出におけるＬＥＤ２６１の点滅、盤下ランプ演出における盤下ランプ５６ｘの点滅、サイドランプ演出におけるサイドランプ５７ｘの点滅、および、第１画像演出における中心画像Ｇ２１１の表示とが連動している。
【０２８５】
なお、第２振動機構３３０では、偏心錘３３２の回転に伴う第２モータ３３１さらにはカバー部２１０の振動周期もまた、第１組み合わせ演出におけるＬＥＤ２６１等の点滅の周期と関連づけられることになる。従って、ボタン振動演出におけるカバー部２１０の振動と、ボタン発光演出、盤下ランプ演出、サイドランプ演出および第１画像演出との連動について、遊技者が認識可能となっている。
【０２８６】
７−４−９．第２組み合わせ演出
本実施形態では、上述のボタン振動演出と、ボタン発光演出と、サイドランプ演出と、第２画像演出とが所定の第２実行期間内に並行して実行され得る。これら各種演出をまとめて第２組み合わせ演出という。
【０２８７】
この第２組み合わせ演出では、第１組み合わせ演出と同じように、ボタン発光演出における通常ボタン４０のＬＥＤ２６１の点滅の周期、サイドランプ演出におけるサイドランプ５７ｘの点滅の周期、および、第２画像演出における中心画像Ｇ２１１の点滅表示の周期が同じである（図３８参照）。しかも、第１組み合わせ演出と同じく、第２組み合わせ演出におけるボタン発光演出、サイドランプ演出および第２画像演出のいずれの実行開始時期（開始タイミング）も同じである。
【０２８８】
そのため、第２組み合わせ演出の実行中には、ほぼ同じタイミングで、通常ボタン４０のＬＥＤ２６１およびサイドランプ５７ｘが点灯したり消灯したりする。その上、それらランプ類の点灯および消灯に合わせて、中心画像Ｇ２１１が表示部５０ａ上に出現したり消えたりする。よって、第２組み合わせ演出が行われる場合には、点灯態様（又は表示態様）に関して、ボタン発光演出の実行とサイドランプ演出の実行と第２画像演出の実行とが相互に連動している（図３８参照）。
【０２８９】
また、第１組み合わせ演出と同じように、通常ボタン４０のＬＥＤ２６１の点灯時の発光色、盤下ランプ５６ｘの点灯時の発光色、サイドランプ５７ｘの点灯時の発光色、および、第１画像演出における中心画像Ｇ２１１および閃光画像Ｇ２２２の表示色がいずれも同じである（図３８参照）。具体的に例えば、盤下ランプ５６ｘの点灯時の発光色、サイドランプ５７ｘの点灯時の発光色、および、中心画像Ｇ２１１および閃光画像Ｇ２２２の表示色が「青」であれば、通常ボタン４０のＬＥＤ２６１の点灯時の発光色も「青」である。また例えば、盤下ランプ５６ｘの発光色、サイドランプ５７ｘの発光色、および、中心画像Ｇ２１１および閃光画像Ｇ２２２の表示色が「赤」であれば、通常ボタン４０のＬＥＤ２６１の発光色も「赤」である。かくして、第２組み合わせ演出が行われる場合には、発光色（又は表示色）に関しても、ボタン発光演出の実行とサイドランプ演出の実行と第２画像演出の実行とが相互に連動している。
【０２９０】
しかも、第１組み合わせ演出と同じように、第１振動機構３２０の偏心錘３２９の回転周期と、ＬＥＤ２６１の点滅の周期、サイドランプ５７ｘの点滅の周期および中心画像Ｇ２１１の点滅表示の周期とが関連づけられている（図３８参照）。具体的には、第２組み合わせ演出における上記ＬＥＤ２６１等の点滅の１周期の間に、第１振動機構３２０の偏心錘３２９が４回転、一定速で回転する。
【０２９１】
第２振動機構３３０の偏心錘３３２の回転周期もまた、上記ＬＥＤ２６１等の点滅の周期と関連づけられている（図３８参照）。具体的には、第２組み合わせ演出における上記ＬＥＤ２６１等の点滅の１周期の間に、第２振動機構３３０の偏心錘３３２が５回転、一定速で回転する。
【０２９２】
そして、第２組み合わせ演出においても、第１組み合わせ演出と同じく、ボタン発光演出の実行開始に合わせて、ボタン振動演出もまた実行が開始される。
【０２９３】
従って、第２組み合わせ演出では、第１組み合わせ演出と同じように、ボタン振動演出における可動部２２０の振動およびカバー部２１０の振動と、ボタン発光演出におけるＬＥＤ２６１の点滅、サイドランプ演出におけるサイドランプ５７ｘの点滅、および、第２画像演出における中心画像Ｇ２１１の表示とが連動している。
【０２９４】
なお、第２振動機構３３０では、偏心錘３３２の回転に伴う第２モータ３３１さらにはカバー部２１０の振動周期もまた、第２組み合わせ演出におけるＬＥＤ２６１等の点滅の周期と関連づけられることになる。従って、第１組み合わせ演出と同じように、ボタン振動演出におけるカバー部２１０の振動と、ボタン発光演出、サイドランプ演出および第２画像演出との連動について、遊技者が認識可能となっている。
【０２９５】
また、第２組み合わせ演出には、第１組み合わせ演出とは異なり、盤下ランプ演出がない。つまり、第１組み合わせ演出の後に行われる第２組み合わせ演出では盤下ランプ５６ｘが点灯することはない。
【０２９６】
図４１には、本パチンコ遊技機ＰＹ１のうち、表示部５０ａおよび通常ボタン４０を含む部分を正面視した図を、図４２には右方から見た図をそれぞれ示す。図４１によれば、正面視した本パチンコ遊技機ＰＹ１では通常ボタン４０の上方に盤下ランプ５６ｘが配置されている。さらに、盤下ランプ５６ｘの上方に表示部５０ａが配置されている。しかも、図４２に示すように、本パチンコ遊技機ＰＹ１の表示部５０ａは、遊技者の視線位置ＶＰのほぼ正面にくる位置にある。そのため、盤下ランプ５６ｘおよび、その盤下ランプ５６ｘの下方の通常ボタン４０は、上方から遊技者に視認され得る（図４２参照）。
【０２９７】
従って、第１組み合わせ演出のように、ボタン発光演出と、通常ボタン４０の上方に位置する盤下ランプ５６ｘが点滅する盤下ランプ演出とがともに実行された場合に、遊技者の注目がボタン発光演出よりも盤下ランプ演出に集まり易い。それは、特図変動演出が行われている表示部５０ａを見ている遊技者にとって、通常ボタン４０よりも盤下ランプ５６ｘの方が、少ない視線移動で視野に入り易いためである。
【０２９８】
そこで、第２組み合わせ演出では、サイドランプ演出、ボタン発光演出および第１画像演出に加え盤下ランプ演出が実行される第１組み合わせ演出とは異なり、サイドランプ演出、ボタン発光演出および第２画像演出が実行されるけれども、盤下ランプ演出は行われない。そのため第２組み合わせ演出では、第１組み合わせ演出の実行時よりも、通常ボタン４０さらにはボタン発光演出に遊技者の注目が集まり易い。
【０２９９】
８．第１実施形態の効果
以上詳細に説明したように、第１実施形態のパチンコ遊技機ＰＹ１の第１組み合わせ演出の実行ではボタン振動演出と連動して第１画像演出が行われ、第２組み合わせ演出ではボタン振動演出と連動して第２画像演出が行われる。具体的に第１組み合わせ演出の実行時には、ボタン振動演出の偏心錘３２９，３３２の回転周期と、第１画像演出の中心画像Ｇ２１１の表示態様における点滅の周期とが同調している。第２組み合わせ演出の実行時にも、ボタン振動演出の偏心錘３２９，３３２の回転周期と、第２画像演出の中心画像Ｇ２１１の表示態様における点滅の周期とが同調している。
【０３００】
よって、第１組み合わせ演出が行われた場合にボタン振動演出と第１画像演出とは連動して行われるため、単なる２つの演出の寄せ集めではなく、それら２つの演出の間に一体感があるのを遊技者に印象づけることが可能となっている。
【０３０１】
また、第２組み合わせ演出が行われた場合にも、ボタン振動演出と第２画像演出とは連動して行われるため、それらの間に一体感があるのを遊技者に印象づけることが可能となっている。かくして演出の興趣向上が可能である。
【０３０２】
また、第１組み合わせ演出および第２組み合わせ演出でのボタン発光演出では、「点滅」の発光態様でＬＥＤ２６１が発光する。そして第１組み合わせ演出の実行時には、ボタン発光演出のＬＥＤ２６１の「点滅」と第１画像演出の中心画像Ｇ２１１の「点滅」とが同調している。また、第２組み合わせ演出の実行時には、ボタン発光演出のＬＥＤ２６１の「点滅」と第２画像演出の中心画像Ｇ２１１の「点滅」とが同調する。つまり、ボタン振動演出の実行と連動して第１画像演出（又は第２画像演出）が行われる場合には、さらにその第１画像演出（又は第２画像演出）と連動してボタン発光演出が行われる。
【０３０３】
よって、ボタン振動演出および第１画像演出（又は第２画像演出）に加えボタン発光演出が行われた場合には、それら演出の間での一体感を保ちつつ、それら演出による迫力を遊技者に印象づけることが可能となっている。
【０３０４】
また、第１画像演出（又は第２画像演出）の中心画像Ｇ２１１は、「赤」の表示色で表示されるときがあり、第１組み合わせ演出（又は第２組み合わせ演出）にて「赤」で中心画像Ｇ２１１を表示する第１画像演出（又は第２画像演出）が実行される場合には、その表示色と同じ「赤」でＬＥＤ２６１が発光する。そのため、第１画像演出（又は第２画像演出）にボタン発光演出が連動して行われた場合には、それら演出の間での一体感を遊技者に確実に印象づけることが可能となっている。
【０３０５】
また、第２組み合わせ演出では、第１組み合わせ演出とは異なり、通常ボタン４０の振動中に盤下ランプ５６ｘの発光がない（制限される）。そのため、第２組み合わせ演出における盤下ランプ５６ｘへの遊技者の注目度を低下させることが可能となっている。そして、実行中のボタン振動演出、ボタン発光演出、サイドランプ演出あるいは第２画像演出への注目度を向上させることが可能となっている。つまり、盤下ランプ演出の実行を伴う第１組み合わせ演出よりも、盤下ランプ演出の実行が制限される第２組み合わせ演出の方が、ボタン振動演出、ボタン発光演出、サイドランプ演出および画像演出（第２画像演出）を際立たせることが可能となっている。
【０３０６】
また、図４２に示すように、通常ボタン４０も盤下ランプ５６ｘも遊技者に上方から視認され得る位置にある。そして盤下ランプ５６ｘは、図４１に示すように、正面視で通常ボタン４０の上方に配置されている。そのため第１組み合わせ演出の実行中には盤下ランプ５６ｘの発光があるため、その盤下ランプ５６ｘよりもさらに下方に位置する通常ボタン４０にまで遊技者が視線を落としづらい（向けづらい）。
【０３０７】
それに対し、第２組み合わせ演出の実行中には、通常ボタン４０の上方にある盤下ランプ５６ｘの発光が制限されることで、第１組み合わせ演出の実行時よりもボタン振動演出およびボタン発光演出が際立ち易い。そのため、第１組み合わせ演出の実行時よりも遊技者は通常ボタン４０に視線を向け易く、ボタン振動演出又はボタン発光演出への遊技者の注目度を確実に向上可能となっている。
【０３０８】
また、盤下ランプ５６ｘは、正面視で通常ボタン４０と表示部５０ａとの間に配置されている（図４１参照）。そして第２組み合わせ演出では、表示部５０ａに中心画像Ｇ２１１が表示される第２画像演出と連動して、ボタン振動演出が行われる。そのため、それら第２画像演出およびボタン振動演出の間にある一体感に加え、それら第２画像演出およびボタン振動演出による大きなスケール感（より広範な演出感）を遊技者に印象づけることが可能となっている。
【０３０９】
また、第１組み合わせ演出の実行では、サイドランプ５７ｘを点滅表示させるサイドランプ演出と連動して第１画像演出が行われ、第２組み合わせ演出ではサイドランプ演出と連動して第２画像演出が行われる。具体的に第１組み合わせ演出の実行時には、サイドランプ演出のサイドランプ５７ｘの点滅の周期と、第１画像演出の中心画像Ｇ２１１の点滅表示の周期とが同調している。第２組み合わせ演出の実行時にも、サイドランプ演出のサイドランプ５７ｘの点滅の周期と、第２画像演出の中心画像Ｇ２１１の点滅表示の周期とが同調している。
【０３１０】
よって、第１組み合わせ演出が行われた場合には、それらサイドランプ演出と第２画像演出とが単なる２つの演出の寄せ集めではなく、それら２つの演出の間に一体感があるのを遊技者に印象づけることが可能となっている。
【０３１１】
また、第２組み合わせ演出が行われた場合にも、それらサイドランプ演出と第２画像演出との間に一体感があるのを遊技者に印象づけることが可能となっている。
【０３１２】
また、第１組み合わせ演出の実行時に、サイドランプ演出におけるサイドランプ５７ｘの点滅と連動して中心画像Ｇ２１１を点滅表示させる第１画像演出が行われる場合には、表示中の第１背景画像Ｇ２１９上に中心画像Ｇ２１１が点滅表示される（図３７参照）。それに対し、第２組み合わせ演出の実行時に、サイドランプ演出におけるサイドランプ５７ｘの点滅と連動して中心画像Ｇ２１１を点滅表示させる第２画像演出が行われる場合には、その第１背景画像Ｇ２１９を表示部５０ａに非表示にして（具体的には黒地の背景画像である第２背景画像Ｇ２２９を表示して）、中心画像Ｇ２１１が点滅表示される。よって、第１背景画像Ｇ２１９の表示上で中心画像Ｇ２１１を点滅させるよりも、その第１背景画像Ｇ２１９が非表示の方が、サイドランプ演出と第２点滅演出との間に一体感があることを遊技者に気付かせ易い。
【０３１３】
また、第２組み合わせ演出では、第１組み合わせ演出とは異なり、中心画像Ｇ２１１を点滅させる第２画像演出の実行中に盤下ランプ５６ｘの発光がない。そのため、第２組み合わせ演出における盤下ランプ５６ｘへの遊技者の注目度を低下させて、第１組み合わせ演出よりも、サイドランプ演出および画像演出（第２画像演出）を際立たせることが可能となっている。
【０３１４】
また、盤下ランプ演出の実行によって、第２組み合わせ演出におけるサイドランプ演出および画像演出の実行の邪魔になるのを防ぐことが可能となっている。つまり、第２組み合わせ演出におけるサイドランプ演出と第２点滅演出との一体感が薄れてしまうのを抑えることが可能となっている。
【０３１５】
９．変更例
次に、上記第１実施形態のパチンコ遊技機ＰＹ１の変更例について説明する。なお、変更例の説明において、第１実施形態のパチンコ遊技機ＰＹ１と同様の構成については、同じ符号を付して説明を省略する。勿論、変更例に係る構成同士を適宜組み合わせて構成してもよい。また、上記第１実施形態および下記変更例中の技術的特徴は、本明細書において必須なものとして説明されていなければ、適宜、削除することが可能である。
【０３１６】
上記第１実施形態では、通常ボタン４０（半球型ボタンユニット２００）を振動体としたが、通常ボタン４０以外の部位（装置，手段）を振動体としてもよい。具体的に例えば、振動動作のみを行う部位（装置）でもよい。また、遊技機枠２を振動体としてもよい。また、振動体を遊技機枠２に設けた構成としたが、振動体を遊技盤に設けた構成としてもよい。
【０３１７】
また、上記第１実施形態では、振動体を第１振動機構および第２振動機構を備えたものとしたが、第１振動機構又は第２振動機構を備えた振動体としてもよい。また、ＬＥＤ２６１が可動部２２０ではなく、それとは別体の光源部２６０に配置された構成としたが、ＬＥＤが可動部に配置された構成でもよい。また、４つのＬＥＤ２６１を配置した構成としたが、４つ以外の数のＬＥＤを配置した構成としてもよい。
【０３１８】
また、上記第１実施形態では、表示体（或いは第２表示体）を液晶ディスプレイからなる表示部５０ａとした。しかしながら、ドット表示器からなる表示部や、７セグ表示器からなる表示部としてもよい。
【０３１９】
また、表示部５０ａ以外の表示部を別に備えた遊技機において、表示体（第２表示体）をその表示部５０ａ以外の表示部としてもよい。そのような場合の表示部としては、例えば液晶ディスプレイ、ドット表示器又は７セグ表示器で構成されたものが挙げられる。
【０３２０】
また、上記第１実施形態では、所定の演出表示（或いは第２の演出表示）を中心画像Ｇ２１１とした。しかしながら、中心画像Ｇ２１１以外の画像でもよい。具体的に例えば、上記第１実施形態ではサイドランプと同じ形状（星形状）の一部分の画像（中心画像Ｇ２１１）を所定の演出表示（第２の演出表示）としたが、サイドランプとは異なる形状の一部分の画像でもよい。また例えば、上記第１実施形態ではサイドランプと同じ大きさの画像（中心画像Ｇ２１１）を所定の演出表示（第２の演出表示）としたが、サイドランプとは異なる大きさの画像でもよい。また例えば、上記第１実施形態ではサイドランプと同じ色の画像（中心画像Ｇ２１１）を所定の演出表示（第２の演出表示）としたが、サイドランプとは異なる色の画像でもよい。
【０３２１】
また、上記第１実施形態では、中心画像Ｇ２１１（所定の演出表示，第２の演出表示）を点滅表示する第１画像演出および第２画像演出を表示演出とした。しかしながら、所定の演出表示を点灯表示する演出を表示演出としてもよい。
【０３２２】
また、上記第１実施形態では、中心画像Ｇ２１１（所定の演出表示，第２の演出表示）に加え外郭画像Ｇ２１２も用いた第１画像演出としたが、外郭画像Ｇ２１２を用いない構成の第１画像演出でもよい。また、外郭画像Ｇ２１２以外の画像でもよい。具体的に例えば、上記第１実施形態では所定の演出表示と同じ形状の画像としたが、所定の演出表示とは異なる形状の画像でもよい。また例えば、上記第１実施形態では所定の演出表示と同じ色の画像としたが、所定の演出表示とは異なる色の画像でもよい。
【０３２３】
また、上記第１実施形態では、中心画像Ｇ２１１（所定の演出表示，第２の演出表示）に加え閃光画像Ｇ２２２も用いた第２画像演出としたが、閃光画像Ｇ２２２を用いない構成の第２画像演出でもよい。また、閃光画像Ｇ２２２以外の画像でもよい。具体的に例えば、上記第１実施形態では所定の演出表示（中心画像Ｇ２１１）から離れるにつれて先端が細くなる形状の画像としたが、それ以外の形状の画像でもよい。また例えば、上記第１実施形態では所定の演出表示と同じ色の画像としたが、所定の演出表示とは異なる色の画像でもよい。
【０３２４】
また、上記第１実施形態では、閃光画像Ｇ２２２の表示態様を２種類設け、１回の中心画像Ｇ２１１（所定の演出表示，第２の演出表示）の点灯において、閃光画像Ｇ２２２が複数回、表示態様が切り替わる構成とした。しかしながら、その表示態様を１種類設けて、所定の演出表示の点滅表示における１回の点灯表示においてそれを表示する構成でもよい。また、点滅表示における所定の演出表示の点灯表示のときには閃光画像Ｇ２２２が非表示となり、所定の演出表示の非表示のときには閃光画像Ｇ２２２が表示される構成でもよい。つまり、所定の演出表示の点滅表示と、閃光画像Ｇ２２２の点滅表示とが逆転していてもよい。
【０３２５】
また、上記第１実施形態では、偏心錘の回転周期と、第１画像演出又は第２画像演出の中心画像Ｇ２１１（所定の演出表示，第２の演出表示）の点滅表示の周期とが連動する構成とした。しかしながら、偏心錘の回転周期以外のものと所定の演出表示の点滅表示の周期とが連動する構成としてもよい。具体的に例えば、第１モータの回転周期と所定の演出表示の点滅表示の周期とが連動する構成としてもよい。また例えば、第２モータの回転周期と所定の演出表示の点滅表示の周期とが連動する構成としてもよい。また例えば、所定の演出表示の点滅表示において、偏心錘の回転に伴って所定の演出表示が表示される一方、偏心錘の静止に伴って所定の演出表示が消える構成としてもよい。つまり、偏心錘の間欠回転に連動して所定の演出表示が点滅する構成としてもよい。
【０３２６】
また、上記第１実施形態では、通常ボタン４０に配した複数（４つ）のＬＥＤ２６１（発光体）の全てを用いたボタン発光演出としたが、複数の発光体の一部を用いたボタン発光演出でもよい。また、ボタン発光演出において発光体の発光態様を「点滅」としたが、点灯でもよい。また、全ての発光体の発光態様を「点滅」としたが、一部を「点滅」とし、その他を「点灯」としてもよい。また、全ての発光体の発光色を同じとしたが、一部を異なる発光色としてよい。
【０３２７】
また、上記第１実施形態では、中心画像Ｇ２１１（所定の演出表示）の表示色の「赤」又は「青」を特定の表示色としたが、それ以外の色を特定の表示色としてもよい。また、特定の表示色と同じ色で通常ボタン４０（振動体）のＬＥＤ２６１（発光体）を発光させる構成とした。しかしながら、特定の表示色と類似の色で振動体の発光体を発光させる構成としてもよい。具体的に例えば、特定の表示色が「赤」の場合に、振動体の発光体を「ピンク」や「ワインレッド」や「赤茶色」などで発光させる構成が挙げられる。また例えば、特定の表示色が「青」の場合に、発光体を「水色（スカイブルー）」や「群青色」や「青紫色」などで発光させる構成が挙げられる。また例えば、特定の表示色が「黄」の場合に、発光体を「オレンジ色」や「黄土色」や「金色」などで発光させる構成が挙げられる。
【０３２８】
また、上記第１実施形態では、４つの盤下ランプ５６ｘ（発光体）を盤下可動体５６ｋに配置した構成としたが、４つ以外の数の発光体を配置した構成としてもよい。また、円形形状としたが円形以外の形状でもよい。
【０３２９】
また、上記第１実施形態では、複数（４つ）の盤下ランプ５６ｘ（発光体）の全てを用いた盤下ランプ演出としたが、複数の発光体の一部を用いた盤下ランプ演出でもよい。また、盤下ランプ演出において発光体の発光態様を「点滅」としたが、点灯でもよい。また、全ての発光体の発光態様を「点滅」としたが、一部を「点滅」とし、その他を「点灯」としてもよい。また、全ての発光体の発光色を同じとしたが、一部を異なる発光色としてよい。
【０３３０】
また、上記第１実施形態では、盤下可動体５６ｋが待機状態のときに盤下ランプ演出が行われる構成とした。しかしながら、盤下可動体５６ｋが待機状態以外のときに盤下ランプ演出が行われる構成でもよい。
【０３３１】
また、上記第１実施形態では、第２組み合わせ演出を、ボタン振動演出（特定演出）の実行中に盤下ランプ５６ｘ（発光体）が発光しない構成とした。しかしながら、特定演出の実行中に発光体の発光が制限される構成であればよく、例えば、第１組み合わせ演出における盤下ランプ演出よりも発光体の発光が制限される構成でもよい。具体的には、発光体の発光の輝度（明るさ）を抑えた構成や、一部の発光体を発光しない構成などが挙げられる。
【０３３２】
また、上記第１実施形態では、通常ボタン４０（特定の演出手段）が上方から遊技者に視認され得る位置にあり、盤下ランプ５６ｘ（発光体）が上方から遊技者に視認され得る位置にあり、且つ、正面視で特定の演出手段の上方に配置されている構成とした。しかしながら、特定の演出手段が下方から遊技者に視認され得る位置にあり、発光体が下方から遊技者に視認され得る位置にあり、且つ、正面視で特定の演出手段の下方に配置されている構成でもよい。また、特定の演出手段が左方から遊技者に視認され得る位置にあり、発光体が左方から遊技者に視認され得る位置にあり、且つ、正面視で特定の演出手段の左方に配置されている構成でもよい。また、特定の演出手段が右方から遊技者に視認され得る位置にあり、発光体が右方から遊技者に視認され得る位置にあり、且つ、正面視で特定の演出手段の右方に配置されている構成でもよい。
【０３３３】
また、上記第１実施形態では、表示部５０ａ（表示体）が正面から遊技者に視認され得る位置にある構成としたが、上方から遊技者に視認され得る位置にある構成としてもよい。
【０３３４】
また、上記第１実施形態では、３つのサイドランプ５７ｘ（第１表示体）を左幕板５７Ｌに配置した構成としたが、３つ以外の数の第１表示体を左幕板５７Ｌに配置した構成としてもよい。また、３つのサイドランプ５７ｘ（第１表示体）を右幕板５７Ｒに配置した構成としたが、３つ以外の数の第１表示体を右幕板５７Ｒに配置した構成としてもよい。また、第１表示体を表示部５０ａ（表示体）の左右にそれぞれ配置した構成としたが、例えば、いずれか一方に第１表示体を配置する等、一まとめに第１表示体を配置する構成でもよい。また、第１表示体を星形状としたが星以外の形状でもよい。
【０３３５】
また、上記第１実施形態では、複数のサイドランプ５７ｘ（第１表示体）の全てを用いたサイドランプ演出としたが、複数の第１表示体の一部を用いたサイドランプ演出でもよい。その場合に例えば、一部を「点滅」、その他を「点灯」としたり、一部を「点滅」、その他を「消灯」としたりしてもよい。また、全ての第１表示体の発光色を同じとしたが、一部を異なる発光色としてよい。
【０３３６】
また、上記第１実施形態では、第１組み合わせ演出の実行によって、第１背景画像Ｇ２１９（所定の背景表示）上に中心画像Ｇ２１１（第２の演出表示）を点滅表示するときと、第２組み合わせ演出の実行によって、第１背景画像Ｇ２１９（所定の背景表示）を表示部５０ａ（第２表示体）に非表示にして第２の演出表示を点滅表示するときとがある構成とした。しかしながら、第１組み合わせ演出における所定の背景表示よりも第２の演出表示を目立たせるような態様で表示中の所定の背景表示上に第２の演出表示を点滅表示する構成でもよい。具体的に例えば、第１組み合わせ演出における所定の背景表示よりも、少なくとも一部が薄く表示された所定の背景表示上に第２の演出表示を点滅表示する構成が挙げられる。また例えば、第１組み合わせ演出における所定の背景表示よりも、少なくとも一部がぼやけて表示された所定の背景表示上に第２の演出表示を点滅表示する構成が挙げられる。
【０３３７】
また、上記第１実施形態では、黒地の第２背景画像Ｇ２２９としたが、白やグレー等、黒以外の１色からなる画像でもよい。但しその場合には、中心画像Ｇ２１１（所定の演出表示，第２の演出表示）の表示色以外の色が好ましい。
【０３３８】
また、上記第１実施形態では、第１組み合わせ演出の実行後に第２組み合わせ演出が実行される構成とした。しかしながら、逆に第２組み合わせ演出の実行後に第１組み合わせ演出が実行される構成でもよい。また、第１組み合わせ演出および第２組み合わせ演出の一方のみが行われる構成でもよい。
【０３３９】
また、上記第１実施形態では、特図変動演出で第１組み合わせ演出および第２組み合わせ演出が実行可能な構成とした。しかしながら、大当たり遊技中や客待ち演出中に実行可能な構成としてもよい。
【０３４０】
また、上記第１実施形態では、所謂「第１種」，「デジパチ」といわれるパチンコ遊技機ＰＹ１を遊技機として示した。しかしながら遊技機を、所謂「第３種」，「権利物」といわれるパチンコ遊技機や、「第１種」のパチンコ遊技機の特徴と「第２種」のパチンコ遊技機の特徴とを併せ持つ所謂「１種２種混合」といわれるパチンコ遊技機としてもよい。また、ＳＴ（スペシャルタイム）の期間、当選確率が高確率状態に制御される所謂「ＳＴ機」といわれるパチンコ遊技機としてもよい。
【０３４１】
１０．上記の実施形態に示されている発明
上記の実施形態には、以下の発明（発明Ａ１〜Ａ３、発明Ｂ１〜Ｂ５、発明Ｃ１〜Ｃ４）が示されている。以下に記す発明の説明では、上記した実施の形態における対応する構成名や表現、図面に使用した符号を参考のためにかっこ書きで付記している。但し、各発明の構成要素はこの付記に限定されるものではない。
【０３４２】
発明Ａ１は、
振動可能な振動体（通常ボタン４０）と、
所定の演出表示を表示可能な表示体（表示部５０ａ）と、
所定の演出を実行可能な演出実行手段（サブ制御基板１２０）と、を備え、
前記演出実行手段は、
前記振動体を振動させる振動演出（ボタン振動演出）を実行可能であり、
前記表示体に前記所定の演出表示（中心画像Ｇ２１１）を表示する表示演出（第１画像演出）を実行可能であり、
前記振動演出と連動させて前記表示演出を実行するときがあることを特徴とする遊技機（パチンコ遊技機ＰＹ１）である。
【０３４３】
この構成の遊技機によれば、振動演出および表示演出の２つの演出が行われた場合に、遊技者は賑やかな演出を楽しむことが可能である。また、その場合にそれら２つの演出は連動して行われるため、それら２つの演出の間に一体感があるのを遊技者に印象づけることが可能である。かくして演出の興趣向上が可能である。
【０３４４】
発明Ａ２は、
発明Ａ１に記載の遊技機であって、
前記振動体には、発光可能な発光体（ＬＥＤ２６１）があり、
前記演出実行手段は、
前記振動演出と連動させて前記表示演出を実行する場合には、前記振動演出又は前記表示演出と連動させて前記発光体を発光させるときがあることを特徴とする遊技機である。
【０３４５】
この構成の遊技機によれば、振動演出および表示演出の２つの演出に加え発光体の発光が行われた場合に、遊技者は、さらに賑やかな演出を楽しむことが可能である。また、振動演出および表示演出の２つの演出のどちらかに発光体の発光が連動して行われた場合に、それら２つの演出および発光体の発光の間に一体感があるのを遊技者に印象づけることが可能である。
【０３４６】
発明Ａ３は、
発明Ａ２に記載の遊技機であって、
前記所定の演出表示は、特定の表示色（赤）で表示されるときがあり、
前記演出実行手段は、
前記振動演出と連動させて、前記特定の表示色で前記所定の演出表示が表示される前記表示演出を実行する場合には、前記振動演出又は前記表示演出と連動させて、前記特定の表示色と同じ又は類似の色で前記発光体を発光させるときがあることを特徴とする遊技機である。
【０３４７】
この構成の遊技機によれば、振動演出および表示演出の２つの演出のどちらかに発光体の発光が連動して行われる際、前記特定の表示色と同じ又は類似の色で発光体が発光された場合に、それら２つの演出および発光体の発光の間に一体感があるのを遊技者に確実に印象づけることが可能である。
【０３４８】
発明Ｂ１は、
特定の演出手段（通常ボタン４０又はＬＥＤ２６１）と、
発光可能な発光体（盤下ランプ５６ｘ）と、
所定の演出を実行可能な演出実行手段（サブ制御基板１２０）と、を備え、
前記演出実行手段は、
前記特定の演出手段を用いた特定演出（ボタン振動演出又はボタン発光演出）を実行可能であり、
前記特定演出の実行中に、前記発光体の発光が制限されるときがあることを特徴とする遊技機である。
【０３４９】
この構成の遊技機によれば、発光体の発光の制限に伴ってその発光体への遊技者の注目度を低下させて、実行中の特定演出への注目度を向上させることが可能であり、演出の興趣向上が可能である。
【０３５０】
発明Ｂ２は、
発明Ｂ１に記載の遊技機であって、
前記特定の演出手段は、上方から遊技者に視認され得る位置にあり、
前記発光体は、上方から遊技者に視認され得る位置にあり、且つ、正面視で前記特定の演出手段の上方に配置されていることを特徴とする遊技機である。
【０３５１】
この構成の遊技機によれば、特定の演出手段の上方にある発光体の発光が制限されることで、その制限がない場合よりも遊技者は特定の演出手段に視線を向け易い。よって、特定演出への遊技者の注目度を確実に向上可能である。
【０３５２】
発明Ｂ３は、
発明Ｂ２に記載の遊技機であって、
所定の演出表示（中心画像Ｇ２１１）を表示可能な表示体（表示部５０ａ）を備え、
前記発光体は、
正面視で前記特定の演出手段と前記表示体との間に配置されており、
前記演出実行手段は、
前記表示体にて前記所定の演出表示が表示される表示演出（第２画像演出）を実行可能であり、
前記表示演出と連動させて前記特定演出を実行するときがあることを特徴とする遊技機である。
【０３５３】
この構成の遊技機によれば、表示演出および特定演出の２つの演出が行われた場合に、遊技者は賑やかな演出を楽しむことが可能である。しかも、特定の演出手段と表示体との間に発光体を介しているけれども、上記の２つの演出が行われた場合にそれら２つの演出は連動して行われるため、それら２つの演出の間に一体感があるのを遊技者に印象づけることが可能である。
【０３５４】
発明Ｂ４は、
発明Ｂ３に記載の遊技機であって、
前記特定の演出手段とは、発光可能な異種発光体（ＬＥＤ２６１）であり、
前記特定演出とは、所定の発光態様で前記異種発光体が発光する発光演出（ボタン発光演出）であることを特徴とする遊技機である。
【０３５５】
この構成の遊技機によれば、異種発光体が発光する発光演出と表示演出との２つの演出が行われた場合にそれら２つの演出は連動して行われるため、異種発光体と表示体との間に発光体を介しているけれども、それら２つの演出の間に一体感があるのを遊技者に確実に印象づけることが可能である。
【０３５６】
発明Ｂ５は、
発明Ｂ３に記載の遊技機であって、
前記特定の演出手段とは、振動可能な振動体（通常ボタン４０）であり、
前記特定演出とは、前記振動体が振動する振動演出（ボタン振動演出）であることを特徴とする遊技機である。
【０３５７】
この構成の遊技機によれば、振動体が振動する振動演出と表示演出との２つの演出が行われた場合にそれら２つの演出は連動して行われるため、振動体と表示体との間に発光体を介しているけれども、それら２つの演出の間に一体感があるのを遊技者に確実に印象づけることが可能である。
【０３５８】
発明Ｃ１は、
第１の演出表示を点滅表示可能な第１表示体（サイドランプ５７ｘ）と、
第２の演出表示（中心画像Ｇ２１１）を点滅表示可能な第２表示体（表示部５０ａ）と、
所定の演出を実行可能な演出実行手段（サブ制御基板１２０）と、を備え、
前記演出実行手段は、
前記第１表示体にて前記第１の演出表示が点滅表示する第１点滅演出（サイドランプ演出）を実行可能であり、
前記第２表示体にて前記第２の演出表示が点滅表示する第２点滅演出（中心画像Ｇ２１１を表示する画像演出）を実行可能であり、
前記第１点滅演出における前記第１の演出表示の点滅表示と連動させて前記第２点滅演出を実行するときがあることを特徴とする遊技機である。
【０３５９】
この構成の遊技機によれば、第１点滅演出および第２点滅演出の２つの演出が行われた場合に、遊技者は賑やかな演出を楽しむことが可能である。またその場合に、第１点滅演出における第１の演出表示の点滅表示と、第２点滅演出における第２の演出表示の点滅表示とが連動して行われるため、それら２つの演出の間に一体感があることを遊技者に印象づけることが可能である。よって、演出の興趣向上が可能である。
【０３６０】
発明Ｃ２は、
発明Ｃ１に記載の遊技機であって、
前記演出実行手段は、
前記第２表示体に所定の背景表示（第１背景画像Ｇ２１９）を表示可能であり、
前記第１点滅演出における前記第１の演出表示の点滅表示と連動させて前記第２点滅演出を実行する場合に、第１の態様で表示中の前記所定の背景表示上に前記第２の演出表示を点滅表示するときと、前記第１の態様よりも前記第２の演出表示を目立たせるような第２の態様で表示中の前記所定の背景表示上に前記第２の演出表示を点滅表示するときと、があることを特徴とする遊技機である。
【０３６１】
この構成の遊技機によれば、第１の態様での所定の背景表示上よりも、第２の態様での所定の背景表示上に第２の演出表示を点滅表示した方が、第１点滅演出と第２点滅演出との間に一体感があることを遊技者に気付かせ易い。
【０３６２】
発明Ｃ３は、
発明Ｃ１に記載の遊技機であって、
前記演出実行手段は、
前記第２表示体に所定の背景表示（第１背景画像Ｇ２１９）を表示可能であり、
前記第１点滅演出における前記第１の演出表示の点滅表示と連動させて前記第２点滅演出を実行する場合に、表示中の前記所定の背景表示上に前記第２の演出表示を点滅表示するときと、前記所定の背景表示を前記第２表示体に非表示にして前記第２の演出表示を点滅表示するときと、があることを特徴とする遊技機である。
【０３６３】
この構成の遊技機によれば、所定の背景表示上よりも、その所定の背景表示が非表示の方が、第１点滅演出と第２点滅演出との間に一体感があることを遊技者に気付かせ易い。
【０３６４】
発明Ｃ４は、
発明Ｃ２又は発明Ｃ３に記載の遊技機であって、
所定の発光態様で発光可能な発光体（盤下ランプ５６ｘ）を備え、
前記第２点滅演出にて前記第２の演出表示が点滅表示している場合には、前記発光体の発光が制限されるときがあることを特徴とする遊技機である。
【０３６５】
この構成の遊技機によれば、発光体の発光の制限に伴って、第２点滅演出にて第２の演出表示が点滅表示される場合には、その発光体への遊技者の注目度を低下させて、実行中の第２点滅演出への注目度を向上させることが可能である。よって、第１点滅演出と第２点滅演出との間に一体感があることを遊技者に気付かせることが可能である。
【符号の説明】
【０３６６】
４０…通常ボタン（振動体，特定の演出手段）
５０ａ…表示部（表示体，第２表示体）
５６ｘ…盤下ランプ（発光体）
５７ｘ…サイドランプ（第１表示体）
１２０…サブ制御基板（演出実行手段）
１２１…演出制御用マイコン
２００…半球型ボタンユニット
２６１…ＬＥＤ（発光体，異種発光体，特定の演出手段）
Ｇ２１１…中心画像（所定の演出表示，第２の演出表示）
Ｇ２１２…外郭画像
Ｇ２１９…第１背景画像（所定の背景表示）
Ｇ２２２…閃光画像
Ｇ２２９…第２背景画像
ＰＹ１…パチンコ遊技機（遊技機）
【図１】
2020103375.tif 000003
【図２】
2020103375.tif 000004
【図３】
2020103375.tif 000005
【図４】
2020103375.tif 000006
【図５】
2020103375.tif 000007
【図６】
2020103375.tif 000008
【図７】
2020103375.tif 000009
【図８】
2020103375.tif 000010
【図９】
2020103375.tif 000011
【図１０】
2020103375.tif 000012
【図１１】
2020103375.tif 000013
【図１２】
2020103375.tif 000014
【図１３】
2020103375.tif 000015
【図１４】
2020103375.tif 000016
【図１５】
2020103375.tif 000017
【図１６】
2020103375.tif 000018
【図１７】
2020103375.tif 000019
【図１８】
2020103375.tif 000020
【図１９】
2020103375.tif 000021
【図２０】
2020103375.tif 000022
【図２１】
2020103375.tif 000023
【図２２】
2020103375.tif 000024
【図２３】
2020103375.tif 000025
【図２４】
2020103375.tif 000026
【図２５】
2020103375.tif 000027
【図２６】
2020103375.tif 000028
【図２７】
2020103375.tif 000029
【図２８】
2020103375.tif 000030
【図２９】
2020103375.tif 000031
【図３０】
2020103375.tif 000032
【図３１】
2020103375.tif 000033
【図３２】
2020103375.tif 000034
【図３３】
2020103375.tif 000035
【図３４】
2020103375.tif 000036
【図３５】
2020103375.tif 000037
【図３６】
2020103375.tif 000038
【図３７】
2020103375.tif 000039
【図３８】
2020103375.tif 000040
【図３９】
2020103375.tif 000041
【図４０】
2020103375.tif 000042
【図４１】
2020103375.tif 000043
【図４２】
2020103375.tif 000044